(57)【要約】  呼吸マスクシステムが、ヘッドギアアセンブリのためのフレームを備えるマスクインターフェースを具備する。フレームは、第１の表面及び実質上反対側の第２の表面を備える本体を具備する。本体は、ガス入口及び任意選択で出口換気孔をさらに備える。ガス入口は、実質上長円形の形状とすることができる。フレームは、ヘッドギアアセンブリのヨークを受け入れてヘッドギアをマスクインターフェースに取り付けるための凹状領域を備えることができる。呼吸マスクシステムはまた、フレームを取り付けるヨークを備えることができる。【選択図】  図１
2019509161.tif 000002
【特許請求の範囲】
【請求項１】
ヘッドギアアセンブリのためのフレームを有するマスクインターフェースを備える呼吸マスクシステムであって、前記フレームが、第１の表面及び実質上反対側の第２の表面を有する本体を備え、前記本体が、ガス入口及び出口換気孔をさらに備える、呼吸マスクシステム。
【請求項２】
フレームを有するマスクインターフェースを備える呼吸マスクシステムであって、前記フレームが、前面及び実質上反対側の背面を有する本体を備え、前記前面が、凹状領域を備え、前記凹状領域内にヘッドギアアセンブリのヨークが配置され得る、呼吸マスクシステム。
【請求項３】
ヘッドギアアセンブリのためのヨークを備える呼吸マスクシステムであって、前記ヨークが本体を備え、前記本体が、前記ヨークの頂面と底面との間の距離によって規定される幅及び前記ヨークの両端間の距離によって規定される長さを有する前面と、２つの側部部分間に位置する中間部分とを備え、前記側部部分が、前記ヨークの前記端又はその付近に位置しており、前記中間部分における前記ヨークの前記幅が、前記側部部分における前記ヨークの前記幅より小さい、呼吸マスクシステム。
【請求項４】
ヘッドギアアセンブリを備える呼吸マスクシステムであって、前記システムが、フレームを有するマスクインターフェースを備え、前記フレームが、第１の表面及び実質上反対側の第２の表面を有するフレーム本体を備え、前記フレーム本体が、ガス入口及び出口換気孔をさらに備え、前記呼吸マスクシステムが、ヘッドギアアセンブリのためのヨークをさらに備え、前記ヨークがヨーク本体を備え、前記ヨーク本体が、前記ヨークの頂面と底面との間の距離によって規定される幅及び前記ヨークの両端間の距離によって規定される長さを有する前面と、２つの側部部分間に位置する中間部分とを備え、前記側部部分が、前記ヨークの前記端又はその付近に位置しており、前記中間部分における前記ヨークの前記幅が、前記側部部分における前記ヨークの前記幅より小さい、呼吸マスクシステム。
【請求項５】
ヘッドギアアセンブリを備える呼吸マスクシステムであって、前記システムが、フレームを有するマスクインターフェースを備え、前記フレームが、前面及び実質上反対側の背面を有するフレーム本体を備え、前記前面が、凹状領域を備え、前記凹状領域内にヘッドギアアセンブリのヨークが配置され得、前記システムが、ヘッドギアアセンブリのためのヨークをさらに備え、前記ヨークがヨーク本体を備え、前記ヨーク本体が、前記ヨークの頂面と底面との間の距離によって規定される幅及び前記ヨークの両端間の距離によって規定される長さを有する前面と、２つの側部部分間に位置する中間部分とを備え、前記側部部分が、前記ヨークの前記端又はその付近に位置しており、前記中間部分における前記ヨークの前記幅が、前記側部部分における前記ヨークの前記幅より小さい、呼吸マスクシステム。
【請求項６】
マスクフレームと、ヨークとを備える呼吸マスクシステムであって、
前記マスクフレームが、
使用の際にガス導管に結合されるように構成された入口と、
前記マスクフレーム全体にわたって長手方向に延び、上壁、背壁、及び下壁によって画定されるヨークチャネルと、
前記上壁から前記ヨークチャネル内へ下方に突出する保持バンプと
を備え、
前記ヨークが、前記ヨークチャネル内に少なくとも部分的に配置されるように構成され、前記ヨークの上面に保持ノッチを備え、
前記保持バンプが、前記ヨーク及び前記マスクフレームが互いに結合されるときに、前記保持ノッチ内へスナップ嵌めされるように構成されている、呼吸マスクシステム。
【請求項７】
前記保持ノッチが、前記ヨークの前壁と頂壁との間の角部に沿って配置されている、請求項６に記載の呼吸マスクシステム。
【請求項８】
前記ヨークが、ヨーク前部と、前記ヨーク前部に結合されたヨーク後部とを備える、請求項６に記載の呼吸マスクシステム。
【請求項９】
前記ヨーク前部が、前記保持ノッチを備える、請求項８に記載の呼吸マスクシステム。
【請求項１０】
マスクフレームと、ヨークとを備える呼吸マスクシステムであって、
前記マスクフレームが、
使用の際にガス導管に結合されるように構成された入口と、
前記マスクフレーム全体にわたって長手方向に延び、上壁、背壁、及び下壁によって画定されたヨークチャネルと、
前記背壁内へ凹んでおり、前記ヨークチャネルの長さに沿って延びる回転防止溝と
を備え、
前記ヨークが、前記ヨークチャネル内に少なくとも部分的に配置されるように構成されており、前記ヨークから後方に突出する舌片を備え、
前記舌片が、前記ヨーク及び前記マスクフレームが互いに結合されるときに、前記回転防止溝内に配置されるように構成されており、前記回転防止溝と前記舌片との間の相互作用が、前記マスクフレームからの前記ヨークの回転係合解除を抑制するようになっている、呼吸マスクシステム。
【請求項１１】
前記ヨークが、ヨーク後部に結合されたヨーク前部を備える、請求項１０に記載の呼吸マスクシステム。
【請求項１２】
前記舌片が、前記ヨーク前部から延びる前部舌片と、前記ヨーク後部から延びる後部舌片とを備える、請求項１１に記載の呼吸マスクシステム。
【請求項１３】
前記前部舌片が、前記前部舌片の上面が前記後部舌片の下面に当接するように、前記後部舌片の下に配置されている、請求項１２に記載の呼吸マスクシステム。
【請求項１４】
呼吸マスクシステムのマスクフレームに結合されるように構成されたヨークであって、
第１の横方向端から第２の横方向端へ延びる前壁と、
第１の横方向端から第２の横方向端へ延びる背壁であり、前記前壁と前記背壁との間に内側空洞を画定する背壁と、
前記前壁及び前記背壁の前記第１の横方向端に結合された第１のエンドキャップ並びに前記前壁及び前記背壁の前記第２の横方向端に結合された第２のエンドキャップであり、各エンドキャップが、自己調節式ヘッドギア機構の線状体を受け入れるように構成された線状体入口孔を備える、第１のエンドキャップ及び第２のエンドキャップと、
前記第１のエンドキャップに隣り合って前記前壁と前記背壁との間に配置された第１のワッシャハウジングと、
前記第２のエンドキャップに隣り合って前記前壁と前記背壁との間に配置された第２のワッシャハウジングと、
前記内側空洞を上部ライントラック及び下部ライントラックに分割するライントラック分割具と
を備え、
前記上部ライントラックが、前記第１のワッシャハウジングから前記第２のエンドキャップへ前記第２のワッシャハウジングの上に延びており、
前記下部ライントラックが、前記第２のワッシャハウジングから前記第１のエンドキャップへ前記第１のワッシャハウジングの下に延びている、ヨーク。
【請求項１５】
前記ヨークが、前記前壁を有するヨーク前部と、前記背壁を有するヨーク後部とを備え、前記ヨーク前部及び前記ヨーク後部が互いに結合されている、請求項１４に記載のヨーク。
【請求項１６】
前記上部ライントラックが、前記ヨーク前部の上壁及び前記ライントラック分割具によって少なくとも部分的に画定されており、前記下部ライントラックが、前記ヨーク前部の下壁及び前記ライントラック分割具によって少なくとも部分的に画定されている、請求項１５に記載のヨーク。
【請求項１７】
呼吸マスクシステムのための鼻シールであって、
入口を画定し、前記鼻シールの使用者接触面を少なくとも部分的に画定する本体部分と、
前記本体部分によって支持されており、使用者の鼻孔に係合するように構成された１対の鼻プロングとを備え、
前記本体部分が、前記シールの上部部分で前記１対の鼻プロング間に横方向に延びるブリッジ部分を備え、前記ブリッジ部分が、前記鼻シールの前面と背面との間にブリッジ深さを規定しており、前記ブリッジ深さが、前記鼻シールの全体的な深さの２分の１より小さい、鼻シール。
【請求項１８】
前記鼻シールの最背部の点が、前記１対の鼻プロングの最背部の表面の後方に位置している、請求項１７に記載の鼻シール。
【請求項１９】
前記ブリッジ深さが、前記全体的な深さの５分の２以下である、請求項１７又は１８に記載の鼻シール。
【請求項２０】
前記ブリッジ深さが、前記全体的な深さの３分の１である、請求項１９に記載の鼻シール。
【請求項２１】
前記ブリッジ深さが、１５ｍｍ以下、１３．５ｍｍ以下、又は１１ｍｍ以下である、請求項１７〜２０のいずれか一項に記載の鼻シール。
【請求項２２】
前記全体的な深さが、３５ｍｍ以下、３２．５ｍｍ以下、又は３０ｍｍ以下である、請求項１７〜２１のいずれか一項に記載の鼻シール。
【請求項２３】
１ｍｍ以上の壁厚が、前記鼻シールの外側壁内又は前壁内に制限されている、請求項１７〜２２のいずれか一項に記載の鼻シール。
【請求項２４】
上壁と前記外側壁との間の移行部又は下壁と前記外側壁との間の移行部が、１ｍｍより小さい、請求項２３に記載の鼻シール。
【請求項２５】
前記鼻シールの前記本体部分によって規定される前記使用者接触面の最小の壁厚が、０．３ｍｍ以上である、請求項１７〜２４のいずれか一項に記載の鼻シール。
【請求項２６】
前記鼻シールの前記本体部分によって規定される前記使用者接触面の前記最小の壁厚が、０．４５ｍｍ以上である、請求項２５に記載の鼻シール。
【請求項２７】
前記鼻シールの全体的な幅が、６５ｍｍ以下である、請求項１７〜２６のいずれか一項に記載の鼻シール。
【請求項２８】
前記全体的な幅が、６１ｍｍ以下又は５８．５ｍｍ以下である、請求項２７に記載の鼻シール。
【請求項２９】
前記鼻シールの全体的な高さが、４０ｍｍ以下である、請求項１７〜２８のいずれか一項に記載の鼻シール。
【請求項３０】
前記全体的な高さが、３５．５ｍｍ以下又は３５．２ｍｍ以下である、請求項２９に記載の鼻シール。
【請求項３１】
前記鼻シールの封止面積が、１０００ｍｍ２以下である、請求項１７〜３０のいずれか一項に記載の鼻シール。
【請求項３２】
前記封止面積が、９０７ｍｍ２以下又は８８３ｍｍ２以下である、請求項３１に記載の鼻シール。
【請求項３３】
前記入口が、略Ｄ字状である、請求項１７〜３２のいずれか一項に記載の鼻シール。
【請求項３４】
前記本体部分の前記入口に固定されたクリップアセンブリをさらに備え、前記クリップアセンブリが、前記鼻シールをフレームに取外し可能に接続することを可能にするように構成されている、請求項１７〜３３のいずれか一項に記載の鼻シール。
【請求項３５】
前記クリップアセンブリが、入口及び換気孔を画定している、請求項３４に記載の鼻シール。
【請求項３６】
前記換気孔が、拡散器を備える、請求項３５に記載の鼻シール。
【請求項３７】
前記換気孔が、クリップ部材によって画定されている、請求項３６に記載の鼻シール。
【請求項３８】
前記換気孔の前記クリップ部材が、取外し可能である、請求項３７に記載の鼻シール。
【請求項３９】
前記入口が、１２〜１６ｍｍ又は１４ｍｍの最大の高さを有する、請求項３５〜３８のいずれか一項に記載の鼻シール。
【請求項４０】
前記入口が、２５〜３０ｍｍ又は２７ｍｍの最大幅を有する、請求項３９に記載の鼻シール。
【請求項４１】
フレームと組み合わされている、請求項１７〜４０のいずれか一項に記載の鼻シール。
【請求項４２】
ヘッドギア機構をさらに備える、請求項４１に記載の、鼻シール及びフレーム。
【請求項４３】
前記ヘッドギア機構が、自己調節式であり、又は１つ若しくは複数の方向性ロックを備える、請求項４２に記載のアセンブリ。
【請求項４４】
マスクフレームと、ヨークとを備える呼吸マスクシステムであって、
前記マスクフレームが、
使用の際にガス導管に結合されるように構成された入口と、
前記マスクフレーム全体にわたって長手方向に延び、上壁、背壁、及び下壁によって画定されるヨークチャネルと、
前記ヨークチャネルの前記上壁及び前記下壁のうちの少なくとも１つにある少なくとも１つの凹部と
を備え、
前記ヨークが、前記ヨークチャネル内に少なくとも部分的に配置されるように構成されており、前記ヨークから後方に突出する少なくとも１つの突起を備え、前記少なくとも１つの突起が、前記ヨークが前記ヨークチャネル内に配置されるときに、前記少なくとも１つの凹部内に配置されるように構成されている、呼吸マスクシステム。
【請求項４５】
前記少なくとも１つの凹部及び前記少なくとも１つの突起が、矩形のプロファイルを有する、請求項４４に記載の呼吸マスクシステム。
【請求項４６】
呼吸マスクシステムのマスクフレームに結合されるように構成されたヨークであって、
第１の中心コネクタを備えるヨーク前部と、
第２の中心コネクタを備えるヨーク背部とを備え、
前記第１の中心コネクタ及び前記第２の中心コネクタが、互いに結合されて前記ヨーク前部及び前記ヨーク背部を互いに少なくとも部分的に固定するように構成されている、ヨーク。
【請求項４７】
前記第１の中心コネクタが、前記ヨーク前部から後方に突出する突起を備え、前記第２の中心コネクタが、前記ヨーク背部に開口を備え、前記突起が、前記開口に受け入れられるように構成されている、請求項４６に記載のヨーク。
【請求項４８】
前記第１の中心コネクタが、前記ヨーク前部から後方に突出する突起を備え、前記第２の中心コネクタが、前記ヨーク背部の前面に凹部を備え、前記突起が、前記凹部に受け入れられるように構成されている、請求項４６に記載のヨーク。
【請求項４９】
前記ヨーク前部が、前記ヨーク前部の背面内へ凹んで前記ヨーク前部の上縁部近傍で前記ヨーク前部の長さに沿って延びる上部位置合わせ溝を備え、前記ヨーク背部が、前記ヨーク背部の前面から前方に突出する上部位置合わせビードを備え、前記上部位置合わせビードが、前記ヨーク前部及び前記ヨーク背部が互いに結合されるときに、前記上部位置合わせ溝に受け入れられるように構成されている、請求項４６〜４８のいずれか一項に記載のヨーク。
【請求項５０】
前記ヨーク前部が、前記ヨーク前部の背面内へ凹んで前記ヨーク前部の下縁部近傍で前記ヨーク前部の長さに沿って延びる下部位置合わせ溝を備え、前記ヨーク背部が、前記ヨーク背部の前面から前方に突出する下部位置合わせビードを備え、前記下部位置合わせビードが、前記ヨーク前部及び前記ヨーク背部が互いに結合されるときに、前記下部位置合わせ溝に受け入れられるように構成されている、請求項４６〜４９のいずれか一項に記載のヨーク。
【請求項５１】
呼吸マスクシステムのマスクフレームに結合されるように構成されたヨークであって、
第１の横方向端から第２の横方向端へ延びるヨーク前部と、
第１の横方向端から第２の横方向端へ延びるヨーク背部であり、前記ヨーク前部及び前記ヨーク背部が互いに結合され、前記ヨーク前部と前記ヨーク背部との間に内側空洞を画定する、ヨーク背部と、
前記ヨーク前部及び前記ヨーク背部の前記第１の横方向端に結合された第１のエンドキャップ並びに前記ヨーク前部及び前記ヨーク背部の前記第２の横方向端に結合された第２のエンドキャップであり、各エンドキャップが、自己調節式ヘッドギア機構の線状体を受け入れるように構成された線状体入口孔を備える、第１のエンドキャップ及び第２のエンドキャップと、
前記第１のエンドキャップに隣り合って前記空洞内に配置された第１のワッシャハウジングと、
前記第２のエンドキャップに隣り合って前記空洞内に配置された第２のワッシャハウジングと、
前記内側空洞を上部ライントラック及び下部ライントラックに分割するライントラック分割具と
を備え、
前記上部ライントラックが、前記第１のワッシャハウジングから前記第２のエンドキャップへ前記第２のワッシャハウジングの上に延びており、
前記下部ライントラックが、前記第２のワッシャハウジングから前記第１のエンドキャップへ前記第１のワッシャハウジングの下に延びている、ヨーク。
【請求項５２】
前記上部ライントラックが、前記第２のエンドキャップ内へ延びており、前記下部ライントラックが、前記第１のエンドキャップ内へ延びている、請求項５１に記載のヨーク。
【請求項５３】
前記第１及び第２のエンドキャップが、組立て中に、それぞれ前記前壁及び前記背壁の前記第１及び第２の横方向端にヒンジ式に取り付けられるように構成されている、請求項５１又は５２に記載のヨーク。
【請求項５４】
前記ヨーク背部が、前記ヨーク背部の前記第１の横方向端近傍で前記ヨーク背部から後方に延びる第１の保持突起を備え、前記ヨーク前部が、前記ヨーク前部の前記第１の横方向端近傍で前記ヨーク前部から前方に延びる第２の保持突起を備え、前記第１の保持突起が、前記第２の保持突起より大きい長さを有し、前記第１のエンドキャップが、前記第１のエンドキャップの一方の側に位置し、前記第１の保持突起を受け入れるように構成された保持孔と、前記第１のエンドキャップの反対側に位置し、前記第２の保持突起を受け入れるように構成されたノッチとを備え、組立て中に、前記第１の保持突起及び前記保持孔が互いに係合し、次いで前記第１のエンドキャップが、前記ヨーク前部及び前記ヨーク背部の前記第１の横方向端の上へ旋回して、前記第２の保持突起及び前記ノッチを係合させる、請求項５３に記載のヨーク。
【請求項５５】
前記第１及び第２のワッシャハウジングが、Ｕ字状である、請求項５１〜５４のいずれか一項に記載のヨーク。
【請求項５６】
前記第２のワッシャハウジングが、上向きのＵ字状として置かれており、前記第１のワッシャハウジングが、下向きのＵ字状として置かれている、請求項５５に記載のヨーク。
【請求項５７】
マスクフレームと、ヨークとを備える呼吸マスクシステムであって、
前記マスクフレームが、
使用の際にガス導管に結合されるように構成された入口と、
前記マスクフレーム全体にわたって長手方向に延びるヨークチャネルであり、上壁、背壁、及び下壁によって画定されるヨークチャネルと
を備え、
前記ヨークが、前記ヨークチャネル内に少なくとも部分的に配置されるように構成されている、呼吸マスクシステム。
【発明の詳細な説明】
【技術分野】
【０００１】
［優先出願の参照による援用］
[0001]本出願によって提出される出願データシートにおいて外国又は国内の優先権の主張が識別されるあらゆる出願は、参照により本明細書に援用され、本開示の一部を形成する。
【０００２】
[0002]本開示は、一般に、患者に呼吸療法を送達するための呼吸マスクシステムに関する。より詳細には、本開示は、呼吸マスクシステムの様々な構成要素に関する。
【背景技術】
【０００３】
[0003]呼吸マスクは、複数の呼吸器疾患又は症状のいずれかを患っている人の気道へ呼吸療法を提供するために使用される。そのような療法は、それだけに限定されるものではないが、持続気道陽圧（ＣＰＡＰ）療法及び非侵襲的換気（ＮＩＶ）療法を含むことができる。
【０００４】
[0004]ＣＰＡＰ療法は、睡眠中に患者の気道が断続的に塞がり、一定期間にわたって患者が呼吸できなくなる症状である閉塞性睡眠時無呼吸（ＯＳＡ）を治療するために使用することができる。呼吸の中断、すなわち無呼吸の結果、患者は目を覚ます。反復的且つ頻繁な無呼吸の結果、患者はたまにしか、体力を回復させる十分な夜間の睡眠を実現することができなくなる。
【０００５】
[0005]ＣＰＡＰ療法は、呼吸マスクを介して患者の気道へ持続気道陽圧の供給を送達することを伴う。持続陽圧は、患者の気道内で添え木として作用し、患者の呼吸及び睡眠が妨げられないように気道を開放位置で固定する。
【０００６】
[0006]呼吸マスクは、典型的には、患者インターフェース及びヘッドギアを備え、患者インターフェースは、患者の鼻及び／又は口の中又はその周りに気密シールを形成するシール又はクッションを介して、患者の気道へ持続気道陽圧の供給を送達するように構成される。呼吸マスクは、顔全体、鼻用、直接鼻及び口用のマスクを含む様式の範囲内で利用可能であり、鼻及び／又は口との気密シールを形成する。シール又はクッションは、ヘッドギアによって患者の顔で定位置に保持される。気密シールを維持するため、ヘッドギアは、使用中に患者インターフェースが患者の顔に対して安定した位置に保持されるように、患者インターフェースへの支持を提供しなければならない。そのような呼吸マスクはまた、ＮＩＶ及び他の療法を送達するために使用することもできる。
【発明の概要】
【０００７】
[0007]本明細書に記載するシステム及びデバイスは、革新的な態様を有しているが、いずれの単一の態様も必須ではなく、そのようなシステム及びデバイスの所望の属性を単独で担うものではない。特許請求の範囲を限定することなく、有利な特徴のいくつかについて、次に要約する。
【０００８】
[0008]第１の態様では、本発明は、ヘッドギアアセンブリのためのフレームを備えるマスクインターフェースを具備する呼吸マスクシステムを提供し、フレームは、第１の表面及び実質上反対側の第２の表面を備える本体を具備し、本体は、ガス入口及び出口換気孔をさらに備える。
【０００９】
[0009]一形態では、フレームは、ガス入口が垂直方向から約１０〜４５°で角度が付けられるように構成される。
【００１０】
[0010]ガス入口は、実質上長円形の形状を備えることができ、ガス入口は、フレームの長さに沿って実質上長手方向に位置する。
【００１１】
[0011]一形態では、フレームは、フレームの背面から突出するシールフランジによって提供される実質上連続する縁部によって画定される開口部を備えることができる。
【００１２】
[0012]ガス入口は、実質上長円形の形状とすることができる。実質上長円形のガス入口は、フレームの左側と右側との間に長手方向に延びることが好ましい。
【００１３】
[0013]マスクインターフェースはまた、フレームに取り付けられるように構成されたシールを備えることができる。シールは、前面及び背面と、フレームのガス入口開口部と実質上一致することができるガス入口開口部とを備えることができる。シールのガス入口開口部は、シールフランジに取り付けられるように構成された実質上連続するリップを備えることができる。
【００１４】
[0014]一形態では、フレームのガス入口は、連続する縁部上の２つの実質上反対側の点同士の間に延びて開口部をガス入口及び出口換気孔に分離する分離器を備える。
【００１５】
[0015]任意選択で、シールは、シールアセンブリの一部を形成し、シールアセンブリは、内側クリップ及び外側クリップをさらに備え、内側及び外側クリップはそれぞれ、ガス入口開口部を備えるカラーを備え、内側クリップは、内側クリップのガス入口開口部にかかって開口部をガス入口開口及び換気孔開口に分離する分割具をさらに備える。
【００１６】
[0016]内側クリップは、ガス入口開口がフレームのガス入口と実質上位置合わせされ、換気孔開口がフレームの出口換気孔と実質上位置合わせされるように、フレームのシールフランジに取り付けることができる。シールフランジは、１つ又は複数の凹部を備え、凹部内に内側クリップの一部分を保持することができることが好ましい。
【００１７】
[0017]一形態では、内側クリップは、その外周部の少なくとも一部分に延びるフック付きフランジを備え、外側クリップもまた、その周辺部の少なくとも一部分に延びるフック付きフランジを備える。内側及び外側クリップは、各クリップのフック付きフランジが互いに対向して互いの間にシールチャネルを形成するように、ともに取り付けることができる。シールは、シールチャネル内に保持されるように構成された実質上連続するリップを備えることができる。
【００１８】
[0018]一形態では、出口換気孔は、フレームが使用されているとき、ガス入口の上に位置することができる。別の形態では、出口換気孔は、フレームが使用されているとき、ガス入口の下に位置することができる。
【００１９】
[0019]任意選択で、ガス入口及び出口換気孔は、フレームの長さに沿って実質上中心に位置する。
【００２０】
[0020]出口換気孔内には、拡散器が位置することが好ましい。
【００２１】
[0021]一形態では、呼吸マスクシステムはまた、フレームに取り付けられるように構成されたヨークを備えるヘッドギアアセンブリを備える。フレームは、凹状領域を備えることができ、凹状領域内にヨークを保持することができる。
【００２２】
[0022]第２の態様では、本発明は、ヘッドギアアセンブリのためのフレームを備えるマスクインターフェースを具備する呼吸マスクシステムを提供し、フレームは、前面及び実質上反対側の背面を備える本体を具備し、前面は、凹状領域を備え、凹状領域内にヘッドギアアセンブリのヨークが位置することができる。
【００２３】
[0023]一形態では、凹状領域は、フレームの長さにわたって実質上延びるチャネルを備えることができる。チャネルは、フレームが使用されているとき、フレーム全体にわたって実質上水平方向に位置するように構成されることが好ましい。チャネルは、２つの側部領域を備えることができ、各側部領域は、チャネルの両端に位置し、２つの側部領域間に、実質上中心の領域が位置する。
【００２４】
[0024]一形態では、チャネルは、フレームの本体のいずれかの側から延びる延長部材を備えることができる。
【００２５】
[0025]フレームは、ガス入口を備えることが好ましい。ガス入口は、実質上長円形の形状を備えることができ、ガス入口は、フレームの長さに沿って実質上長手方向に位置する。
【００２６】
[0026]フレームはまた、出口換気孔を備えることが好ましい。一形態では、出口換気孔の少なくとも一部分は、チャネル内に位置することができる。任意選択で、出口換気孔全体がチャネル内に位置することができる。出口換気孔は、拡散器を備えることができる。
【００２７】
[0027]フレームは、左から右へ外方に実質上湾曲していることが好ましい。一形態では、フレームの前面は、上から下へ外方に実質上湾曲している。
【００２８】
[0028]一形態では、チャネルは、上面を形成する第１の壁と、第１の壁とは実質上反対側の下面を形成する第２の壁と、第１の壁と第２の壁との間に延びる背面を形成するチャネル床とを備えることができる。別の形態では、チャネルは、背面及び下面からなる。
【００２９】
[0029]チャネルの下面は、凹状領域を備えることが好ましい。凹状領域は、出口換気孔に実質上隣り合って位置することができる。
【００３０】
[0030]一形態では、チャネルの上面は、凹状領域を備えることができる。上面の凹状領域は、出口換気孔に実質上隣り合って位置することができる。
【００３１】
[0031]一形態では、チャネルの下面は、チャネルの背面の方へ内方に角度を付けることができる。
【００３２】
[0032]一形態では、チャネルの上面は、チャネルの背面の方へ内方に角度を付けることができる。
【００３３】
[0033]一形態では、チャネルの背面の高さは、チャネルの上面と下面との間の距離によって実質上画定することができる。その中心領域におけるチャネルの背面の高さは、一方又は両方の側部領域におけるチャネルの高さより小さいことが好ましい。
【００３４】
[0034]一形態では、チャネルの下面は、チャネルの背面と第２の縁部の遠位端との間の距離によって実質上画定される深さを有することができる。下面の深さは、側部領域よりチャネルの中心領域で大きいことが好ましい。
【００３５】
[0035]一形態では、フレームは、ヘッドギアヨークをフレームに取り付けるための少なくとも１つの取付け特徴部を備えることができる。一形態では、少なくとも１つの取付け特徴部は、取付け開口、磁石、又は取付けタブを備えることができる。一形態では、少なくとも１つの取付け特徴部は、チャネルの背面に位置することができる。
【００３６】
[0036]一形態では、少なくとも１つの取付け特徴部は、チャネルの背面に位置する取付け開口とすることができる。一形態では、チャネルの背面の各側部領域に、取付け開口が位置することができる。少なくとも１つの取付け開口は、ヘッドギアヨークの突出する取付け特徴部を受け入れてヘッドギアヨークをフレームに取り付けるように構成することができる。
【００３７】
[0037]一形態では、少なくとも１つの取付け特徴部は、フレームのチャネル内に位置する少なくとも１つの磁石を備える。少なくとも１つの磁石は、チャネルの背面に位置することが好ましい。一形態では、複数の磁石が、チャネルの背面に位置する。これらの磁石は、互いから等距離で隔置されることが好ましい。磁石（複数可）は、チャネルの長さに沿って延びる中心線に沿って位置することができる。別法として、磁石（複数可）は、チャネルの長さに沿って延びる中心線の一方の側に位置することができる。一形態では、磁石（複数可）は、チャネルの下面よりチャネルの上面付近に位置することができる。任意選択で、チャネルは、１つ又は複数の凹部を備えることができ、凹部内に１つ又は複数の磁石が位置することができる。
【００３８】
[0038]一形態では、少なくとも１つの取付け特徴部は、チャネルの少なくとも一部分にわたって延びる少なくとも１つの取付けタブを備える。少なくとも１つの取付けタブが、チャネルの上面又は下面のいずれかから延び、実質上反対側のチャネル面の方へ突出することが好ましい。一形態では、取付けタブが、チャネルの上面から突出し、取付けタブの背面とチャネルの背面との間に、凹部が提供される。
【００３９】
[0039]一形態では、少なくとも１つの取付け特徴部は、チャネルの上面から下面へチャネルの高さ全体にわたって延びるラッチを備える。一形態では、少なくとも１つのラッチは、取外し可能とすることができる。任意選択で、少なくとも１つのラッチは、フレームに設けられたロックに取り付けられるように構成することができる。一形態では、少なくとも１つの取付けタブは、スナップ嵌め配置でロックに取り付けられるように構成することができる。他の形態では、少なくとも１つのラッチは、ヨークに設けられたロックに取り付けられるように構成することができる。少なくとも１つのラッチは、フレームにヒンジ式に取り付けられることが好ましい。
【００４０】
[0040]第３の態様で、本発明は、ヘッドギアアセンブリのためのヨークを備える呼吸マスクシステムを提供し、ヨークは本体を備え、本体は、ヨークの頂面と底面との間の距離によって画定される幅及びヨークの両端間の距離によって画定される長さを有する前面と、２つの側部部分間に位置する中間部分とを備え、側部部分は、ヨークの端又はその付近に位置し、中間部分におけるヨークの幅は、側部部分におけるヨークの幅より小さい。
【００４１】
[0041]一形態では、ヨークの頂面の中間部分は、内方に湾曲することができる。
【００４２】
[0042]一形態では、ヨークの底面の中間部分は、内方に湾曲することができる。さらに別の形態では、ヨークの底面は、ヨークの長さに沿って実質上同じ平面内に位置することができる。
【００４３】
[0043]一形態では、ヨークの中間部分の前面は、頂面から底面へ後方に傾斜することができる。
【００４４】
[0044]一形態では、ヨークの側部部分の前面は、頂面から底面へ前方に傾斜することができる。別法として、側部部分の前面は、底面及び／又は頂面に実質上直交することができる。
【００４５】
[0045]一形態では、ヨークの中間部分は、前面から背面へ先細りする。
【００４６】
[0046]一形態では、中間部分の頂面は、背面から前面へ下方に傾斜する。
【００４７】
[0047]一形態では、中間部分の底面は、前面から背面へ上方に傾斜する。
【００４８】
[0048]一形態では、ヨーク本体の少なくとも一部分を、布カバー内に覆うことができる。布カバーは、少なくとも１つの方向に実質上伸縮性のニット生地であることが好ましい。ヨークは、布カバー内へ射出成形されることが好ましい。
【００４９】
[0049]一形態では、ヨーク本体は、１対の位置決め部材を備える背面を備えることができる。各位置決め部材は、ヨークの１つの側部部分に位置することができる。
【００５０】
[0050]一形態では、各位置決め部材は、ヨークの背面から突出し、背面からヨークの端の方へ外方に傾斜する位置合わせ表面を備える。
【００５１】
[0051]一形態では、各位置合わせ表面は、ヨークの頂面より底面付近で位置合わせ表面がともに近づくような角度に向けることができる。
【００５２】
[0052]一形態では、少なくとも１つの位置決め部材は、実質上湾曲した突出部を備えることができ、突出部は、ヨークの端又はその付近に形成され、ヨークの背面から突出することができる。
【００５３】
[0053]少なくとも１つの位置決め部材は、ヨーク本体と一体形成されることが好ましい。
【００５４】
[0054]一形態では、ヨークの各端又はその付近に位置するオーバーモールドから、１つ又は複数の位置決め部材を形成することができる。
【００５５】
[0055]一形態では、１つの位置決め部材が、フックを備えることができ、他の位置決め部材が、ポストを備えることができる。
【００５６】
[0056]一形態では、ヨークの頂面から、タブが突出することができる。タブは、ヨークの中間部分から突出することが好ましい。任意選択で、タブは、頂面から実質上ヨークの長さに沿って突出するフランジを備える。
【００５７】
[0057]一形態では、１つ又は複数の磁石が、ヨークの背面に位置することができる。背面は、１つ又は複数の凹部を備えることができ、凹部内に１つ又は複数の磁石を保持することができる。磁石（複数可）は、等距離に離して配置することができる。磁石（複数可）は、ヨークの長さに沿って延びる中心線に沿って位置することができる。別の形態では、ヨークの頂面からフランジが突出することができ、したがってヨークの高さが、底面とフランジの遠位縁部との間の距離によって画定され、磁石（複数可）は、フランジの遠位縁部よりヨークの底面付近に位置することができる。
【００５８】
[0058]一形態では、ヨーク本体は、その長さに沿って実質上伸縮性の材料を備えることができ、ヨークは、呼吸マスクシステムのフレームに提供された１つ又は複数の相補形の取付け特徴部に係合してヨークをフレームに取り付けるための１つ又は複数の取付け特徴部を備えることができる。
【００５９】
[0059]一形態では、伸縮性のヨーク本体は、フレームの対応するフック、凹部、又は開口部に係合してヨークをフレームに取り付けるように構成されたフックを備える少なくとも１つの取付け特徴部を備えることができる。
【００６０】
[0060]一形態では、ヨークは、１つ又は複数の線状体のための収集器を備えることができ、ヨークは、自動的に調節可能なヘッドギアアセンブリの一部を形成する。
【００６１】
[0061]第４の態様では、本発明は、本発明の第１又は第２の態様によるフレームと、本発明の第３の態様によるヨークとを備える呼吸マスクシステムを提供する。フレーム及びヨークは、本発明の第１、第２、及び第３の態様に関連して上記で記載した任意の特徴又は特徴の組合せを備えることができる。
【００６２】
[0062]いくつかの実施形態では、呼吸マスクシステムが、マスクフレーム及びヨークを含む。マスクフレームは、使用の際にガス導管に結合されるように構成された入口と、ヨークチャネルと、保持バンプとを含む。ヨークチャネルは、マスクフレーム全体にわたって長手方向に延び、上壁、背壁、及び下壁によって画定される。保持バンプは、上壁からヨークチャネル内へ下方に突出する。ヨークは、ヨークチャネル内に少なくとも部分的に配置されるように構成される。ヨークは、ヨークの上面に保持ノッチを含む。保持バンプは、ヨーク及びマスクフレームがともに結合されるとき、保持ノッチ内へスナップ嵌めされるように構成される。
【００６３】
[0063]保持ノッチは、ヨークの前壁と頂壁との間の角部に沿って位置決めすることができる。ヨークは、ヨーク前部と、ヨーク前部に結合されたヨーク後部とを含むことができる。ヨーク前部は、保持ノッチを含むことができる。
【００６４】
[0064]いくつかの実施形態では、呼吸マスクシステムは、マスクフレーム及びヨークを含む。マスクフレームは、使用の際にガス導管に結合されるように構成された入口と、ヨークチャネルと、回転防止溝とを含む。ヨークチャネルは、マスクフレーム全体にわたって長手方向に延び、上壁、背壁、及び下壁によって画定される。回転防止溝は、背壁内へ凹んでおり、ヨークチャネルの長さに沿って延びる。ヨークは、ヨークチャネル内に少なくとも部分的に配置されるように構成される。ヨークは、ヨークから後方に突出する舌片を含む。舌片は、ヨーク及びマスクフレームがともに結合されるとき、回転防止溝内に配置されるように構成される。回転防止溝と舌片との間の相互作用は、マスクフレームからのヨークの回転係合解除を抑制するようになっている。
【００６５】
[0065]ヨークは、ヨーク後部に結合されたヨーク前部を含むことができる。舌片は、ヨーク前部から延びる前部舌片と、ヨーク後部から延びる後部舌片とを含むことができる。前部舌片は、前部舌片の上面が後部舌片の下面に当接するように、後部舌片の下に配置することができる。
【００６６】
[0066]いくつかの実施形態では、呼吸マスクシステムのマスクフレームに結合されるように構成されたヨークが、第１の横方向端から第２の横方向端へ延びる前壁と、第１の横方向端から第２の横方向端へ延びる背壁であり、前壁と背壁との間に内側空洞を画定する背壁と、前壁及び背壁の第１の横方向端に結合された第１のエンドキャップ並びに前壁及び背壁の第２の横方向端に結合された第２のエンドキャップであり、各エンドキャップが、自己調節式ヘッドギア機構の線状体を受け入れるように構成された線状体入口孔を備える、第１のエンドキャップ及び第２のエンドキャップと、内側空洞を上部ライントラック及び下部ライントラックに分割するライントラック分割具とを含む。ヨークは、第１のエンドキャップに隣り合って前壁と背壁との間に配置された第１のワッシャハウジングと、第２のエンドキャップに隣り合って前壁と背壁との間に配置された第２のワッシャハウジングとをさらに含むことができる。いくつかの実施形態では、上部ライントラックは、第１のワッシャハウジングから第２のワッシャハウジングの上の第２のエンドキャップへ延び、下部ライントラックは、第２のワッシャハウジングから第１のワッシャハウジングの下の第１のエンドキャップへ延びる。
【００６７】
[0067]ヨークは、前壁を含むヨーク前部と、背壁を含むヨーク後部とを含むことができ、ヨーク後部は、ヨーク前部に結合される。上部ライントラックは、ヨーク前部の上壁及びライントラック分割具によって少なくとも部分的に画定することができ、下部ライントラックは、ヨーク前部の下壁及びライントラック分割具によって少なくとも部分的に画定することができる。
【００６８】
[0068]いくつかの構成では、呼吸マスクシステムのための鼻シールが、本体部分を含み、本体部分は、入口を画定し、鼻シールの使用者接触面を少なくとも部分的に画定する。１対の鼻プロングが、本体部分によって支持されており、使用者の鼻孔に係合するように構成される。本体部分は、シールの上部で１対の鼻プロング間に横方向に延びるブリッジ部分を備える。ブリッジ部分は、鼻シールの前面と背面との間にブリッジ深さを画定し、ブリッジ深さは、鼻シールの全体的な深さの２分の１より小さい。
【００６９】
[0069]いくつかの構成では、鼻シールの最背部の点が、１対の鼻プロングの最背部の表面の後方に位置する。
【００７０】
[0070]いくつかの構成では、ブリッジ深さは、全体的な深さの５分の２以下である。
【００７１】
[0071]いくつかの構成では、ブリッジ深さは、全体的な深さの３分の１である。
【００７２】
[0072]いくつかの構成では、ブリッジ深さは、１５ｍｍ、１３．５ｍｍ、又は１１ｍｍ以下である。
【００７３】
[0073]いくつかの構成では、全体的な深さは、３５ｍｍ、３２．５ｍｍ、又は３０ｍｍ以下である。
【００７４】
[0074]いくつかの構成では、１ｍｍ以上の壁の厚さは、鼻シールの外側壁又は前壁に制限される。
【００７５】
[0075]いくつかの構成では、上壁と外側壁との間の移行部又は下壁と外側壁との間の移行部は、１ｍｍより小さい。
【００７６】
[0076]いくつかの構成では、鼻シールの本体部分によって画定される使用者接触面の最小の壁の厚さは、０．３ｍｍ以上である。
【００７７】
[0077]いくつかの構成では、鼻シールの本体部分によって画定される使用者接触面の最小の壁の厚さは、０．４５ｍｍ以上である。
【００７８】
[0078]いくつかの構成では、鼻シールの全体的な幅は、６５ｍｍ以下である。
【００７９】
[0079]いくつかの構成では、全体的な幅は、６１ｍｍ又は５８．５ｍｍ以下である。
【００８０】
[0080]いくつかの構成では、鼻シールの全体的な高さは、４０ｍｍ以下である。
【００８１】
[0081]いくつかの構成では、全体的な高さは、３５．５又は３５．２ｍｍ以下である。
【００８２】
[0082]いくつかの構成では、鼻シールの封止面積は、１０００ｍｍ２以下である。
【００８３】
[0083]いくつかの構成では、封止面積は、９０７ｍｍ２又は８８３ｍｍ２以下である。
【００８４】
[0084]いくつかの構成では、入口は、略Ｄ字状である。
【００８５】
[0085]いくつかの構成では、シール本体の入口にクリップアセンブリが固定され、クリップアセンブリは、鼻シールをフレームに取外し可能に接続することを可能にするように構成される。
【００８６】
[0086]いくつかの構成では、クリップアセンブリは、入口及び換気孔を画定する。
【００８７】
[0087]いくつかの構成では、換気孔は、拡散器を備える。
【００８８】
[0088]いくつかの構成では、換気孔は、クリップ部材によって画定される。
【００８９】
[0089]いくつかの構成では、換気孔のクリップ部材は、取外し可能である。
【００９０】
[0090]いくつかの構成では、入口は、１２〜１６ｍｍ又は１４ｍｍの最大の高さを有する。
【００９１】
[0091]いくつかの構成では、入口は、２５〜３０ｍｍ又は２７ｍｍの最大幅を有する。
【００９２】
[0092]いくつかの構成では、鼻シールは、フレームと組み合わせられる。このシール及びフレームアセンブリは、ヘッドギア機構をさらに備えることができる。
【００９３】
[0093]いくつかの構成では、ヘッドギア機構は、自己調節式であり、又は１つ若しくは複数の方向性ロックを備える。
【００９４】
[0094]いくつかの実施形態では、呼吸マスクシステムは、マスクフレーム及びヨークを含む。マスクフレームは、使用の際にガス導管に結合されるように構成された入口と、ヨークチャネルとを含む。ヨークチャネルは、マスクフレーム全体にわたって長手方向に延び、上壁、背壁、及び下壁によって画定される。マスクフレームは、ヨークチャネルの上壁及び下壁のうちの少なくとも１つにある少なくとも１つの凹部をさらに含む。ヨークは、ヨークチャネル内に少なくとも部分的に配置されるように構成される。ヨークは、ヨークから後方に突出する少なくとも１つの突起を含み、少なくとも１つの突起は、ヨークがヨークチャネル内に配置されるとき、少なくとも１つの凹部内に配置されるように構成される。
【００９５】
[0095]少なくとも１つの凹部及び少なくとも１つの突起は、矩形のプロファイルを有することができる。
【００９６】
[0096]いくつかの実施形態では、呼吸マスクシステムのマスクフレームに結合されるように構成されたヨークが、第１の中心コネクタを含むヨーク前部と、第２の中心コネクタを含むヨーク後部とを含む。第１及び第２の中心コネクタは、ともに結合されてヨーク前部及びヨーク後部をともに少なくとも部分的に固定するように構成される。
【００９７】
[0097]いくつかの実施形態では、第１の中心コネクタは、ヨーク前部から後方に突出する突起であり又はそのような突起を含み、第２の中心コネクタは、ヨーク後部内の開口であり又はそのような開口を含み、突起は、開口内に受け入れられるように構成される。いくつかの実施形態では、第１の中心コネクタは、ヨーク前部から後方に突出する突起であり又はそのような突起を含み、第２の中心コネクタは、ヨーク後部の前面内の凹部であり又はそのような凹部を含み、突起は、凹部内に受け入れられるように構成される。いくつかの実施形態では、ヨーク前部は、ヨーク前部の背面内へ凹んでヨーク前部の上縁部近傍でヨーク前部の長さに沿って延びる上部位置合わせ溝を含み、ヨーク背部は、ヨーク背部の前面から前方に突出する上部位置合わせビードを含み、上部位置合わせビードは、ヨーク前部及びヨーク背部がともに結合されるとき、上部位置合わせ溝内に受け入れられるように構成される。いくつかの実施形態では、ヨーク前部は、ヨーク前部の背面内へ凹んでヨーク前部の下縁部近傍でヨーク前部の長さに沿って延びる下部位置合わせ溝を含み、ヨーク背部は、ヨーク背部の前面から前方に突出する下部位置合わせビードを含み、下部位置合わせビードは、ヨーク前部及びヨーク背部がともに結合されるとき、下部位置合わせ溝内に受け入れられるように構成される。
【００９８】
[0098]いくつかの実施形態では、呼吸マスクシステムのマスクフレームに結合されるように構成されたヨークが、第１の横方向端から第２の横方向端へ延びるヨーク前部と、第１の横方向端から第２の横方向端へ延びるヨーク背部であって、ヨーク前部及びヨーク背部がともに結合され、ヨーク前部とヨーク背部との間に内側空洞を画定するヨーク背部と、ヨーク前部及びヨーク背部の第１の横方向端に結合された第１のエンドキャップ並びにヨーク前部及びヨーク背部の第２の横方向端に結合された第２のエンドキャップであって、各エンドキャップが、自己調節式ヘッドギア機構の線状体を受け入れるように構成された線状体入口孔を備える、第１のエンドキャップ及び第２のエンドキャップと、内側空洞を上部ライントラック及び下部ライントラックに分割するライントラック分割具とを含む。ヨークは、第１のエンドキャップに隣り合って前壁と背壁との間に配置された第１のワッシャハウジングと、第２のエンドキャップに隣り合って前壁と背壁との間に配置された第２のワッシャハウジングとをさらに含むことができる。いくつかの実施形態では、上部ライントラックは、第１のワッシャハウジングから第２のワッシャハウジングの上の第２のエンドキャップへ延び、下部ライントラックは、第２のワッシャハウジングから第１のワッシャハウジングの下の第１のエンドキャップへ延びる。
【００９９】
[0099]いくつかの実施形態では、上部ライントラックは、第２のエンドキャップ内へ延び、下部ライントラックは、第１のエンドキャップ内へ延びる。いくつかの実施形態では、第１及び第２のエンドキャップは、組立て中に、それぞれ前壁及び背壁の第１及び第２の横方向端にヒンジ式に取り付けられるように構成される。いくつかのそのような実施形態では、ヨーク背部は、ヨーク背部の第１の横方向端近傍でヨーク背部から後方に延びる第１の保持突起を含み、ヨーク前部は、ヨーク前部の第１の横方向端近傍でヨーク前部から前方に延びる第２の保持突起を含み、第１の保持突起は、第２の保持突起より大きい長さを有し、第１のエンドキャップは、エンドキャップの一方の側に位置し、第１の保持特徴部を受け入れるように構成された保持孔と、エンドキャップの反対側に位置し、第２の保持突起を受け入れるように構成されたノッチとを含み、組立て中に、第１の保持突起及び保持孔が係合し、次いで第１のエンドキャップは、ヨーク前部及びヨーク背部の第１の横方向端の上へ旋回して、第２の保持突起及びノッチを係合させる。いくつかの実施形態では、第１及び第２のワッシャハウジングは、Ｕ字状である。いくつかのそのような実施形態では、第２のワッシャハウジングは、上向きのＵ字状として置かれ、第１のワッシャハウジングは、下向きのＵ字状として置かれる。
【０１００】
[0100]いくつかの実施形態では、呼吸マスクシステムが、マスクフレーム及びヨークを含む。マスクフレームは、使用の際にガス導管に結合されるように構成された入口と、マスクフレーム全体にわたって長手方向に延びるヨークチャネルであり、上壁、背壁、及び下壁によって画定されるヨークチャネルとを含む。ヨークは、ヨークチャネル内に少なくとも部分的に配置されるように構成される。
【０１０１】
[0101]組立て及び製造のシステム、構成要素、及び方法の実施形態について、添付の図を参照して次に説明する。これらの図全体にわたって、同様の番号は同様又は類似の要素を指す。いくつかの実施形態、例、及び例示について以下に開示するが、本明細書に記載する本発明は、具体的に開示する実施形態、例、及び例示の範囲を超え、本発明の他の用途及び明らかな修正形態、並びにそれらの均等物を含むことができることが、当業者には理解されよう。本明細書に提示する説明で使用される術語は、本発明の特定の具体的な実施形態の詳細な説明とともに使用されているということだけで、何らかの限定的又は制限的な形態で解釈されることを意図するものではない。追加として、本発明の実施形態は、いくつかの新規な特徴を備えることができ、いずれの単一の特徴も、その所望の属性を単独で担うものではなく、本明細書に記載する本発明を実施するために本質的ではない。
【０１０２】
[0102]以下の説明では、参照のみを目的として、特定の術語を使用することができ、したがってこのような術語は、限定することを意図するものではない。たとえば、「上」及び「下」などの用語は、参照する図面における方向を指す。
【０１０３】
[0103]「頂部」、「底部」、「上部」、「下部」、「前部」、「後部」、「左」、「右」、「背部」、及び「側部」などの用語は、議論の対象である構成要素又は要素について説明する本文及び関連する図面を参照することによって明らかになる一貫しているが任意の基準系内で、構成要素又は要素の部分の向き及び／又は場所を示す。さらに、「第１」、「第２」、「第３」などの用語は、別個の構成要素について説明するために使用することができる。そのような術語は、具体的に上述した語句、それらの派生語、及び同様に重要な語句を含むことができる。
【図面の簡単な説明】
【０１０４】
【図１】ヘッドギアアセンブリ、シールアセンブリ、及びフレームアセンブリを含むマスクアセンブリの斜視図である。
【図２】図１のマスクアセンブリの正面図である。
【図３】図１のマスクアセンブリの側面図である。
【図４】図１のマスクアセンブリの背面斜視図である。
【図５】ヘッドギアアセンブリのシールアセンブリ、フレームアセンブリ、及び前部部分の分解図である。
【図６】ヘッドギアアセンブリの一形態の分解図である。
【図７】換気孔開口を有するフレームの一形態の底面図である。
【図８】図７のフレームの上面図である。
【図９】図７のフレームの背面図である。
【図１０】シールアセンブリ及びフレームアセンブリの一形態の分解図である。
【図１１】フレームの一形態の背面斜視図である。
【図１２】図１１のフレームの背面図である。
【図１３】図１１のフレームの上面図である。
【図１４】フレームが換気孔開口を有する、フレーム及びシールクリップアセンブリの一形態の横断面分解背面斜視図である。
【図１５】図１４のフレーム及びシールクリップアセンブリの横断面分解正面斜視図である。
【図１６】ともに取り付けられたときのフレーム及びシールクリップアセンブリの横断面側面図である。
【図１７】換気孔開口を有するシールクリップを含む、シールアセンブリの一形態の斜視図である。
【図１８】図１７のシールアセンブリの正面図である。
【図１９】換気孔開口及び拡散器を有するシールクリップを含む、シールアセンブリの別の形態の斜視図である。
【図２０】図１９のシールアセンブリの正面図である。
【図２１】フレーム及び拡散器の一形態の分解斜視図である。
【図２２】図２１のフレームの正面図である。
【図２３】右側が鏡像である、図２１のフレームの左側面図である。
【図２４】フレームの別の形態の上から見た斜視図である。
【図２５】フレームの別の形態の上から見た正面図である。
【図２６】フレームの別の形態の上から見た側面図である。
【図２７】ヘッドギアアセンブリのためのヨーク及びいくつかの実施形態では収集器の一形態の斜視図である。
【図２８】図２７のヨークの上面図である。
【図２９】ヨークの底面図である。
【図３０】ヨークの正面図である。
【図３１】ヨークの背面図である。
【図３２】ヨークの右側面図である。
【図３３】ヨーク及びヨークカバーの分解図である。
【図３４】組み立てられたヨーク及びフレームの正面図である。
【図３５】組み立てられたヨーク及びフレームの上面図である。
【図３６】組み立てられたヨーク及びフレームの底面図である。
【図３７】組み立てられたヨーク及びフレームの背面図である。
【図３８】組み立てられたヨーク及びフレームの左側面図である。
【図３９】ヨークとフレームの接続の概略図である。
【図４０Ａ】組み立てられたヨーク及びフレームの背面斜視図である。
【図４０Ｂ】組み立てられたヨーク及びフレームの横断面図である。
【図４０Ｃ】組み立てられたヨーク及びフレームの横断面図である。
【図４０Ｄ】組み立てられたヨーク及びフレームの横断面図である。
【図４１Ａ】ともに取り付けられたフレーム及びヨークを示す、上から見た背面斜視図である。
【図４１Ｂ】図４１Ａのフレーム及びヨークの組合せの部分底面図である。
【図４１Ｃ】図４１Ａのフレーム及びヨークの組合せを示す、下から見た部分背面斜視図である。
【図４２Ａ】フック及びポスト構成を使用してともに取り付けられたフレーム及びヨークの別の形態の背面斜視図である。
【図４２Ｂ】ヨークをフレームにどのように取り付けることができるかを示す、上から見た図４２Ａの構成の概略図である。
【図４３Ａ】ヨークをフレームにどのように取り付けることができるかを示す、上から見た図４２Ａのさらなる概略図である。
【図４３Ｂ】ヨークをフレームにどのように取り付けることができるかを示す、上から見た図４２Ａのさらなる概略図である。
【図４３Ｃ】ヨークをフレームにどのように取り付けることができるかを示す、上から見た図４２Ａのさらなる概略図である。
【図４４】図４２Ａのフレーム及びヨーク構成の別の背面斜視図である。
【図４５】フレーム及びヨーク構成の別の形態を示す、下から見た正面斜視図である。
【図４６Ａ】ともに取り付けられたときの図４５のフレーム及びヨーク構成の正面図である。
【図４６Ｂ】図４６Ａの線４６Ｂ−４６Ｂに沿って切り取られている、フレーム及びヨーク構成の横断面図である。
【図４７Ａ】フレームのチャネル内にヨークを配置する１つの方法を示す、図４５の構成の正面斜視図である。
【図４７Ｂ】フレームのチャネル内にヨークを配置する１つの方法を示す、図４５の構成の正面斜視図である。
【図４７Ｃ】フレームのチャネル内にヨークを配置する１つの方法を示す、図４５の構成の正面斜視図である。
【図４８Ａ】フレームのチャネル内にヨークを配置する方法を示す、フレーム及びヨークの別の構成の正面斜視図である。
【図４８Ｂ】フレームのチャネル内にヨークを配置する方法を示す、フレーム及びヨークの別の構成の正面斜視図である。
【図４８Ｃ】フレームのチャネル内にヨークを配置する方法を示す、フレーム及びヨークの別の構成の正面斜視図である。
【図４９Ａ】フレームのチャネル内にヨークを配置する方法を示す、フレーム及びヨークの別の構成の正面斜視図である。
【図４９Ｂ】フレームのチャネル内にヨークを配置する方法を示す、フレーム及びヨークの別の構成の正面斜視図である。
【図４９Ｃ】フレームのチャネル内にヨークを配置する方法を示す、フレーム及びヨークの別の構成の正面斜視図である。
【図５０Ａ】フレームのチャネル内にヨークを配置する方法を示す、図４８Ａの構成の側面図である。
【図５０Ｂ】フレームのチャネル内にヨークを配置する方法を示す、図４８Ａの構成の側面図である。
【図５０Ｃ】フレームのチャネル内にヨークを配置する方法を示す、図４８Ａの構成の側面図である。
【図５１Ａ】フレームのチャネル内にヨークを配置する方法を実証する、図４８Ａの構成の別の正面斜視図である。
【図５１Ｂ】図５１Ａのフレーム本体の前面の一部分を示す拡大正面図である。
【図５１Ｃ】ともに取り付けられた図５１Ａのフレーム及びヨークの正面斜視図である。
【図５２Ａ】取付けクリップ又はラッチを使用する、さらに別のフレーム及びヨーク構成の正面斜視図である。
【図５２Ｂ】取付けクリップ又はラッチを使用する、さらに別のフレーム及びヨーク構成の正面斜視図である。
【図５３Ａ】フレームのチャネル内にヨークを配置する１つの方法を実証する、磁石を備えるフレーム及びヨーク構成を示す正面斜視図である。
【図５３Ｂ】ともに連結されたときの図５３Ａのフレーム及びヨーク構成の正面図である。
【図５４Ａ】図５３Ａのフレーム及びヨーク構成の背面斜視図である。
【図５４Ｂ】図５３Ａのフレーム及びヨーク構成の別の背面斜視図である。
【図５５Ａ】フレーム及びヨーク構成のさらに別の形態の正面斜視図である。
【図５５Ｂ】フレーム及びヨーク構成のさらに別の形態の正面斜視図である。
【図５６】ともに取り付けられたときの図５５Ａのフレーム及びヨークの横断面側面図である。
【図５７Ａ】フレームのチャネル内にヨークを配置する１つの方法を実証する、図５５Ａのフレーム及びヨークの横断面側面図である。
【図５７Ｂ】フレームのチャネル内にヨークを配置する１つの方法を実証する、図５５Ａのフレーム及びヨークの横断面側面図である。
【図５７Ｃ】フレームのチャネル内にヨークを配置する１つの方法を実証する、図５５Ａのフレーム及びヨークの横断面側面図である。
【図５８】フレームのチャネル内にヨークを配置する１つの方法を実証する、図５５Ａのフレーム及びヨークの横断面側面図である。
【図５９Ａ】フレームのチャネル内にヨークを配置する１つの方法を実証する、フレーム及びヨーク構成の別の形態の分解正面斜視図である。
【図５９Ｂ】ともに取り付けられたときの図５９Ａのフレーム及びヨークの正面図である。
【図６０】組み立てられたフレーム、クッション、及びヨークの例示的な実施形態の斜視図である。
【図６１Ａ】図示の構成要素間の接続平面を示す、図６０のアセンブリの側面図である。
【図６１Ｂ】接続平面を示す、図６０〜６１Ａのアセンブリの側面横断面図である。
【図６２】使用の際にヘッドギアストラップに又はヘッドギアストラップによって印加することができる力を示す、ヘッドギアストラップの一部分を含む図６０のアセンブリの側面図である。
【図６３】図６０のフレームの正面図である。
【図６４】図６３のフレームの側面図である。
【図６５】図６３〜６４のフレームの側面横断面図である。
【図６６】図６０のヨークの上面図である。
【図６７】図６６のヨークの後面又は背面図である。
【図６８】図６６のヨークの底面図である。
【図６９】図６６のヨークの正面図である。
【図７０】図６６のヨークの側面図である。
【図７１】図６６のヨークの側面横断面図である。
【図７２】ワッシャハウジング及びエンドキャップを含む、図６６のヨークのヨーク前部部分の背面図である。
【図７３】図７３Ａは、ワッシャハウジング及びエンドキャップが除去された、ヨーク前部の背面図であり、図７３Ｂは、図７３Ａに示すヨーク前部の横方向端の拡大背面図である。
【図７４】ワッシャハウジング及びエンドキャップを含む、図６６のヨークのヨーク後部部分の正面図である。
【図７５】ワッシャハウジング及びエンドキャップが除去された、ヨーク後部の正面図である。
【図７６】ヨーク後部の下半分の背面図である。
【図７７】図７６の線７７−７７に沿って切り取られている断面図である。
【図７８】ヨーク前部の１つの横半分の背部又は内部の図である。
【図７９】ヨーク前部の横方向部分の断面図である。
【図８０】フレームに組み立てられたヨークの正面図である。
【図８１】図８０の線８１−８１に沿って切り取られている、ヨーク及びフレームの断面図である。
【図８２】フレームに結合されたヨークの概略部分断面図である。
【図８３】ヨークの代替実施形態の横方向部分の断面図である。
【図８４】図８３のヨーク後部の正面図である。
【図８５】ヨーク前部を示す、ヨークの代替実施形態の横方向部分の断面図である。
【図８６】ヨーク後部を示す、図８５のヨークの部分断面図である。
【図８７】図８５〜８６のヨーク後部の正面図である。
【図８８】ワッシャハウジングを含む、ヨーク前部を示すヨークの代替実施形態の背面図である。
【図８９】ワッシャハウジングが除去された、図８８のヨーク前部の背面図である。
【図９０】図８８〜８９のヨーク前部の側面端面図である。
【図９１】ヨークの代替実施形態の背面図である。
【図９２】図９１のヨークの端面斜視図である。
【図９３】図９１のヨークの概略断面図である。
【図９４】図９１のヨークの内部の概略図である。
【図９５Ａ】ヘッドギアアセンブリ、シールアセンブリ、及びフレームアセンブリを含む、マスクアセンブリの正面である。
【図９５Ｂ】ヘッドギアアセンブリ、シールアセンブリ、及びフレームアセンブリを含む、マスクアセンブリの背面斜視図である。
【図９６】図９５のシール（右）及び従来技術の鼻シール（左）の背面斜視図である。
【図９７】図９６のシールの背面図である。
【図９８】互いに重ね合わせた図９６のシールの背面図である。
【図９９】図９８の重ね合わせたシールの一部分の拡大図である。
【図１００】図９６のシールの正面図である。
【図１０１】図９６のシールの上面図である。
【図１０２】図９８の重ね合わせたシールの断面図である。
【図１０３】異なる厚さの領域を示す、図９６のシールの正面図である。
【図１０４】異なる厚さの領域を示す、図９６のシールの上面図である。
【図１０５】図９６のシールの背面図である。
【図１０６】図９６のシールの断面図である。
【図１０７】図９６のシールの上面図である。
【図１０８】第１のシール及び従来技術のシールは、図９６のそれぞれのシールと同じ又は実質上類似のものとすることができる、第１のシール（左）、第２のシール（中間）、及び従来技術のシール（右）の正面図である。
【図１０９】図１０８のシールの上面図である。
【図１１０】特定の深さ寸法を比較する、図１０８のシールの上面図である。
【図１１１】特定の封止面積を比較する、図１０８のシールの背面図である。
【図１１２】図１０８のシールの底面図である。
【図１１３】互いに重ね合わせた図１０８のシールの側面図である。
【図１１４】互いに重ね合わせた図１０８の第２のシール及び従来技術のシールの側面図である。
【図１１５】図１１３の重ね合わせたシールの垂直方向断面図である。
【図１１６】図１１４の重ね合わせたシールの垂直方向断面図である。
【図１１７】図１１３の重ね合わせたシールの水平断面図である。
【図１１８】第１及び第２の図１０８のシールの重ね合わせたシールの水平断面図である。
【図１１９】別法としてシールアセンブリは図１０８の第１のシールを組み込むこともできる、図１０８の第２のシールを組み込むシールアセンブリの正面図である。
【図１２０】図１１９のシールアセンブリの垂直方向断面図である。
【図１２１】図１１９のシールアセンブリの代替形態の正面図である。
【図１２２】図１２１のシールアセンブリの正面斜視図である。
【図１２３】第１のシール、第２のシール、及び従来技術のシールの追加の図である。
【図１２４】第１のシール、第２のシール、及び従来技術のシールの追加の図である。
【図１２５】第１のシール、第２のシール、及び従来技術のシールの追加の図である。
【図１２６】第１のシール、第２のシール、及び従来技術のシールの追加の図である。
【図１２７】第１のシール、第２のシール、及び従来技術のシールの追加の図である。
【図１２８】第１のシール、第２のシール、及び従来技術のシールの追加の図である。
【図１２９】第１のシール、第２のシール、及び従来技術のシールの追加の図である。
【図１３０】第１のシール、第２のシール、及び従来技術のシールの追加の図である。
【図１３１】第１のシール、第２のシール、及び従来技術のシールの追加の図である。
【図１３２】第１のシール、第２のシール、及び従来技術のシールの追加の図である。
【図１３３】組み立てられたフレーム、クッション、及びヨークの例示的な実施形態の正面図である。
【図１３４】フレームから切断された図１３３のヨークの部分斜視図である。
【図１３５】図１３３の線１３５−１３５に沿って切り取られている、組み立てられたフレーム及びヨークの断面図である。
【図１３６Ａ】図１３３のヨークのヨーク背部部分の背面図である。
【図１３６Ｂ】図１３６Ａのヨーク背部部分の正面図である。
【図１３６Ｃ】図１３３のヨークのヨーク前部部分の背面図である。
【図１３７】図１３３の線１３７−１３７に沿って切り取られている、図１３３の組み立てられたフレーム及びヨークの断面図である。
【図１３８】図１３３の線１３８−１３８に沿って切り取られている、図１３３の組み立てられたフレーム及びヨークの断面図である。
【図１３９】図１３３のクッションの断面図である。
【図１４０】ヘッドギア調節機構の構成要素を示す、ヨークの代替実施形態の部分断面図である。
【図１４１】エンドキャップをヨークの端に結合する方法を示す図である。
【図１４２】図１４１の組み立てられたエンドキャップ及びヨークの部分背面斜視図である。
【図１４３】図１３３のヨークのヨーク端の端面図である。
【図１４４】図１４３のヨーク端の上面図である。
【図１４５】図１４３の線１４５−１４５に沿って切り取られている、ヨーク端に結合されたエンドキャップの断面図である。
【図１４６】図１４５のエンドキャップの断面図である。
【図１４７】図１３３及び図１４１〜１４５のヨークの背面図である。
【図１４８】ヨーク後部の代替実施形態の正面図である。
【図１４９】図１４８のヨーク後部に結合されるように構成されたヨーク前部の代替実施形態の背面図である。
【図１５０】図１４７の線１５０−１５０に沿って切り取られている、ともに組み立てられた図１４８のヨーク後部及び図１４９のヨーク前部の断面図である。
【発明を実施するための形態】
【０１０５】
[0249]組立て及び製造のシステム、構成要素、及び方法の実施形態について、添付の図を参照して次に説明する。これらの図全体にわたって、同様の番号は同様又は類似の要素を指す。いくつかの実施形態、例、及び例示について以下に開示するが、本明細書に記載する本発明は、具体的に開示する実施形態、例、及び例示の範囲を超え、本発明の他の用途及び明らかな修正形態、並びにそれらの均等物を含むことができることが、当業者には理解されよう。本明細書に提示する説明で使用される術語は、本発明の特定の具体的な実施形態の詳細な説明とともに使用されているということだけで、何らかの限定的又は制限的な形態で解釈されることを意図するものではない。追加として、本発明の実施形態は、いくつかの新規な特徴を備えることができ、いずれの単一の特徴も、その所望の属性を単独で担うものではなく、本明細書に記載する本発明を実施するために本質的ではない。
【０１０６】
[0250]以下の説明では、参照のみを目的として、特定の術語を使用することができ、したがってこのような術語は、限定することを意図するものではない。たとえば、「上」及び「下」などの用語は、参照する図面における方向を指す。「前部」、「後部」、「左」、「右」、「背部」、及び「側部」などの用語は、議論の対象である構成要素又は要素について説明する本文及び関連する図面を参照することによって明らかになる一貫しているが任意の基準系内で、構成要素又は要素の部分の向き及び／又は場所を示す。さらに、「第１」、「第２」、「第３」などの用語は、別個の構成要素について説明するために使用することができる。そのような術語は、具体的に上述した語句、それらの派生語、及び同様に重要な語句を含むことができる。
【０１０７】
[0251]図１〜６を参照すると、本開示は、患者に呼吸療法を送達するための呼吸マスクシステム又はマスクアセンブリ１００に関する。マスクシステムは、シール及びフレームアセンブリなどのマスクインターフェース１０２と、ヘッドギアアセンブリ２００とを備えることができる。マスクインターフェース１０２及びヘッドギアアセンブリ２００は、マスクインターフェース１０２にヘッドギア２００を取り付けるための接続システムを備えることができる。マスクインターフェース１０２にヘッドギア２００を取り付けるために、様々な形態の接続システムを使用することができる。同様に、マスクインターフェース１０２は、少なくとも１つ及び場合により複数の異なるタイプのヘッドギアに結合することができる。
【０１０８】
[0252]マスクインターフェース又はシール及びフレームアセンブリ１０２は、患者の口及び／又は鼻の周り及び／又は下を封止するためのシール１０４と、シール１０４を支持してシール１０４をヘッドギア２００に取り付けるためのフレーム１０６とを備えることができる。フレーム１０６はまた、マスクインターフェース１０２を介して患者にガスを送達するためのガス導管１１０に取り付けられるように構成されたガス入口１０８を備えることができる。
【０１０９】
[0253]呼吸マスクシステムのヘッドギア２００は、患者の顔に対してマスクインターフェース１０２を保持するために使用される。ヘッドギア２００は、典型的には、マスクインターフェース１０２に取り付けられ、患者の頭部の後ろに巻き付けて、患者の顔に対してマスクインターフェース１０２を封止する。
【０１１０】
[0254]一形態では、ヘッドギアアセンブリ２００は、本明細書で後述するように、マスクインターフェース１０２に取り付けられるように構成されたヨーク又は収集器２０２を備えることができる。
【０１１１】
[0255]ヨーク２０２は、ヘッドギア２００のストラップに取り付けられるように構成することができる。図５に示す実施形態では、ヘッドギア２００は、ストラップのアセンブリを備えており、ストラップのアセンブリは、患者の頭部の後ろに巻き付くように構成された背部ストラップ２０４と、患者の頭部の上に巻き付くように構成された上部ストラップ２０６と、使用中に患者の頬に沿って延びるように構成された１対の前部ストラップ２０８とを含む。一形態では、各前部ストラップ２０８は、ヘッドギアアセンブリ２００の背部ストラップ２０４に、たとえば背部ストラップ２０４の自由端２０７又は自由端２０７に結合されたコネクタに、背部コネクタ２０５によって取り付けられる。別の形態では、背部ストラップ２０４は、使用中に患者の頬に沿って延びるように前部ストラップを形成する側部延長部を備える。
【０１１２】
[0256]一形態では、ヘッドギアは、自動的に調節可能とすること、及び／又は１つ若しくは複数の方向性ロックを組み込むことができ、方向性ロックは、比較的小さい量の抵抗でヘッドギアの長さを低減させること及びヘッドギアの長さの増大に耐えることを可能にする。いくつかの構成では、インターフェースアセンブリの着用のためにヘッドギアを長くすることを可能にするために、方向性ロックのロック力に打ち勝つことができる。いくつかの形態では、ヨークは、自動的に調節可能なヘッドギアシステムで使用される線状体のための収集器を形成することができる。この形態では、ヨークは、１つ又は複数の方向性ロックを組み込むことができ、各方向性ロックは、ワッシャ機構を備えることができ、ワッシャ機構は、ヘッドギアの伸長中は線状体に摩擦係合するように構成することができるが、ヘッドギアの後退中は比較的摩擦のない動きを可能にする。ワッシャ機構は、ヨーク／収集器の端に組み込むことができ、ヨーク／収集器の本体は、本体内に線状体を受け入れるために、実質上中空とすることができる。ヘッドギア又はその任意の部分は、全体が参照により本明細書に組み込まれている、２０１５年９月１６日に出願された本出願人の米国特許出願公開第２０１６／００８２２１７号、米国特許出願第１４／８５６，１９３号、及び国際出願第ＷＯ２０１６／０４３６０３号に開示されている実施形態のいずれかによって構成することができる。
【０１１３】
[0257]各前部ストラップ２０８は、自由端を備えることができ、自由端にはコネクタ２０９を取り付けることができる。各コネクタ２０９は、ヨーク２０２に位置する相補形のストラップコネクタ２０３に係合することができる。ヨーク２０２は、実質上細長く、ヨーク２０２の各端又はその付近に位置するストラップコネクタ２０３を備えることが好ましい。
【０１１４】
[0258]前部ストラップ２０８とヨーク２０２との間の接続は、スナップ嵌め接続、ねじ及びねじ山型の接続、又はフック形の接続など、任意の適した接続形態とすることができる。一形態では、図６に示すように、各ストラップコネクタ２０３は、ヨーク２０２の各端に位置するキャップ２１０を備える。各キャップ２１０は、スナップ嵌め配置で前部ストラップ２０８のコネクタ２０９を受け入れてヨーク２０２をヘッドギアアセンブリ２００の前部ストラップ２０８に取り付けるように構成された開口又は凹部などの開口部を備えることができる。
【０１１５】
[0259]上述したように、ヨーク２０２はまた、マスクインターフェース１０２のフレーム１０６に取り付けられるように構成することができる。一形態では、フレーム１０６は、ヨーク２０２及びフレーム１０６がともに取り付けられるとき、ヨーク２０２の少なくとも一部分を受け入れるように構成された凹状領域を備えることができる。
【０１１６】
[0260]図７〜２６を参照して、様々な形態のマスクインターフェース１０２についてさらに詳細に次に説明する。
【０１１７】
[0261]マスクインターフェース１０２は、フレーム１０６を備えることができ、フレーム１０６は、第１の表面又は前面１１２及び実質上反対側の第２の表面又は背面１１４を備える本体を有する。フレーム１０６はまた、ガス導管及び出口換気孔１４０に取り付けるために開いているガス入口１０８を備えることができる。
【０１１８】
[0262]一形態では、フレーム１０６は、ガス入口１０８が垂直方向から約１０〜４５°の角度を付けるように構成される。この構成では、ガス導管１１０は、患者の下顎から快適に離れるが、マスクインターフェースを患者の顔から引き離すのに十分なトルクを生じさせるほど遠すぎないように位置することができる。
【０１１９】
[0263]マスクインターフェース１０２は、前面又は遠位面及び背面又は近位面を有するシール１０４を備えることができる。シールの背面は、使用中に患者の顔を実質上封止するように構成することができる。シールは、患者の口、鼻、又は両方を覆うように構成することができる。一形態では、シールは、患者の鼻孔を実質上封止する鼻ピローを備える。シール１０４はまた、フレーム１０６のガス入口開口部１０８と実質上一致するガス入口開口部１１８を備えることができる。フレーム１０６及びシール１０４は、各部分のガス入口開口部が互いに実質上位置合わせされてマスクインターフェースにガス入口を提供するように、ともに嵌合することができる。別の形態では、マスクインターフェースは、高流量療法のために構成された鼻カニューレなどの非封止式インターフェースである。
【０１２０】
[0264]一形態では、フレーム１０６のガス入口開口部１０８は、実質上連続する縁部によって画定することができる。この縁部は、フレーム１０６の背面から突出するシールフランジ１２０によって提供することができる。シール１０４又はシールアセンブリは、シールをフレームに取り付けるためのシールフランジ１２０を封止するように構成することができる。
【０１２１】
[0265]一形態では、シール１０４及び１つ又は複数のシールクリップ１２２を備えるシールアセンブリが、フレームのシールフランジ１２０に取り付けられるように構成される。図１０に示す実施形態では、シールアセンブリは、実質上連続するリップ１２４によって画定されたガス入口開口部を有するシールを備える。リップは、リップが実質上連続するフランジ又は一連のフランジを形成するように、ガス入口開口部全体の周りに延びることができ、又はリップ内に１つ若しくは複数の間隙を形成することができる。リップ１２４とシール１０４の前面１２８との間には、チャネル１２６を形成することができる。シールは、たとえばシリコン又はゴムなど、張力を受けて伸縮することができるが張力が除去された後にその元の形状に実質上戻る伸縮性の弾性材料から形成することができる。シールのガス入口開口部１０８のリップ１２４は、フレーム１０６のシールフランジ１２０の周りに伸縮するように構成することができ、その結果、ガス入口開口部１０８の内面が、シールフランジ１２０の外面を実質上取り囲んで封止する。シールアセンブリはまた、伸縮性を有するがきつく嵌合するシールクリップ又はリング１２２を備えることができ、シールクリップ１２２は、シールフランジに対してシールを締め付けるように、リップのチャネル１２６内に位置決めすることができる。
【０１２２】
[0266]任意選択で、シールフランジ１２０及び／又はシール１０４は、フレーム１０６へのシール１０４の配置及び／又は取付けを助けるために、１つ又は複数の取付け特徴部を備える。たとえば、フレーム１０６は、シールがフレームに対して回転すること及びシールがシールフランジから引き外されることを防止するのを助けるために、シール内に設けられた１つ又は複数の凹部内に保持されるように構成された１つ又は複数の突出部を備えることができる。典型的には、１つ又は複数の突出部は、シールフランジに設けられ、シールのガス入口開口部の内面に、１つ又は複数の対応する凹部が設けられる。別法として、これらの凹部は、フレームに位置することもでき、突出部が、シールに位置することもできる。さらに別の形態では、シールフランジの外面に１つ又は複数の凹部を設けることができ、シールのリップは、シールが不注意でシールフランジから引き外されることを防止するのを助けるために、凹部（複数可）内に位置するように構成される。本開示の範囲から逸脱することなく、シールをフレームに取り付ける他の適した形態を使用することもできることが想定される。
【０１２３】
[0267]別の形態では、シールアセンブリは、シール１０４、内側クリップ１２２ａ、及び外側クリップ１２２ｂを備えることができる。内側及び外側クリップは、ガス入口１０８を形成する開口部を画定するカラー又はリングを形成することができる。ガス入口１０８は、フレームの形状及び寸法と実質上同じ形状及び寸法とすることができる。内側クリップ１２２ａは、シールフランジ１２０の外面を実質上取り囲んで封止するように構成された内面を備えることができる。
【０１２４】
[0268]一形態では、内側クリップの内面の実質上反対側に、１つ又は複数の突出部（たとえば、たとえば図１５に示す突起１３０に類似）が位置しており、内側クリップ１２２ａがシールフランジの上に押し込まれるとき、シールフランジのスナップ凹部（たとえば、たとえば図１３に示すスナップ凹部１３２に類似）内に受け入れられるように構成される。他の形態では、シールフランジの外面は、内側クリップ又はシールの内面に位置する１つ又は複数の凹部内に受け入れられるように構成された１つ又は複数の突出部を備えることができる。内側クリップ１２２ａは、きつく嵌合する内側クリップ１２２ａをシールフランジ１２０の上に押し込むことを助けるように、伸縮性又は半伸縮性の材料から形成することができる。
【０１２５】
[0269]内側クリップ１２２ａは、シール１０４を内側クリップ１２２ａに、したがってフレーム１０６に取り付けるためのシールロケータを備えることができる。シールロケータは、シールに位置する１つ又は複数のフック、フランジ、又は他の突出部、開口部、若しくは凹部に係合してシール及び内側クリップをともに取り付けることができる１つ又は複数のフック、フランジ、又は他の突出部を備えることができる。代替の取付け形態も適していることが想定される。
【０１２６】
[0270]図１４〜１６に示すように、外側クリップ１２２ｂは、内側クリップ１２２ａに係合してシールロケータを形成することができ、シールロケータはチャネル１３４を備え、チャネル１３４内にシール１０４の一部分を保持して、シール１０４をクリップ１２２ａ、１２２ｂに、したがってフレーム１０６に取り付けることができる。たとえば、内側クリップの外面は、内側クリップの外周部の少なくとも一部分に延びるフック付きフランジ１３６を備えることができる。フック付きフランジは、内側クリップ１２２ａの外周部全体に延びることが好ましい。また、フック付きフランジ１３８が、外側クリップ１２２ｂの少なくとも一部分の周りに延びることができ、又は外側クリップ１２２ｂの外周部全体に延びることができることが好ましい。内側及び外側クリップは、各クリップのフック付きフランジが互いの方を向き、フランジ間にシールチャネル１３４を形成するように、ともに連結するように構成することができる。シールチャネルは、実質上逆「Ｔ」字形のような形状とすることができる。シールは、実質上連続するリップによって画定された入口／出口開口部を備えることができる。シールリップは、横断面で見たとき、「Ｔ」字形を形成することができ、シールをクリップアセンブリに押し込むことによって、シールチャネル内に嵌合するように寸法設定することができる。このようにして、フレーム及びシールアセンブリをともに取り付けて、フレームとシールとの間に延びるガス入口を形成することができる。任意選択で、マスクフレームは、図７に示すようにフレームの前面などのフレームの本体内又は図２４に示し本明細書で後述するようにフレームの凹状領域内に形成された出口換気孔１４０を備える。
【０１２７】
[0271]一形態では、図１１〜２０に示すように、マスクインターフェースは、ガス入口１０８付近に又はガス入口１０８に隣り合って位置する出口換気孔１４０を備えることができる。たとえば、フレームは、フレームの背面から突出するフランジを備えることができ、フランジは、実質上連続する縁部を提供して、フレーム内に開口部を画定する。開口部の実質上連続する縁部の２つの実質上反対側の点同士の間に、分離器１４２が延びて、この開口部をガス入口又は入口開口１０８と、隣り合う出口換気孔又は換気孔開口１４０とに分離することができる。
【０１２８】
[0272]フランジのうちガス入口１０８に隣り合う部分は、フランジのうち出口換気孔に隣り合う部分より、フレームの背面からさらに突出することができる（すなわち、より深くすることができる）。分離器１４２はまた、フレームの背面から突出することができ、さらに突出するフランジに連結することができ、その結果、分離器１４２及びフランジは、シールフランジ１４４をともに形成する。シールフランジ１４４は、ガス入口１０８の周りに実質上連続する縁部を提供する。本明細書では、図１１〜１３に示すように、シールフランジのうち分離器１４２によって形成される部分を上部シールフランジ１４３と呼ぶ。本明細書では、突出するフランジのうち出口換気孔１４０に隣り合う区域を換気孔フランジ１４６と呼ぶ。
【０１２９】
[0273]任意選択で、シールフランジ１４４及び／又は換気孔フランジ１４６は、シールをフレームに配置すること及び／又はシールをフレームに取り付けることを助けるように構成された１つ又は複数の取付け特徴部を備える。一形態では、これらの取付け特徴部は、シール又はシールアセンブリに設けられた１つ又は複数の対応する突出部及び／又は凹部に係合するように構成された１つ又は複数の凹部及び／又は突出部を備えることができる。たとえば、シールフランジ１４４は、図１３に示すように、シールフランジ１４４の外面の実質上反対側の側に位置するスナップ凹部１３２を備えることができる。各スナップ凹部１３２は、シール又はシールアセンブリをシールフランジに対して定位置に保持するのを助けるために、シール又はシールアセンブリの内面（たとえば、図示のように、シールクリップ１２２又は内側クリップ１２２ａ）から延びる１つ又は複数の突出部（たとえば、図１５に示す突起１３０）を受け入れるように構成される。
【０１３０】
[0274]シール又はシールアセンブリは、シールフランジ１２０を封止することによって、フレームに取り付けることができる。
【０１３１】
[0275]一形態では、シールアセンブリは、上述したように、シール１０４、内側クリップ１２２ａ、及び外側クリップ１２２ｂを備える。この形態では、内側及び外側クリップはそれぞれ、開口部を有するカラー又はリングを備えるが、内側クリップはまた、内側クリップの開口部にかかってこの開口部をガス入口開口１１８及び換気孔開口１５０に分離する分割具１４８を備えることもできる。入口開口１１８及び換気孔開口１５０は、フレーム１０６のガス入口１０８及び出口換気孔１４０と実質上同じ形状及び寸法とすることができる。内側クリップ１２２ａは、シールフランジ１４４及び換気孔フランジ１４６の両方の外面を実質上取り囲むように構成された内面を備えることができる。この位置で、内側クリップ１２２ａの分割具１４８は、図１６に最もよく示すように、上部シールフランジ１４３全体にわたって延びることができる。内側クリップ１２２ａは、シールフランジ１４４の外面に対するシールを形成するために、シールフランジ１４４の上に押し込むことができるように構成される。内側クリップ１２２ａのうち換気孔開口１４０を取り囲む残り部分は、フレーム１０６の出口換気孔１４０を封止することができ、又は単に出口換気孔１４０に当接することができる。換気孔開口１５０と出口換気孔１４０との間にシールを形成する必要はない。したがって、フレームへのシールアセンブリの嵌合が簡略化される。追加として、換気孔フランジ１４６の深さは、シールフランジ１４４と同じ深さである必要はなく、その結果、フレームの嵩を最小化又は低減させることができる。
【０１３２】
[0276]１つ又は複数の突出部１３０が、内側クリップ１２２ａの内面の実質上反対側の側に位置することができ、内側クリップ１２２ａがシールフランジ１４４及び換気孔フランジ１４６の上に押し込まれるとき、シールフランジ１４４のスナップ凹部１３２内に受け入れられるように構成される。他の形態では、シールフランジ１４４及び／又は換気孔フランジ１４６の外面は、内側クリップ１２２ａ又はシール１０４の内面に位置する１つ又は複数の凹部内に受け入れられるように構成された１つ又は複数の突出部を備えることができる。
【０１３３】
[0277]少なくとも１つの実施形態では、内側クリップ１２２ａは、テーパ嵌めによってシールフランジ１４４に接続することができる。シールフランジ１４４は、シールフランジ１４４が入口１０８から離れて後方に延びるにつれて先細りする。内側クリップ１２２ａは、内側クリップ１２２ａの遠位開口部が内側クリップ１２２ａの近位開口部より大きくなるように、対応する反対向きのテーパを含むことができる。
【０１３４】
[0278]別の実施形態では、内側クリップ１２２ａは、きつく嵌合する内側クリップ１２２ａをフレーム１０６のシールフランジ１４４及び換気孔フランジ１４６の上に押し込むことを助けるように、伸縮性又は半伸縮性の材料から形成することができる。
【０１３５】
[0279]内側クリップ１２２ａは、シール１０４を内側クリップ１２２ａに、したがってフレーム１０６に取り付けるためのシールロケータを備えることができる。シールロケータは、シールに位置する１つ又は複数のフック、フランジ、又は他の突出部、開口部、若しくは凹部に係合してシール１０４及び内側クリップ１２２ａをともに取り付けることができる１つ又は複数のフック、フランジ、又は他の突出部を備えることができる。代替の取付け形態も適していることが想定される。
【０１３６】
[0280]上述したように、外側クリップ１２２ｂは、内側クリップ１２２ａに係合してシールロケータを形成することができ、シールロケータはチャネル１３４を備え、チャネル１３４内にシール１０４の一部分を保持して、シール１０４をクリップ１２２ａ、１２２ｂに、したがってフレーム１０６に取り付けることができる。たとえば、内側クリップ１２２ａの外面は、内側クリップ１２２ａの外周部の少なくとも一部分に延びるフック付きフランジ１３６を備えることができる。フック付きフランジは、内側クリップ１２２ａの外周部全体に延びることが好ましい。また、フック付きフランジ１３８が、外側クリップ１２２ｂの少なくとも一部分の周りに延びることができ、又は外側クリップ１２２ｂの外周部全体に延びることができることが好ましい。内側クリップ１２２ａ及び外側クリップ１２２ｂは、各クリップのフック付きフランジ１３６、１３８が互いの方を向き、フランジ１３６、１３８間にシールチャネル１３４を形成するように、ともに連結するように構成することができる。シールチャネル１３４は、実質上逆「Ｔ」字形のような形状とすることができる。シールは、実質上連続するリップによって画定された入口／出口開口部を備えることができる。シールリップは、横断面で見たとき、「Ｔ」字形を形成することができ、シール１０４をクリップアセンブリに押し込むことによって、シールチャネル１３４内に嵌合するように寸法設定することができる。このようにして、フレーム１０６及びシールアセンブリをともに取り付けて、フレームとシールとの間に延びるガス入口及び出口換気孔を形成することができる。
【０１３７】
[0281]一形態では、マスクインターフェース１０２はまた、拡散器１５２を備える。拡散器１５２は、出口換気孔１４０内に恒久的又は取外し可能に位置することができる。拡散器は、フレーム１０６又はシールアセンブリ内に位置することができ、シールアセンブリが換気孔開口１５０を備えるとき、拡散器１５２は、図１９及び図２０に示すように、換気孔開口１５０内に位置することができる。拡散器１５２をシールアセンブリ内に配置することによって、シールアセンブリがフレーム１０６から取り外されて清浄にされるたびに、拡散器１５２を容易に清浄にすることができる。マスクインターフェースが睡眠無呼吸を治療するために呼吸マスクシステムとともに使用される場合、シールアセンブリ及び拡散器１５２は、毎朝と同程度に頻繁に清浄にすることができるが、他のマスク構成要素はそれほど頻繁には清浄にされない可能性が高い。
【０１３８】
[0282]追加として、拡散器１５２をシールアセンブリ内に位置決めすることによって、排気がシールアセンブリの呼吸チャンバを出るとき、排気が何らかの他のマスク構成要素に接触する前、又はノイズを生成する若しくは周囲の空気を同伴する機会を得る前に、排気が拡散される。したがって、次いでより少ないノイズ、通風／同伴、及び／又は噴射で、他のフレーム部分を通って又は他のフレーム部分の周りに、排気をさらに換気することができる。少なくともいくつかの実施形態では、排気配置を隠し、したがってより望ましいマスクの審美性を提供することが可能である。
【０１３９】
[0283]一形態では、ガス入口１０８は、実質上長円形の形状である。ガス入口１０８は、フレーム１０６の左側と右側との間に長手方向に延びることができ、したがってガス入口１０８は、その高さより幅広い。出口換気孔１４０は、フレーム１０６が使用されているとき、ガス入口１０８の上に位置することができる。別の形態では、出口換気孔１４０は、フレーム１０６が使用されているとき、ガス入口１０８の下に位置することができる。ガス入口１０８及び出口換気孔１４０は、フレーム１０６の長さに沿って実質上中心に位置することができる。
【０１４０】
[0284]図２１〜５９Ａ及び図５９Ｂを次に参照して、様々な形態のフレーム及びヨーク接続システムについて次に説明する。
【０１４１】
[0285]一形態では、フレーム１０６は、第１の表面又は前面１１２、第２の表面又は背面１１４、及びガス入口１０８を有する本体を備える。一形態では、フレーム１０６の前面１１２は、フレーム１０６の下縁部の方へ下方に角度を付けることができ、ガス入口１０８は、角度を付けた前面に形成される。フレーム１０６はまた、任意選択で、出口換気孔１４０を備えることができる。いくつかの形態では、出口換気孔１４０は、拡散器１５２を備えることができる。いくつかの形態では、フレーム１０６は、図１〜２０に示す実施形態に関連して上述した特徴を備えることができ、上述したように、シール１０４又はシールアセンブリに取り付けられるように構成することができる。
【０１４２】
[0286]フレーム１０６の前面は、ヘッドギアアセンブリ２００のヨーク２０２の少なくとも一部分を受け入れるように構成された凹状領域を備える。一形態では、凹状領域は、フレーム１０６の前面１１２の長さにわたって左から右へ延びるチャネル１５４を備える。チャネル１５４は、フレーム本体のいずれかの側から突出する延長部材１５６を備えることができる。
【０１４３】
[0287]チャネル１５４は、上面１５８を形成する第１の壁、第１の壁とは実質上反対側の下面１６０を形成する第２の壁、及び第１の壁と第２の壁との間に延びる背面を形成するチャネル床１６２によって画定することができる。チャネル１５４は、２つの側部領域又はチャネル延長部１５６を備えることができ、各側部領域は、チャネルの両端に位置し、２つの側部領域１５６間の実質上中心に、中心領域又は中間部分１６４が位置する。
【０１４４】
[0288]一形態では、チャネル１５４の背面１６２の高さは、チャネルの第１の壁と第２の壁との間の距離によって実質上画定することができる。その中心領域１６４で、チャネル１５４の背面１６２の高さは、一方又は両方の側部領域１５６におけるチャネル１５４の高さより小さくすることができる。たとえば、第２の壁又は下面１６０は、図２２に示すように、第１の壁又は上面１５８の方へ湾曲し又は角度を付けてピーク１６６を形成することができる。ピーク１６６は、チャネル１５４の長さに沿って中心点に位置することが好ましい。
【０１４５】
[0289]一形態では、チャネル１５４の下面１６０は、チャネル１５４の背面１６２の方へ内方に角度を付けることができる。
【０１４６】
[0290]一形態では、チャネル１５４の上面１５８は、チャネル１５４の背面１６２の方へ内方に角度を付けることができる。
【０１４７】
[0291]一形態では、チャネル１５４の下面１６０は、チャネル１５４の背面１６２とフレーム１０６の前面１１２との間の距離によって実質上画定される深さを有することができる。下面１６０の深さは、チャネル１５４の側部領域１５６又は端より、チャネル１５４の中心領域１６４で大きくすることができる。たとえば、下面１６０は、チャネル１５４の端１５６に向かって先細りすることができる。
【０１４８】
[0292]フレーム１０６及びチャネル１５４は、患者の鼻又は口の周りの曲線とある程度共形となるように、左から右へ実質上湾曲させることができる。別法又は追加として、フレーム１０６は、上から下へ下方に傾斜又は湾曲することができる。
【０１４９】
[0293]一形態では、フレーム１０６は、チャネル１５４の中心領域１６４の下に位置する出口換気孔１４０を備えることができる（たとえば、図２２に示す）。別の形態では、出口換気孔１４０の少なくとも一部分が、チャネル１５４内に位置することができる。さらに別の形態では、出口換気孔１４０全体が、チャネル１５４の背面１６２内など、チャネル１５４内に位置することができる。出口換気孔１４０は、フレーム１０６及び／又はチャネル１５４内に形成された単一の開口を備えることができ、又は出口換気孔１４０は、複数の開口を備えることができる。一形態では、出口換気孔１４０は、複数の小さい局所的な開口を備える。別の形態では、出口換気孔１４０は、スロットの形態の開口を備える。
【０１５０】
[0294]一形態では、チャネル１５４の下面１６０は、図２４に示すように、凹状領域１６８を備えることができる。凹状領域１６８は、下面１６０の実質上中心の領域に位置することができる。凹状領域１６８は、たとえば、下向きの曲線によって、１点で交わる下方に傾斜する表面によって、又は段が下がった領域によって、形成することができる。段が下がった領域は、下面の凹状区域と非凹状区域との間に、実質上直交する移行縁部又は傾斜する移行縁部１７０を備えることができる。凹状領域１６８は、出口換気孔１４０に実質上隣り合って位置することができる。別法又は追加として、チャネル１５４の上面１５８が、凹状領域を備えることができ、この凹状領域は、出口換気孔１４０に実質上隣り合って位置することができる。チャネルの上面及び／又は下面の凹状領域は、チャネル１５４内に形成された出口換気孔１４０から雰囲気への流体流路を提供することができる。この特徴については、本明細書で以下にさらに詳細に論じる。
【０１５１】
[0295]ヘッドギアアセンブリ２００をマスクインターフェースに取り付けるために、ヘッドギアアセンブリ２００のためのヨーク２０２の少なくとも一部分を、フレーム１０６のチャネル１５４内に保持することができる。
【０１５２】
[0296]図２７〜３３は、ヘッドギアアセンブリ２０２をフレーム１０６に取り付けるために使用することができるヨーク２０２の一形態を示す。ヨーク２０２は、任意の適した閉ループヘッドギア２００をフレームに取り付けるために使用することができる。たとえば、いくつかの形態では、ヨーク２０２は、自動調節可能又は自己調節式のヘッドギアシステムで使用される線状体又は他の芯要素のための収集器を形成することができる。この形態では、ヨーク２０２は、ワッシャ機構を備えることができ、ワッシャ機構は、ヘッドギアの伸長中は線状体に摩擦係合するように構成することができるが、ヘッドギアの後退中は比較的摩擦のない動きを可能にする。ワッシャ機構は、ヨーク／収集器の端に組み込むことができ、ヨーク／収集器の本体は、本体内に線状体を受け入れるために、実質上中空とすることができる。
【０１５３】
[0297]一形態では、ヨーク２０２は、遠位端を有する実質上細長い本体を備えることができる。ヨーク２０２は、その長さに沿って角度を付け又は湾曲させることができ、２つの側部部分２１３間に位置する中間部分２１２を備えることができる。一形態では、側部部分２１３は、中間部分２１２から延びてヨーク２０２の遠位端で終わる１対のアームを備える。
【０１５４】
[0298]ヨーク２０２は、前面２１４、背面２１６、頂面２１８、及び底面２２０を備えることができる。
【０１５５】
[0299]前面２１４は、ヨーク２０２の頂面２１８と底面２２０との間の距離によって画定される幅を有することができ、ヨーク２０２の両端間の距離によって画定される長さを有することができる。
【０１５６】
[0300]ヨーク２０２の横断面は、ヨークの長さに沿って変動することができる。たとえば、一形態では、ヨーク２０２の中間部分２１２の幅は、より薄い中心領域及び広がった端を有するヨーク２０２を生じさせるように、ヨークの側部部分２１３の幅より小さい。ヨーク２０２に薄い中心領域を提供することによって、フレーム１０６のチャネル１５４の背面１６２の高さをより薄くすることができ、以てフレーム本体に追加の空間が提供され、この空間内に、より大きいガス入口１０８が配置され、また任意選択で出口換気孔１４０も配置される。
【０１５７】
[0301]別の形態では、ヨーク２０２の中間部分２１２の頂面２１８は、底面２２０の方へ内方に湾曲させることができる。
【０１５８】
[0302]さらに別の形態では、ヨーク２０２の底面２２０は、頂面２１８の方へ内方に湾曲させることができ（たとえば、図３０に示す）、又は底面２２０は、ヨーク２０２の長さに沿って実質上同じ平面内に位置することができる。
【０１５９】
[0303]一形態では、ヨーク２０２の中間部分２１２の前面２１４又は遠位面は、ヨーク２０２の頂面２１８から底面２２０へ後方に傾斜することができる。
【０１６０】
[0304]一形態では、ヨーク２０２の側部部分２１３の前面２１４は、ヨークの頂面２１８から底面２２０へ前方に傾斜することができる。
【０１６１】
[0305]別の形態では、側部部分２１３の前面２１４は、ヨーク２０２の底面２２０及び／又は頂面２１８に実質上直交することができる。
【０１６２】
[0306]一形態では、ヨークの側部部分２１３の頂面２１８及び／又は底面２２０は、ヨーク２０２が使用中にフレーム１０６内に位置するとき、実質上水平平面内に位置するように構成することができる。この構成では、側部部分２１３は、有用な把持領域を提供することができ、この把持領域によって、使用者はヨーク２０２を保持及び操作することができる。
【０１６３】
[0307]一形態では、ヨーク２０２の中間部分２１２の頂面２１８は、背面２１６から前面２１４へ下方に傾斜することができる。一形態では、ヨーク２０２の中間部分２１２の底面２２０は、前面２１４から背面２１６へ上方に傾斜することができる。ヨーク２０２のこれらの形態をどちらも組み合わせたとき、ヨークの本体は、その背面に向かって先細りする。
【０１６４】
[0308]ヨーク本体の少なくとも一部分は、図３３に示すように、布カバー２２２内に覆うことができる。布カバー２２２は、少なくとも１つの方向に実質上伸縮性を有するニット生地であることが好ましい。また、この布は、しわにならないことが好ましい。布カバー２２２は、ヨーク２０２をフレーム１０６に取り付けるためにヨーク２０２及びフレーム１０６が互いに係合する堅い表面を備えるいくつかの形態で必要とされることがある高精度の製造を必要とすることなく、ヨーク２０２とフレーム１０６との間に滑合を提供するのを助けることができる。
【０１６５】
[0309]布カバー２２２は、たとえばヨーク２０２の上に嵌合するシース、布包装材、又は布被覆材など、任意の適したカバーとすることができる。一形態では、ヨーク２０２は、布カバー２２２内に射出成形することができる。
【０１６６】
[0310]ヨーク２０２は、ヨーク２０２をフレーム１０６に正確に配置するためにフレーム１０６に当接するように構成された１つ又は複数の位置合わせ表面２２４を提供するように構成することができる。一形態では、ヨーク２０２は、１対の位置合わせ表面２２４を備えることができ、各位置合わせ表面２２４は、ヨーク２０２の側部部分又はその付近に位置しており、フレーム１０６の左側及び右側の対応する位置合わせ表面に当接するように構成される。
【０１６７】
[0311]ヨーク２０２の位置合わせ表面２２４は、ヨーク２０２の背面２１６、ヨーク２０２の頂面２１８、ヨーク２０２の底面２２０、又は背面２１６、頂面２１８、及び底面２２０のうちのいずれか２つ以上から突出することができる。一形態では、ヨーク２０２の少なくとも１つの側部部分２１３の頂面２１８、背面２１６、及び底面２２０は、ヨーク２０２の中間部分２１２の頂面２１８、背面２１６、及び底面２２０を越えて延びる。ヨーク２０２の中間部分２１２及び側部部分２１３の頂面、背面、及び底面間に形成される各移行面は、位置合わせ表面２２４を備える。この形態では、図３４〜４０に示すように、ヨーク２０２の中間部分２１２は、フレーム１０６のチャネル１５４内に位置することができ、位置合わせ表面２２４は、フレームに設けられた対応する位置合わせ表面に当接することができる。一形態では、チャネル１５４の外縁部が、フレーム１０６の対応する位置合わせ表面を形成する。
【０１６８】
[0312]一形態では、上述したように、チャネル１５４の背面１６２に出口換気孔１４０が設けられ、チャネル１５４の下面１６０に凹状領域１６８が設けられる。この形態では、ヨーク２０２がチャネル１５４内に保持されるとき、ヨーク２０２とチャネル１５４の凹状下面１６８との間に間隙が形成される。出口換気孔１４０及び隣り合う間隙は、ガスがマスクインターフェースから出ることができる流体流路を形成する。追加又は別法として、ヨーク２０２とチャネル１５４の上面との間に間隙を設けて、ガスがマスクインターフェースから出ることができる第２又は代替の流体流路を形成することができる。
【０１６９】
[0313]フレーム１０６の取付けチャネル１５４内に出口換気孔１４０を設けることによって、フレームのサイズを比較的小さく保つことができる。さらに、これらの形態がまた、フレーム１０６の一方の側から他方の側へ長手方向に延びる長円形の形状を有するガス入口１０８を備える場合、フレーム１０６の高さを最小化又は低減させて、より小型で実質上低プロファイルのマスクインターフェースを提供することができる。
【０１７０】
[0314]ヨーク２０２をフレーム１０６に取り付けるために、多くの異なる選択肢が存在する。たとえば、ヨーク２０２及びフレーム１０６のチャネル１５４は、中間部分２１２などのヨーク２０２の少なくとも一部分をチャネル１５４内へ簡単に押し込むことができ、ヨーク２０２とフレーム１０６との間の摩擦力及び／又は締付け力によって、チャネル１５４内にぴったりと保持することができるように構成することができる。ヨーク２０２が布カバー２２２を備える場合、カバー２２２は、ヨーク２０２をチャネル１５４内でぴったりと保持するために、図３９に示すように、ヨーク２０２の壁とチャネル１５４の壁との間の何らかの間隙１７２（たとえば、チャネル１５４がヨーク２０２の高さＨＹより大きい高さＨＣを有するため）を埋めるのを助けることができる。布カバー２２２はまた、ヨーク２０２を定位置に保持する摩擦力を増大させることができる。
【０１７１】
[0315]図４０Ａ〜４０Ｄは、少なくとも１つの実施形態による組み立てられたヨーク２０２及びフレーム１０６の横断面図である。図４０Ａは、フレーム１０６のチャネル１５４内の正確な位置で保持されたヨーク２０２を示す。図４０Ｂ〜４０Ｄは、ヨーク２０２（及びチャネル１５４）の横断面がその長さに沿ってどのように変化することができるかを示す。たとえば、ヨーク２０２の側部部分２１３は、図４０Ｂに示すように、実質上矩形の横断面を有することができ、ヨーク２０２の横断面は、図４０Ｄに示すように、ヨーク２０２の中間部分２１２でより台形の形状になるように変化することができる。言い換えれば、ヨーク２０２に沿って端から中間部分２１２へ動くと、ヨーク２０２の本体は、背面１６２に向かって徐々に先細りし、ヨーク２０２の中間部分２１２でその最大の先細りに到達する。この構成は、フレーム１０６のチャネル１５４内にヨーク２０２を配置して中心合わせすることを助ける。チャネル１５４の形状は、チャネル１５４の側部領域と中心領域との間の類似の変形に追従することができる。
【０１７２】
[0316]図４０Ａ〜４０Ｄに示すこの形態では、ヨーク２０２の背面２１６の高さは、中間部分２１２で最も低くなり、ヨークの端又はその付近で最も高くなる。ヨーク２０２の中間部分２１２で、背面２１６はまた、前面２１４より低い高さになり、ヨーク２０２の端又はその付近で、前面２１４及び背面２１６は、実質上同じ高さである。ヨーク２０２の前面２１４はまた、中間部分２１２で下方及び後方に傾斜することができ、側部部分２１３で実質上垂直方向になることができる。ヨーク２０２の前面２１４がこうして徐々に捩れることで、ヨーク２０２をフレーム１０６のチャネル１５４内で定位置に保持するのを助ける。
【０１７３】
[0317]任意選択で、ヨーク２０２の中間部分２１２の高さは、側部部分２１３の高さより小さい。この形態では、出口換気孔１４０が形成されたチャネル１５４内にヨーク２０２が配置されるとき、チャネル１５４の中間部分２１２と上面１５８及び／又は下面１６０との間に間隙が提供される。この間隙は、ガスが出口換気孔１４０を通ってヨーク２０２とチャネル壁との間でマスクインターフェースから出ることができる流体流路を提供する。
【０１７４】
[0318]ヨーク２０２は、上述したように、布カバー２２２内に覆うことができる。布カバー２２２とフレーム１０６との間に生じる摩擦力及び布カバー２２２のわずかに圧縮性の性質は、ヨーク２０２をフレーム１０６のチャネル１５４内に保持することを助けることができる。
【０１７５】
[0319]図４１〜５９は、ヨーク２０２とフレーム１０６との間の様々な形態の接続システムを示す。各接続システム内で、ヨーク及び／又はフレームは、フレームのチャネル内にヨークを保持及び／又は配置することを助けるための１つ又は複数の取付け特徴部を備えることができる。
【０１７６】
[0320]一形態では、図４１Ａ〜４１Ｃに示すように、ヨーク本体は、１つ又は複数の取付け特徴部を位置決め部材の形態で備えることができる。位置決め部材は、ヨーク２０２をフレーム１０６のチャネル１５４内に位置決めすることを助けることができる。位置決め部材はまた、ヨーク２０２がフレーム１０６内で正確に向けられる（すなわち、上下正しい向きになる）ことを確実にすることを助けるように構成することができる。ヨーク本体は、１対の位置決め部材を備え、位置決め部材の１つが、ヨーク２０２の各側部部分２１３に位置することが好ましい。各位置決め部材は、ヨーク２０２の背面２１６から突出する突起２２６の形態とすることができる。各位置決め部材は、ヨーク２０２をフレーム１０６の定位置へ案内するためにフレームの対応する位置合わせ表面に当接するように構成された位置合わせ表面を備えることができる。
【０１７７】
[0321]一形態では、１対の位置決め部材が、ヨーク２０２の背面２１６又は近位面から突出することができる。位置決め部材の少なくとも１つの位置合わせ表面は、ヨーク２０２の背面２１６のうちそこから位置決め部材が突出する部分に実質上直交することができる。別法として、位置合わせ表面は、ヨーク２０２の中間部分２１２から離れる方向に背面２１６から外方へ傾斜することができる。一形態では、位置決め部材及びその位置合わせ表面は、ヨーク２０２の底面２２０に対して角度を付けた向きにすることができる。たとえば、１対の実質上反対側の位置決め部材がこのように向けられる場合、位置決め部材の位置合わせ表面は、ヨーク２０２の頂面付近より底面でともに近づく。この形態では、フレーム１０６の本体又はチャネル１５４の端は、ヨーク２０２がフレーム１０６のチャネル１５４内で保持されるときにフレーム１０６が位置合わせ表面に当接するように、実質上対応する角度で傾斜させることができる。
【０１７８】
[0322]一形態では、少なくとも１つの位置決め部材が、ヨーク２０２の端又はその付近に形成されてヨーク２０２の背面２１６から突出することができる実質上湾曲した突出部を備えることができる。湾曲した突出部は、ヨーク２０２がフレーム１０６のチャネル１５４内に保持されるときにフレーム１０６の対応する位置合わせ表面に当接するように構成された位置合わせ表面を備えることができる。たとえば、フレーム１０６は、切開領域を備えることができ、湾曲した突出部は、ヨーク２０２がフレーム１０６に配置されるとき、この切開領域内に位置することができる。
【０１７９】
[0323]少なくとも１つの位置決め部材は、ヨーク本体と一体形成することができる。
【０１８０】
[0324]一形態では、各位置決め部材は、ヨーク２０２の各端又は側部部分２１３又はその付近に位置するオーバーモールディングから形成することができる。オーバーモールディングの１つ又は複数の縁部が、１つ又は複数の位置合わせ表面を形成することができる。任意選択で、位置合わせ表面は、ヨークの中間部分２１２から側部部分２１３の方へ外方に角度を付ける。この形態では、それに対応して、フレーム本体の外縁部は、フレーム１０６がヨーク２０２のオーバーモールド部分間にぴったりと嵌合するように角度を付けることができる。
【０１８１】
[0325]一形態では、一方の位置決め部材が、フック２２８を備えることができ、他方の位置決め部材が、ポスト２３０を備えることができる。たとえば、図４２Ａ〜４４に示すように、フック２２８が、ヨーク２０２の一方の側部部分２１３の背面２１６から突出することができ、ポスト２３０が、他方の側部部分２１３の背面２１６から突出することができる。フレーム１０６のチャネル１５４内に、ポスト開口２３２を設けることができる。
【０１８２】
[0326]ヨーク２０２をフレーム１０６に取り付けるために、フレーム１０６の一方の縁部をフック２２８の下に摺動させて、ヨーク２０２の一方の端をフレーム１０６に取り付ける。ヨーク２０２は、ポスト２３０がポスト開口２３２と位置合わせされるように操作される。次いで、ヨーク２０２の自由端をフレーム１０６のチャネル１５４内へ押し込み、ポスト開口２３２を通ってポスト２３０を突出させる。
【０１８３】
[0327]ポスト２３０はまた、フック２２８の方向を向いている張出し部２３４を備えることができる。この形態では、上述したように、ヨーク２０２をチャネル１５４内へ押し込んだ後、ヨーク２０２をフック２２８の方向に押すことができ、その結果、ポスト張出し部２３４がフレーム１０６の背面の上に引っ掛かる。
【０１８４】
[0328]フレーム１０６及びヨーク２０２の接続システムの別の形態では、ヨーク本体は、その長さに沿って実質上伸縮性の材料を備えることができ、ヨーク２０２は、呼吸マスクシステムのフレーム１０６に設けられた１つ又は複数の対応する取付け特徴部に係合するための１つ又は複数の取付け特徴部を備えることができる。たとえば、伸縮性のヨーク本体は、フレーム１０６に設けられた対応するフック、凹部、又は開口部に係合するように構成されたフックを備える少なくとも１つの取付け特徴部を備えることができる。
【０１８５】
[0329]別の形態では、フレーム１０６及びヨーク２０２は、フレーム１０６のチャネル１５４内にヨーク２０２を保持及び／又は配置することを助けるために、互いに係合するように構成されたオス形取付け部材及びメス形取付け部材を備えることができる。たとえば、ヨーク２０２は、突出部の形態のオス形部材を備えることができ、このオス形部材は、フレーム１０６に設けられた開口又は凹部の形態のメス形部材内に保持されるように構成される。追加又は別法として、オス形部材は、フレーム１０６に設けることができ、メス形部材は、ヨーク２０２に設けることができる。
【０１８６】
[0330]一形態では、ヨーク２０２の背面２１６は、突出部の形態の１対のオス形取付け部材を備えることができ、この１対のオス形取付け部材は、フレーム１０６のチャネル１５４の背面１６２に設けられた１対の対応するメス形取付け開口又は凹部を通って突出するように構成される。ヨーク２０２は、１対の突出部を備え、１つが、各側部部分２１３など、フレーム１０６を垂直方向に通過する仮想中心線のいずれかの側に位置することが好ましい。この形態では、チャネル１５４の背面１６２の各側部領域に、取付け開口が位置することができる。
【０１８７】
[0331]図４５〜４７Ｃは、オス形取付け部材及びメス形取付け部材を使用するフレーム１０６及びヨーク２０２の接続システムの一例を示す。この形態では、ヨーク２０２は、ヨークの頂面２１８から突出するタブ又はフランジ２３４の形態のオス形取付け部材を備えることができる。タブ２３４は、ヨーク２０２の中間部分２１２から突出することが好ましい。一形態では、突出するタブ２３４は、実質上ヨーク２０２の長さに沿って延びることができる。
【０１８８】
[0332]チャネル１５４の上面１５８は、タブ２３４を受け入れるように構成された凹部又は開口２３６を備えることができる。この形態では、図４７Ａ〜４７Ｃに示すように、ヨーク２０２は、チャネル１５４内へ上方に押し込まれ、その結果、タブ２３４が凹部２３６内に押し込まれる。次いで、ヨーク２０２を押し戻すことができ、その結果、ヨーク２０２の背面２１６が、チャネル１５４の背面１６２に実質上当接する。図４６Ｂに示すように、ヨークの底面とチャネル１５４の下面との間に、間隙１７３が存在することができる。任意選択で、ヨーク２０２はまた、フレーム１０６の対応する表面に当接する位置合わせ表面を有する位置決め部材を備える。
【０１８９】
[0333]図４８Ａ〜５１Ｃは、フレーム１０６及びヨーク２０２の接続システムの別の形態を示す。この形態では、フレーム１０６は、チャネル１５４の中心領域を部分的に覆うように下方に突出するタブ２３８を備える。フレーム本体の前面１１２は、チャネル１５４の下に、フレーム１０６の側部に向かって先細りする逃げ面２４０を備えることができる。チャネル１５４の下面１６０もまた、チャネル１５４の端に向かって先細りすることができる。図示のように、先細りした下面２４２が、凹状下面１６８からフレーム１０６及び／又はチャネル１５４の横方向縁部へ延びることができる。ヨーク２０２及びフレーム１０６をともに嵌合させるために、ヨーク２０２は、ヨーク２０２の本体がチャネル１５４内でタブ２３８の後ろに位置するように、チャネル１５４内へ角度が付けられる。この構成では、タブ２３８は、ヨーク２０２の前面２１４の一部分を覆い、ヨーク２０２をチャネル１５４内で定位置に保持する。チャネル１５４の先細りした逃げ面２４０及び下面１６０は、ヨーク２０２の湾曲した又は角度が付けられた本体を下からチャネル１５４内へ移動させるための空間を提供することを助ける。この場合も、ヨーク２０２は、ヨーク２０２をフレーム１０６に位置決めすることを助けるために、位置合わせ表面を備えることができる。
【０１９０】
[0334]図５２Ａ及び図５２Ｂは、フレーム１０６及びヨーク２０２の接続システムのさらに別の形態を示す。この形態では、ヨーク２０２をフレーム１０６に取り付けるために、１つ又は複数のラッチ又はクリップ２４４を使用することができる。各ラッチ２４４は、フレーム１０６に固定して又は取外し可能に取り付けることができ、開放位置と閉鎖位置との間でヒンジ式に取り付けることができる。開放位置で、ラッチ２４４の一方の端がフレーム１０６に取り付けられ、フレーム１０６のチャネル１５４は開いている。ヨーク２０２は、チャネル１５４内の定位置に押し込むことができ、次いでラッチ２４４は、ヨーク２０２及びチャネル１５４の上に閉じることができる。閉鎖位置で、ラッチ２４４は、チャネル１５４及びその中のヨーク２０２全体にわたって延びる。各ラッチ２４４の自由端は、フレーム１０６に設けられたロックに係合して、ラッチ２４４を閉鎖位置で保持する。
【０１９１】
[0335]一形態では、ラッチ２４４は、チャネル１５４の上でフレーム本体の上部部分からヒンジ式に開閉し、チャネル１５４全体にわたって延びて、チャネル１５４の下でフレーム本体の下部部分に設けられたロックに係合するように構成される。代替の構成では、ラッチ２４４は、フレーム１０６の下部部分からヒンジ式に開閉し、チャネル１５４全体にわたって延びて、フレーム１０６の上部部分のロックに係合する。
【０１９２】
[0336]ラッチ２４４は、ロック部材を備えることができ、ロック部材は、突起２４６の形態とすることができ、突起２４６は、ラッチ２４４を閉鎖位置で保持するために、ラッチ係合凹部２４８の形態とすることができるロックに係合するように構成される。１対のラッチ２４４が設けられ、チャネル１５４の中心領域１６４のいずれの側にも、１つのラッチ２４４が位置することが好ましい。
【０１９３】
[0337]別の形態では、ロックは、ヨーク２０２の前面２１４に設けられる。この形態では、ラッチ２４４の一方の端が、フレーム１０６からヒンジ式に開閉し、他方の端が、ヨーク２０２に設けられたロックに係合して、ヨーク２０２をチャネル１５４内で保持する。
【０１９４】
[0338]図５３Ａ〜５８は、磁石の形態の取付け特徴部を使用するフレーム１０６及びヨーク２０２の接続システムの別の形態を示す。「磁石」という用語は、適当な場合、強磁性体材料を含む磁性領域を含むと解釈されたい。言い換えれば、どちらの部分も磁石を備える場合、又は一方の部分が磁石を備え、他方の部分が強磁性体材料を含む磁性領域を備える場合、フレーム１０６及びヨーク２０２を互いに取り付けることが可能である。
【０１９５】
[0339]一形態では、図５３Ａ〜５４Ｂに示すように、チャネル１５４の背面１６２は、ヨーク２０２の背面に設けられた１つ又は複数の磁石に付着するように構成された１つ又は複数の磁石を備える。一形態では、チャネル１５４の背面１６２に複数の磁石が位置する。これらの磁石は、互いから等距離で隔置することができる。各チャネル磁石は、チャネル１５４の一方の端から他方の端へ延びる中心線上に位置することができる。同様に、各ヨーク磁石は、ヨーク２０２の一方の端から他方の端へ延びる中心線上に位置することができる。任意選択で、各磁石は、場合によって、チャネル１５４又はヨーク２０２内に形成された凹部２５０内に埋め込むことができる。この形態では、ヨーク２０２をフレーム１０６のチャネル１５４内に配置することができ、各部分の磁石間の磁気引力が、ヨーク２０２をチャネル１５４内で定位置に保持する。
【０１９６】
[0340]別の形態では、図５５Ａ〜５８に示すように、チャネル１５４の上面１５８は、チャネル１５４の一部分にわたって突出するタブ２５２を備えることができる。チャネル１５４の開口部の高さは、突出するタブ２５２の遠位端とチャネル１５４の下面１６０との間の距離によって画定される。図５６〜５８で最もよく見られるように、タブ２５２の後部とチャネル１５４の背面１６２との間に、凹部２５４が形成される。１つ又は複数の磁石２５１は、チャネル１５４の背面１６２で中心を外れて位置決めすることができ、その結果、各磁石２５１は、チャネル１５４の下面より上面に近い。ヨーク２０２は、その頂面から突出するフランジ２５６などの突出部を備えることができる。ヨーク本体の高さは、ヨーク２０２の底面と突出するフランジ２５６の自由上縁部との間の距離によって画定される。ヨーク本体の高さは、チャネル開口部の高さより小さい。ヨーク２０２の背面に設けられた１つ又は複数の磁石２４９は、突出するフランジ２５６の自由上縁部よりヨーク２０２の底面の近くに位置決めすることができる。この配置では、ヨーク２０２がフレーム１０６のチャネル１５４内に配置されるとき、フレーム１０６及びヨーク２０２の磁石２５１、２４９間の磁気引力により、ヨーク２０２が上方に引っ張られ、その結果、ヨーク２０２の突出するフランジ２５６は、フレーム１０６の突出するタブ２５２の後ろの凹部２５４内に位置する。このようにして、タブ２５２及び磁石２５１、２４９は、ヨーク２０２をフレーム１０６で定位置に保持する。磁石２５１、２４９がチャネル１５４内でヨーク２０２を上方に引っ張るため、ヨーク２０２の底面２２０とチャネル１５４の下面１６０との間に、間隙２５８が形成される。一形態では、チャネル１５４の背面１６２に出口換気孔１４０が位置することができ、ヨーク２０２の下に設けられた間隙２５８は、ガスが出口換気孔１４０から逃げることができる流体流路を形成する。
【０１９７】
[0341]別の形態では、図５９Ａ及び図５９Ｂに示すように、フレーム１０６は、背面と下面を備える下壁とのみを備えるチャネルを形成する凹状領域を備えることができる。チャネルは、フレームの本体全体にわたって左側から右側へ延びることができる。ヨークは、チャネル内に配置されるように構成することができる。ヨーク及びフレームは、ヨークを定位置に保持するために、１つ又は複数の取付け特徴部を備えることができる。たとえば、ヨークの底面は、１つ又は複数の突出タブ又は突起２６０を備えることができ、タブ２６０は、チャネル１５４の下面１６０に形成された１つ又は複数の対応する係合凹部２６２に係合するように構成される。別法又は追加として、１つ又は複数のタブ又は突起は、チャネルの下面から突出することができ、ヨークの底面に形成された１つ又は複数の対応する係合凹部に係合するように構成することができる。一形態では、チャネルの下面は、凹状領域２６４を備え、ヨークの底面は、ヨークがフレームのチャネル内に位置するとき、凹状領域内に位置するように構成された突出領域２６６を備える。任意選択で、チャネル１５４及びヨーク２０２の背面はそれぞれ、ヨーク及びフレームをともに取り付けるための磁石の形態の１つ又は複数の取付け特徴部を備えることができる。チャネル磁石（複数可）は、チャネルの長さに沿って延びる中心線から中心を外れて位置決めすることができ、その結果、磁石（複数可）はチャネルの下面により近くなる。同様に、ヨーク２０２は、ヨーク２０２の長さに沿って延びる中心線から中心を外れて位置決めすることができる１つ又は複数の磁石を備えることができ、その結果、これらの磁石は、ヨーク２０２の底面より頂面に近くなる。この構成では、ヨーク２０２がチャネル１５４内に位置するとき、ヨーク２０２とフレーム１０６との間の磁気引力により、ヨーク２０２は下方に引っ張られ、その結果、ヨーク２０２の底面がチャネル１５４の下面に当接する。ヨーク２０２の底面がチャネル１５４の下面１６０に当接するとき、ヨークの底面から突出するあらゆる突起が、チャネルの下面に形成された対応する凹部内に受け入れられる。同様に、チャネルの下面から突出するあらゆる突起が、ヨークの底面に形成された対応する凹部内に受け入れられる。
【０１９８】
[0342]図６０は、フレーム３００に結合されたヨーク４００及びクッション３０２の別の例示的な実施形態を示す。図６３〜６５に示すように、フレーム３００は、入口３０８、クッション接続フランジ３１４、及びヨークチャネル３１６を含む。
【０１９９】
[0343]入口３０８には、入口３０８に結合された管オーバーモールド３１８を介して、管又はガス導管を結合することができる。いくつかの実施形態では、入口３０８は、長円形の形状を有する。いくつかの実施形態では、入口は、バイアス換気孔３２０を含む。図示の実施形態では、バイアス換気孔３２０は、入口３０８の壁を通って延びる複数の孔を含む。バイアス換気孔３２０の孔は、入口３０８の円周の一部又はすべてに延びることができる。これらの孔は、入口壁を通ってレーザドリル加工することができる。
【０２００】
[0344]クッション接続フランジ３１４は、フレーム３００から後方に突出する。使用の場合、クッション３０２は、クッション３０２をフレーム３００に固定するために、クッション接続フランジ３１４に結合される。いくつかの実施形態では、クッション３０２は、たとえば図６０〜６２に示すように、クッションクリップ３０４を含み、又はクッションクリップ３０４に結合され、クッションクリップ３０４は、使用の際、クッション接続フランジ３１４に結合されて、クッション３０２をフレーム３００に固定する。いくつかの実施形態では、クッション３０２がフレーム３００に結合されるとき、クッション接続フランジ３１４は、クッション３０２内へわずかに突出する。クッション接続フランジ３１４は、クッション３０２の入口の形状又はプロファイルに整合又は対応する形状又はプロファイルを有することができる。
【０２０１】
[0345]図６３〜６５に示すように、ヨークチャネル３１６は、上壁３２２、背壁３２４、及び下壁３２６によって形成又は画定される。図示の実施形態では、ヨークチャネル３１６は、フレーム３００全体にわたって実質上水平方向に延びる。図示の実施形態では、ヨークチャネル３１６は、入口３０８の上に配置される。ヨークチャネル３１６は、使用の際にヨーク４００を受け入れるように構成される。ヨークチャネル３１６は、ヨーク４００の形状、プロファイル、及び／又は幾何形状に整合又は対応する形状、プロファイル、及び／又は幾何形状を有する。
【０２０２】
[0346]本明細書に記載するように、ヨーク４００は、ヘッドギアをフレーム３００及びクッション３０２に接続する。ヨーク４００はまた、本明細書に記載する一方向摩擦、自動調節式、又は自己調節式のヘッドギア調節機構の線状体４４２などの芯要素を収容することができる。図示の実施形態では、ヨーク４００は、頂部又は底部から見たとき、略Ｃ字状である。図示の実施形態では、ヨーク４００の高さが、横方向端（たとえば、エンドキャップ４０６及び／又はその付近）で中心より大きい。そのような構成は、マスクのサイズを全体として最小化又は低減させるのを助けることができることが有利である。
【０２０３】
[0347]図６６〜７１に示すように、図示の実施形態では、ヨーク４００は、ヨーク前部４０２、ヨーク後部４０４、及び２つのエンドキャップ４０６を含み、ヨーク４００の各横方向端に１つのエンドキャップ４０６が位置する。図示の実施形態では、ヨーク前部４０２及びヨーク後部４０４は、別個の構成要素として形成され、ともに結合されている。図示の実施形態では、ヨーク前部４０２は、頂壁４０８、前壁４０９、及び底壁４１０を含む。前壁４０９の外側又は外面は、丸くすることができる。頂壁４０８及び底壁４１０は、それぞれ前壁４０９の上縁部及び下縁部から実質上直交して延びる。したがって、頂壁４０８及び底壁４１０は互いに実質上平行である。ヨーク前部４０２は、Ｄ字状の横断面プロファイルを形成することができる。
【０２０４】
[0348]ヨーク前部４０２及びヨーク後部４０４は、スナップ嵌めを介してともに結合することができる。ヨーク後部４０４は、図７１に示すように、頂壁４０８と底壁４１０との間にスナップ嵌めされる。図示の実施形態では、ヨーク後部４０４は、ヨーク後部４０４の上縁部又は上面及び下縁部又は下面に配置されたスナップ嵌めバンプ４１２を含む。いくつかの実施形態では、スナップ嵌めバンプ４１２は、ヨーク４００の長さの一部分又は全体に沿って横方向端間に長手方向に延びる。図７１に示すように、スナップ嵌めバンプ４１２は、ヨーク前部４０２の頂壁４０８及び底壁４１０の内面に形成された対応するスナップ嵌め溝４１４内へ嵌合する。いくつかの実施形態では、ヨーク後部４０４は、スナップ嵌めバンプ４１２の１つのみを含むことができ、ヨーク前部４０２は、対応するスナップ嵌め溝４１４のみを含むことができる。いくつかの実施形態では、ヨーク前部４０２は、スナップ嵌めバンプ（複数可）４１２を含み、ヨーク後部４０４は、対応するスナップ嵌め溝（複数可）４１４を含む。ヨーク前部４０２とヨーク後部４０４との間に、空洞又は空間が形成される。言い換えれば、ヨーク４００は中空である。
【０２０５】
[0349]エンドキャップ４０６はまた、ヨーク前部４０２及びヨーク後部４０４の横方向端部の上へクリップ留め又はスナップ嵌めすることによって、ヨーク前部４０２及びヨーク後部４０４をともに固定するのを助けることができる。図７３Ａ〜７３Ｂに示すように、ヨーク前部４０２の横方向端は、エンドキャップインサート４１８を含み、又はエンドキャップインサート４１８によって形成される。エンドキャップインサート４１８は、ヨーク前部４０２の横方向端と一体形成することができ、又はヨーク前部４０２の横方向端に恒久的若しくは取外し可能に取り付けることができる。エンドキャップインサート４１８は、ヨーク前部４０２の頂壁４０８、前壁４０９、及び底壁４１０から内方にずれた壁を有する。図７４〜７７に示すように、ヨーク後部４０４の横方向端は、エンドキャップインサート４２０を含むことができ、又はエンドキャップインサート４２０によって形成することができる。エンドキャップインサート４２０は、ヨーク後部４０４の横方向端と一体形成することができ、又はヨーク後部４０４の横方向端に恒久的若しくは取外し可能に取り付けることができる。図７４〜７７に示すように、エンドキャップインサート４２０はそれぞれ、ヨーク前部４０２の対応するエンドキャップインサート４１８内に嵌合する位置合わせペグ４２２を含む。図示の実施形態では、エンドキャップインサート４２０の一方（ヨーク後部４０４の一方の端に位置する）の位置合わせペグ４２２は、ヨーク後部４０４の頂面又は上面近傍に配置され、エンドキャップインサート４２０の他方（ヨーク後部４０４の他方の端に位置する）は、ヨーク後部４０４の底面又は下面近傍に配置される。ヨーク前部４０２及びヨーク後部４０４がともに結合されるとき、位置合わせペグ４２２は、ヨーク前部４０２のエンドキャップインサート４１８内に嵌合する。
【０２０６】
[0350]組み立てられたとき、エンドキャップ４０６は、エンドキャップインサート４１８、４２０に嵌り、少なくとも部分的に覆う。ヨーク前部４０２は、ヨーク前部４０２の上縁部若しくは上面及び／又は下縁部若しくは下面の横方向端又はその近傍に配置されたエンドキャップスナップ嵌めバンプ（複数可）４１６を含むことができる。図示の実施形態では、エンドキャップスナップ嵌めバンプ４１６は、ヨーク前部４０２の厚さ又は幅の一部分又は全体にわたって横方向に延びる。エンドキャップスナップ嵌めバンプ４１６は、図７３Ａ〜７３Ｂに示すように、エンドキャップインサート４１８の頂面及び底面に位置決めすることができる。エンドキャップ４０６はそれぞれ、ヘッドギアの前部ストラップの一方に結合することができる。いくつかの実施形態では、エンドキャップ４０６は、自動ヘッドギア調節機構の編組要素、たとえば全体が参照により本明細書に組み込まれている、２０１６年５月３１日に出願された「Ｄｉｒｅｃｔｉｏｎａｌ  Ｌｏｃｋ  ｆｏｒ  Ｉｎｔｅｒｆａｃｅ  Ｈｅａｄｇｅａｒ  Ａｒｒａｎｇｅｍｅｎｔ」という名称の米国仮特許出願第６２／３４３，７１１号、及び国際出願第ＰＣＴ／ＮＺ２０１４／００００７４号に図示及び記載されている編組要素の端へ、オーバーモールド加工することができる。芯要素又は線状体４４２は、編組要素内に延びることができる。エンドキャップ４０６は、編組要素、したがってヘッドギアをヨーク４００に接続し、閉ループヘッドギアシステムを作り出すことができる。
【０２０７】
[0351]図６１Ａ〜６１Ｂに示すように、ヨーク４００は、入口３０８を通って延びる中心平面（又は軸線）３０９及びクッション３０２がフレーム３００に結合される平面（又は軸線）３０３とは異なる平面（又は軸線）４０１で、フレーム３００に組み立てられ又は結合される。図示の実施形態では、入口平面３０９は、クッション接続平面３０３とは異なる。図６１Ｂに示すように、ヨーク平面４０１は、鼻プロング３１０と位置合わせされ、又は鼻プロング３１０を通って延びる。マスクシステムが使用者の顔に配置されるとき、ヨーク平面４０１と鼻プロング３１０との位置合わせにより、ヘッドギアがヨーク４００を通って力を印加し、鼻プロング３１０を使用者の鼻孔の方へ引っ張ることが可能になることが有利である。図示の実施形態では、クッション接続平面３０３及び入口平面３０９は、ヨーク平面４０１より互いに密接に位置合わせされる（又はほぼ位置合わせされる）。これにより、入口３０８とほぼ位置合わせされる方向に、クッション３０２をフレーム３００に結合し又は取り付けることが可能になり、これは、使用者にとって直感的となりうることが有利である。
【０２０８】
[0352]クッション接続平面３０３とヨーク平面４０１との間の角度の差のため、ヨーク４００は、クッション３０２がフレーム３００に結合されるのとは異なる方向で、フレーム３００に結合される。これは、一部の使用者にとって反直感的となりうる。使用者がクッション接続平面３０３と同じ方向に沿ってヨーク４００をフレーム３００から取り外そうとする場合、ヨーク４００は、フレーム３００で動かなくなり又は引っ掛かる可能性があり、以て取外し力が増大し、ヨーク４００を切断するのがより困難になる。したがって、ヨーク４００が比較的簡単であり、フレーム３００に接続及び切断するのに最小の力を必要としながら、それでもなお使用中に実質上の接続を維持する場合、有益となる可能性がある。マスクの着脱中、図６２に示すように、ヨーク平面４０１に対して角度を付けて上方にヘッドギア３１２を引っ張ることができる。これにより、ヨーク４００とフレーム３００との間の接続に回転力又はトルクを生じさせることができる。生成されたトルクが十分に大きい場合、ヨーク４００は、意図せずフレーム３００から切断される可能性があり、マスクの着脱がより困難になる。本明細書に記載する様々な特徴は、これらの起こりうる問題に対処するのを助けることができる。
【０２０９】
[0353]図６３〜６５に示すように、フレーム３００は、保持バンプ３２８を含むことができる。保持バンプ３２８は、上壁３２２の前方下縁部からヨークチャネル３１６の方及び／又はヨークチャネル３１６内へ、下方に突出する。図示の実施形態では、保持バンプ３２８は、上壁３２２の中間部分から延びる。保持バンプ３２８は、ヨークチャネル３１６の一部分に対して比較的より狭い開口部を形成する。図６６及び図６９に示すように、ヨーク４００（図示の実施形態では、ヨーク前部４０２）は、保持ノッチ４２４を含む。図示の実施形態では、保持ノッチ４２４は、ヨーク前部４０２の頂壁４０８と前壁４０９との間に形成された角部又はその付近に位置する。保持ノッチ４２４は、扇形領域を形成することができる。図示の実施形態では、保持ノッチ４２４は、ヨーク前部４０２の中間部分に位置する。保持ノッチ４２４は、フレーム３００及びヨーク４００がともに結合されてフレーム３００とヨーク４００との間にスナップ嵌め接続を形成するとき、フレーム３００の保持バンプ３２８を受け入れるように構成される。保持バンプ３２８及び保持ノッチ４２４の幅は、ヨーク４００及びフレーム３００を接続及び／又は切断するために必要とされる力に影響を与え、又はそのような力を少なくとも部分的に決定することができる。図示の実施形態では、保持バンプ３２８及び保持ノッチ４２４は、ヨークチャネル３１６より狭く、したがってヨーク４００及びフレーム３００を接続及び／又は切断するために必要とされる力は、ヨーク４００をフレーム３００に固定するのにそれでもなお有効である簡単な接続を可能にするのに十分に小さい。
【０２１０】
[0354]いくつかの実施形態では、たとえば図６７及び図７１〜７２に示すように、ヨーク前部４０２は、引込み用の面取り４２６を含む。引込み用の面取り４２６は、頂壁４０８の後方上縁部に沿って面取りされ又は丸みが付けられた縁部である。引込み用の面取り４２６は、保持バンプ３２８を越えてヨーク４００を案内するのを助けて、ヨークチャネル３１６内へのヨーク４００の挿入しやすさを改善するのを助けることができる。いくつかの実施形態では、フレーム３００及びヨーク４００は、それぞれ保持バンプ３２８及び保持ノッチ４２４を含む必要はない。ヘッドギアによってヨーク４００及び／又はフレーム３００に印加される張力は、保持バンプ３２８と保持ノッチ４２４との間のスナップ嵌めに対する代替又は追加として、ヨーク４００及びフレーム３００をともに固定するのを助けることができる。
【０２１１】
[0355]ヨークチャネル３１６は、図６３〜６５に示すように、背壁３２４内へ凹んでヨークチャネル３１６の長さの一部分又は全体に沿って延びる回転防止溝３３０を含むことができる。図示の実施形態では、回転防止溝３３０は、フレーム３００の下壁３２６に隣り合って配置される。ヨーク４００は、ヨーク４００及びフレーム３００がともに結合されるときに回転防止溝３３０内に受け入れられる対応する舌片４２８（図６６〜６８に示す）を含む。図７１に示すように、ヨーク前部４０２の底壁４１０の中心領域は、ヨーク前部４０２の横方向端より深く延び、より大きく後方に突出して、前部舌片４２８ａを形成する。図７１及び図７７に示すように、ヨーク後部４０４の底部の中心領域は、ヨーク後部４０４の横方向端より大きく後方に延びて、後部舌片４２８ｂを形成する。後部舌片４２８ｂは、ヨーク後部４０４の底部の中心領域から直交して突出して、「Ｌ」字状の横断面を形成する。前部舌片４２８ａ及び後部舌片４２８ｂは、図７１に示すように、前部舌片４２８ａが後部舌片４２８ｂの下に配置されるように、互いに位置合わせされて当接する。舌片４２８を２つの部分（前部舌片４２８ａ及び後部舌片４２８ｂ）から形成することで、ヨーク前部４０２とヨーク後部４０４との間の接続を改善するのを助けることができることが有利である。２つの部分からなる構成は、ヨーク４００及び／又はフレーム３００に印加される回転力をヨーク前部４０２及びヨーク後部４０４の両方に同時に印加して、ヨーク前部４０２及びヨーク後部４０４の切断を引き起こしうるヨーク前部４０２及びヨーク後部４０４の互いに対する歪みを低減又は最小化するのを助けることを可能にすることができる。回転中、前部舌片４２８ａ及び後部舌片４２８ｂは、回転防止溝３３０に接触することによってともに挟まれ（図８２に示す）、以てヨーク前部４０２とヨーク後部４０４との間の接続を補強するのを助けることができる。
【０２１２】
[0356]図８０〜８２に示すように、舌片４２８が回転防止溝３３０内に配置されるとき、たとえばヘッドギアを介してヨーク４００に回転力が印加された場合、及び印加されたとき、舌片４２８と回転防止溝３３０との間の相互作用が、ヨーク４００がヨークチャネル３１６から外れて回転することを防止又は抑制するのを助ける。保持バンプ３２８及び保持ノッチ４２４を含む実施形態では、保持バンプ３２８及び保持ノッチ４２４は、舌片４２８と回転防止溝３３０との間の相互作用に対する代替又は追加として、フレーム３００からのヨーク４００の回転切断に耐えることを助けることができる。
【０２１３】
[0357]本明細書に記載するように、いくつかの実施形態では、ヨーク４００は、自動調節可能又は自己調節式のヘッドギアシステムで使用される線状体４４２などの芯要素のための収集器を形成することができる。図７１〜７３Ｂに示すように、ヨーク前部４０２は、上部ライントラック４３０及び下部ライントラック４３２を含む。ライントラック分割具４３４が、ヨーク前部４０２の前壁４０９の背面又は内面から後方に突出する。図７２〜７３Ａに示すように、ライントラック分割具４３４は、ヨーク前部４０２の長さの一部分にわたってほぼ対角線に延びる。言い換えれば、ライントラック分割具４３４の一方の端は、頂壁４０８近傍に位置し、ライントラック分割具４３４の他方の反対側の端は、底壁４１０近傍に位置する。したがって、上部ライントラック４３０は、頂壁４０８の底面、前壁４０９の背面、及びライントラック分割具４３４の上面によって境界設定及び／又は画定される。下部ライントラック４３２は、底壁４１０の頂面、前壁４０９の背面、及びライントラック分割具４３４の下面によって境界設定及び／又は画定される。
【０２１４】
[0358]上部ライントラック４３０及び下部ライントラック４３２は、自動調節可能なヘッドギアシステムの線状体４４２を受け入れる。線状体４４２は、ヘッドギアのうちヨーク４００に結合された部分及び／又はそれに隣り合う部分から延びる。図６７及び図７０に示すように、エンドキャップ４０６は、線状体入口孔４４４を含む。線状体入口孔４４４は、線状体４４２をヨーク４００内へ、たとえばヘッドギアの編組構成要素から案内することを助ける。線状体４４２は、ヘッドギアから入口孔４４４を通って中空のヨーク４００内へ進む。図７２及び図７４に示すように、ヨーク４００は、各エンドキャップ４０６に隣り合って（その中間に）配置されたワッシャハウジング４４６を含む。各ワッシャハウジング４４６は、図７３Ａに示すように、ヨーク前部４０２によって形成されるワッシャハウジングポケット４４８内に嵌合又は配置することができる。ワッシャハウジング４４６は、自動調節可能なヘッドギアシステムに対するロック機構の一部として作用する１つ又は複数のワッシャ４５０（図７９に示す）を収容する。そのようなロック機構の一例は、参照により本明細書に組み込まれている米国仮特許出願第６２／３４３，７１１号に図示及び記載されている。第１の線状体は、第１のワッシャハウジング４４６内のエンドキャップ４０６及びワッシャ（複数可）４５０のうちの１つめを通って上部ライントラック４３０内へ進む。第２の線状体は、第２のワッシャハウジング４４６内のエンドキャップ４０６及びワッシャ（複数可）４５０のうちの２つめを通って下部ライントラック４３２内へ進む。
【０２１５】
[0359]図７２〜７３Ａに示すように、上部ライントラック４３０は、ヨーク前部４０２の第１の端に向かってより広くなり、第２の端に向かって狭くなる。下部ライントラック４３２は、ヨーク前部４０２の第２の端に向かってより広くなり、第１の端に向かって狭くなる。上部ライントラック４３０及び下部ライントラック４３２は、線状体４４２がライントラックに入る端で、より大きい高さ又は幅を有する。これは、線状体４４２がワッシャハウジング４４６から出た後すぐに又は直ちに線状体４４２内に鋭い屈曲部が形成されることを防止又は抑制するのを助けることができ、以てワッシャ（複数可）４５０が線状体４４２に適切に係合するのを助けることができることが有利である。これは、追加又は別法として、線状体４４２及びヘッドギアの後退中に線状体４４２がヨーク４００の内部の幾何形状に引っ掛かることを防止又は抑制するのを助けることができる。
【０２１６】
[0360]図７８〜７９に示すように、エンドキャップ４０６及び／又は線状体入口孔４４４は、線状体４４２に対するガイドとして作用し、以て調節機構の機能の信頼性を改善するのを助けることができる。使用の際、線状体４４２がワッシャハウジング４４６から出る場所付近で、線状体４４２が鋭い角度で（たとえば、使用者によって）曲げられた場合、ワッシャ（複数可）４５０は、ヘッドギアの延長中に線状体４４２に適切に係合することができなくなり、調節機構の力変位プロファイルを歪ませ、調節機構が適切及び／又は有効に機能するのを防止又は抑制する可能性がある。各エンドキャップ４０６は、線状体４４２がワッシャハウジング４４６に入る前にヨーク４００内に延びる長さ又は距離（図７８及び図７９にＸによって示す）の延長を提供する。線状体４４２は、ヨーク４００及びエンドキャップ４０６内で曲がることが防止又は抑制される。線状体４４２は、線状体４４２が線状体入口孔４４４を通ってエンドキャップ４０６から出た後、使用者によって曲げることができる。しかし、エンドキャップ４０６によって提供される長さＸの延長により、ヨーク４００の外側で線状体４４２内に形成されるあらゆる屈曲部をワッシャハウジング４４６からより大きくずらし又は隔置することが可能になる。これは、線状体４４２がワッシャハウジング４４６及び／又はエンドキャップ４０６の壁に対して実質上平行にワッシャハウジング４４６を通って延びるのを助け、以て調節中にワッシャ（複数可）が線状体４４２に完全且つ適切に係合するのを助けることができることが有利である。
【０２１７】
[0361]図示の実施形態では、上部ライントラック４３０は、ヨーク４００の第２の端（線状体４４２が上部ライントラック４３０に入る場所とは反対側の端）で、ワッシャハウジング４４６の上に延び、下部ライントラック４３２は、ヨーク４００の第１の端（線状体４４２が下部ライントラック４３２に入る場所とは反対側の端）で、ワッシャハウジング４４６の下に延びる。それぞれ反対側のワッシャハウジング４４６の上及び下の上部ライントラック４３０及び下部ライントラック４３２の延長部は、より短いヨーク４００が同じ長さの線状体４４２を収容することを可能にすることが有利である（上部ライントラック４３０及び下部ライントラック４３２がワッシャハウジング４４６に対して中間で終わるヨーク４００と比較）。より短いヨーク４００は、使用の際にヨーク４００の横方向端が使用者の頬に食い込むのを防止又は抑制することができることが有利である。この構成（上部ライントラック４３０及び下部ライントラック４３２が反対側のワッシャハウジング４４６の上及び下に延びる）により、ワッシャハウジング４４６は、図７４に示すように、互いから垂直方向にずれ、ヨーク４００を対称にすることが可能になる。
【０２１８】
[0362]図７４〜７５に示すように、ヨーク後部４０４は、上部ライントラックインサート４３６及び下部ライントラックインサート４３８を含む。上部ライントラックインサート４３６及び下部ライントラックインサート４３８は、ヨーク後部４０４の前面又は内面から前方に突出する。上部ライントラックインサート４３６は、ヨーク前部４０２の上部ライントラック４３０内に少なくとも部分的に嵌合し、下部ライントラックインサート４３８は、ヨーク前部４０２の下部ライントラック４３２内に少なくとも部分的に嵌合する。上部ライントラックインサート４３６及び下部ライントラックインサート４３８は、それぞれ上部ライントラック４３０及び下部ライントラック４３２の形状に対応する形状を有することができる。たとえば、上部ライントラックインサート４３６は、ヨーク前部４０２の第１の端に隣り合って配置されるように構成されたヨーク後部４０４の第１の端近傍でより広くなり、下部ライントラックインサート４３８は、ヨーク前部４０２の第２の端に隣り合って配置されるように構成されたヨーク後部４０４の第２の端近傍でより広くなる。分割具チャネル４４０が、上部ライントラックインサート４３６と下部ライントラックインサート４３８との間に長手方向に延び、上部ライントラックインサート４３６及び下部ライントラックインサート４３８によって画定される。ヨーク後部４０４の壁の厚さは、上部ライントラックインサート４３６及び下部ライントラックインサート４３８の領域内と比較すると、分割具チャネル４４０の領域内で低減される。分割具チャネル４４０は、ヨーク前部４０２のライントラック分割具４３４を受け入れる。これは、ヨーク前部４０２及びヨーク後部４０４の正確な位置合わせを促進するのを助けることができること、並びに／又はヨーク４００の全体的な深さ若しくは厚さを低減若しくは最小化するのを助けることができることが有利である。
【０２１９】
[0363]上部ライントラックインサート４３６及び下部ライントラックインサート４３８は、ライントラック４３０、４３２の深さ又は高さを低減させる。深さ又は高さが低減されることで、ライントラック４３０、４３２内で線状体４４２をより良好に案内するのを助ける。上部ライントラックインサート４３６及び下部ライントラックインサート４３８は、追加又は別法として、増大された構造及び剛性をヨーク後部４０４に提供することができ、以てヨーク４００が曲げられた場合、ヨーク後部４０４がヨーク前部４０２から切断されることを防止又は抑制するのを助けることができる。それぞれ上部ライントラックインサート４３６及び下部ライントラックインサート４３８と上部ライントラック４３０及び下部ライントラック４３２との間の相互作用は、ヨーク前部４０２及びヨーク後部４０４を位置合わせするのを助け、誤った組立てを防止又は抑制するのを助けることができる。
【０２２０】
[0364]図８３〜８４は、ヨーク後部４０４及びエンドキャップ４０６の代替実施形態を示す。図示の実施形態では、位置合わせペグ４２２は、図４５の実施形態に示す位置合わせペグ４２２に対して増大された高さ（図８４に「Ｈ」によって示す）を有する。位置合わせペグ４２２の高さが増大されることで、エンドキャップ４０６内で利用可能な空間が低減される。空間が低減されることで、エンドキャップインサート４１８を通って線状体４４２を案内することを改善するのを助けることができる。図示の実施形態では、線状体４４２が位置合わせペグ４２２の上を通過するエンドキャップインサート４１８内の空間は、線状体４４２が延びる第１のワッシャ４５０ａ内の開口部より上に又は高く配置される。したがって、線状体４４２は、図８３に示すように、位置合わせペグ４２２の上で屈曲することができ、以て線状体４４２と第１のワッシャ４５０ａとの間の摩擦が増大される。これは、ヘッドギアの伸長及び／又は延長中に第１のワッシャ４５０ａが係合されて旋回することを確実にするのを助けることができる。この実施形態では、線状体入口孔４４４を延ばして（たとえば、図６７の実施形態に対して）、その深さより大きい高さを有する細長いスロットを形成することができる。位置合わせペグ４２２の高さが増大されることで、ヨーク４００内の線状体４４２に追加の案内が提供されるため、線状体入口孔４４４に必要とされる線状体４４２に対する支持がより小さくなる。線状体入口孔４４４に対する円形の孔ではなく細長いスロットは、曲がりくねった経路を通って曲がる必要なく、線状体４４２が線状体入口孔４４４を自由に通過することを可能にすることができる。円形の孔ではなく細長いスロットはまた、ヨーク４００の両側で単一の対称のエンドキャップ４０６を使用することを可能にすることができる。
【０２２１】
[0365]図８５〜８７は、ヨーク後部４０４の別の代替実施形態を示す。図示の実施形態では、位置合わせペグ４２２の高さＨは、ヨーク前部４０２のエンドキャップインサート４１８の内部の高さとほぼ同じであるが、それよりわずかに小さく又は低く、したがって位置合わせペグ４２２は、図８５に示すように、エンドキャップインサート４１８の上部内面及び下部内面に当接し又はほぼ当接する。位置合わせペグ４２２は、線状体４４２が位置合わせペグ４２２を通ってワッシャハウジング４４６へ進むことを可能にする線状体スロット４５２を含む。位置合わせペグ４２２及び／又は線状体スロット４５２は、エンドキャップ４０６を通って線状体４４２を案内するのを助ける。
【０２２２】
[0366]図８８〜９０は、ライントラック４３０、４３２の変形形態を含む代替のヨーク４００の実施形態を示す。図示のように、ライントラック４３０、４３２は、図７２〜７３Ａに関して図示及び記載した実施形態と同様に、ワッシャハウジング４４６に重なって、所与の線状体長さに必要とされるヨーク長さを低減させる。図８８〜９０の実施形態では、ライントラック４３０、４３２はそれぞれ、ワッシャハウジング４４６の上又は下ではなく、反対側のワッシャハウジング４４６の前を通る。ライントラック４３０、４３２は、ヨーク前部４０２（たとえば、エンドキャップインサート４１８）の前壁４０９に切断又は形成され、ライントラック４３０、４３２は、図８８の横方向端の方を見て図９０に示すように、ワッシャハウジング４４６の前を通る。この構成は、図７２〜７３Ａの実施形態と比較すると低減されたヨーク高さ（図８９の「Ｈ」）を可能にすることができる。高さＨが低減されることで、マスクが全体としてより小さく見えること及び／又はより目立たなく見えることを助けることができる。しかし、図７２〜７３Ａの実施形態は、図８８〜９０の実施形態と比較すると低減されたヨーク４００の深さを可能にすることができる。
【０２２３】
[0367]図９１〜９４は、ライントラックの別の代替実施形態を示す。前述した実施形態と同様に、ライントラックは、ワッシャハウジング４４６に重なって、所与の線状体長さに必要とされるヨーク長さを低減させる。図９１〜９４の実施形態では、ヨークは、前部ライントラック４６０及び背部ライントラック４６２を少なくとも部分的に形成又は画定する螺旋状の壁によって、対角線で分割される。ライントラック４６０、４６２は、前後に重なり、次いでワッシャハウジング４４６の下で終わるように延びる。この配置により、ワッシャハウジング４４６を互いに水平方向に位置合わせすることが可能になる。この配置により、図７２の実施形態に示すように、ライントラック４６０、４６２の一方がワッシャハウジング４４６の下を通り、一方が他方のワッシャハウジング４４６の上を通るのではなく、両方のライントラック４６０、４６２がワッシャハウジング４４６の下を通るため、ライントラック４６０、４６２によって引き起こされるヨーク４００の高さの増大を低減又は制限することを助けることができる。図９１〜９４は、まっすぐ又は線形としてヨーク４００を示すが、図９１〜９４に示すライントラック４６０、４６２の配置を有するヨーク４００は、上記で図示及び記載した実施形態と同様に、平面内で湾曲させることができる。
【０２２４】
[0368]図１３３〜１３５は、フレーム５００に結合されたヨーク６００及びクッション又はシール５０２の別の例示的な実施形態を示す。ヨーク６００、シール５０２、及び／又はフレーム５００は、それぞれヨーク４００、クッション３０２、及び／又はフレーム３００にいくつかの点で類似することができる。フレーム５００は、使用の際にヨーク６００を受け入れるように構成されたヨークチャネル５１６を含む。ヨークチャネル５１６は、上壁５２２、背壁５２４、及び下壁５２６によって形成又は画定される。ヨーク６００では、たとえばヨーク４００と比較すると、ヨーク６００の上縁部と下縁部との間の非対称性が増大されている。図示の実施形態では、ヨーク６００の上縁部は、下縁部よりまっすぐである。非対称性は、ヨーク６００をフレーム５００に組み立てるための正確な向きに関して改善された視覚的な合図を提供し、誤った組立てを抑制するのを助けることが有利である。
【０２２５】
[0369]図１３４に示すように、ヨークチャネル５１６は、上壁５２２及び下壁５２６内にコネクタ凹部５２８を含む。図示の実施形態では、ヨークチャネル５１６の各横方向端に、各横方向端に隣り合って、又は各横方向端近傍に、コネクタ凹部５２８が配置される。コネクタ凹部５２８は、ヨークチャネル５１６の前縁部に又は前縁部に沿って（たとえば、上壁５２２及び下壁５２６の内向きの表面の前縁部に又は前縁部に沿って）、保持リップ５２３を少なくとも部分的に画定又は形成する。ヨーク６００は、ヨーク６００の上面、下面、及び／又は背面から後方に突出するコネクタ突起６２８を含む。図示の実施形態では、ヨーク６００は、ヨーク６００の中心のそれぞれの側にコネクタ突起６２８を含む。図示の実施形態では、ヨーク６００は、本明細書により詳細に記載するように、ともに結合されたヨーク前部６０２及びヨーク後部６０４を含み、コネクタ突起６２８は、ヨーク後部６０４内に形成される。コネクタ凹部５２８は、フレーム５００及びヨーク６００がともに結合されてフレーム５００とヨーク６００との間にスナップ嵌め接続を形成するとき、コネクタ突起６２８を受け入れるように構成される。フレーム５００及びヨーク６００がともに結合されるとき、保持リップ５２３は、コネクタ突起６２８の前方でヨーク６００に係合して、スナップ嵌め接続に寄与し、ヨーク６００をヨークチャネル５１６内で保持する。図示の実施形態では、コネクタ突起６２８及びコネクタ凹部５２８は、方形又は矩形のプロファイルを有し、以てたとえば図１３５に矢印によって示す方向に、ヨーク６００がヨークチャネル５１６から外れて回転するのを抑制する。
【０２２６】
[0370]いくつかの実施形態では、ヨーク６００は、たとえば図１３７に示すように、楕円形又は実質上楕円形の横断面を有する。この形状は、ヨーク６００のサイズ若しくは嵩を低減させること及び／又は改善された審美的な外観を提供することが有利である。本明細書により詳細に論じるように、ワッシャハウジング６４６は、たとえば図１３６Ａ〜１３６Ｃに示すように、Ｄ字状、実質上Ｄ字状、Ｕ字状、又は実質上Ｕ字状の横断面を有することができ、ヨーク６００の全体的な楕円形又は実質上楕円形の横断面を可能にすること及び／又はそれに寄与することができる。ワッシャハウジング６４６は、互いに反対の向きにすることができる。言い換えれば、図１３６Ｃに示すように、ワッシャハウジング６４６の一方、たとえば左のワッシャハウジング６４６を、上向きのＵ字状として向けることができ、図１３６Ｃの他方のワッシャハウジング６４６、たとえば右ワッシャハウジング６４６を、下向きのＵ字状として向けることができる。この配置及び向きは、本明細書により詳細に論じるように、ライントラック６３０、６３２がそれぞれ左及び右のワッシャハウジング６４６の上及び下に延びることを可能にするのを助けることができることが有利である。図１３７に示すように、図示の実施形態では、ヨーク６００又はヨーク６００の中心部分の深さＤは、ヨークチャネル５１６の深さと同じ若しくは同様であり、又はそれに対応しており、したがってヨーク６００は、ヨークチャネル５１６から突出又は実質上突出しない。これにより、フレーム５００及びヨーク６００のアセンブリの全体的なサイズが低減されることが有利である。
【０２２７】
[0371]図１３６Ａ及び図１３８に示すように、図示の実施形態では、ヨーク６００の背面又は後面は、ヨーク６００の中心部分のそれぞれの側又は各横方向端に後方ステップを含み、したがってヨーク６００は、段階的な深さを有する。言い換えれば、ヨーク６００がフレーム５００に結合されるときにヨークチャネル５１６の横方向外側に配置されるヨーク６００の横方向部分の深さは、ヨーク６００がフレーム５００に結合されるときにヨークチャネル５１６内に配置されるヨーク６００の中心部分の深さＤより大きい。ステップは、ヨーク６００の中心部分と横方向部分との間の移行部に、フレーム当接面６０５を形成又は画定する。ヨーク６００がフレーム５００に結合されるとき、フレーム当接面６０５はそれぞれ、図１３８に示すように、フレーム５００の横方向縁部５０５の１つに当接し、又は横方向縁部５０５の１つに隣り合って若しくはその近傍に配置される。フレーム当接面６０５及び横方向縁部５０５は、組立て中にフレーム５００とヨーク６００を適切に位置合わせすることを助ける。フレーム当接面６０５及び横方向縁部５０５は、追加又は別法として、ヨーク６００とフレーム５００との間により確実な接続を提供する。ヨーク６００の中心部分の深さが低減されることで、フレーム５００及びヨーク６００のアセンブリの全体的なサイズが低減されることが有利である。
【０２２８】
[0372]図１３５〜１３７に示すように、図示の実施形態では、ヨーク６００は、ヨーク前部６０２及びヨーク後部６０４を含む。ヨーク６００はまた、２つのエンドキャップ６０６（図１４０に示す）を含むことができ、ヨーク６００の各横方向端に１つのエンドキャップ６０６が位置する。図示の実施形態では、ヨーク前部６０２及びヨーク後部６０４は、ともに結合された別個の構成要素として形成される。図１３５〜１３７の実施形態では、ヨーク前部６０２とヨーク後部６０４との間の分割線６０３（図１３７に示す）が、中心又はほぼ中心に位置する。これにより、製造しやすさを改善することができる。
【０２２９】
[0373]ヨーク前部６０２及びヨーク後部６０４は、スナップ嵌めを介してともに結合することができる。図示の実施形態では、ヨーク前部６０２は、ヨーク前部６０２の背面から後方に突出するヨークファスナ６１３を含む。図示の実施形態では、ヨークファスナ６１３は、ヨーク前部６０２に対して中心又はほぼ中心に配置される。ヨーク後部６０４は、ヨーク前部６０２及びヨーク後部６０４がともに結合されるときにヨークファスナ６１３を受け入れてスナップ嵌め接続を形成するようなサイズ、形状、及び位置のファスナ開口６１５を含む。ヨークファスナ６１３及びファスナ開口６１５を介したヨーク前部６０２とヨーク後部６０４との間の中心接続は、ヨーク前部６０２とヨーク後部６０４との間の接続のさらなる剛性の提供、並びに／又はヨーク前部６０２とヨーク後部６０４との間の捩れに対する支持若しくは捩れに対する抑制を行う。いくつかの実施形態では、代替として、ヨーク前部６０２がファスナ開口６１５を含み、ヨーク後部６０４がヨークファスナ６１３を含む。いくつかの実施形態では、ファスナ開口６１５は、１つ又は複数のファスナバンプ６１７を含み、ファスナバンプ６１７は、ファスナ開口６１５の上縁部及び／又は下縁部に沿って（たとえば、上縁部及び／又は下縁部に沿って横方向に）延び、上縁部及び／又は下縁部からファスナ開口６１５内へ突出する。ヨークファスナ６１３は、１つ又は複数の対応するノッチ６１９（図１３７に示す）を含み、ノッチ６１９は、ファスナバンプ（複数可）６１７を受け入れてスナップ嵌め接続を形成するようなサイズ、形状、及び位置のヨークファスナ６１３の上面及び／又は下面に沿って（たとえば、上面及び／又は下面に沿って横方向に）延びる。いくつかの実施形態では、ファスナ開口６１５が、１つ又は複数のノッチ６１９を含み、ヨークファスナ６１３が、１つ又は複数のファスナバンプ６１７を含む。
【０２３０】
[0374]図１４８〜１５０は、ヨーク後部６０４がファスナ開口６１５ではなくファスナ凹部６１５’を含むヨーク６００の変形形態を示す。ファスナ凹部６１５’は、ヨーク後部６０４の厚さ全体には延びない。ヨーク前部６０２は、後方に延びるヨークファスナ６１３’を含む。ファスナ凹部６１５’は、ヨーク前部６０２及びヨーク後部６０４がともに結合されるときにヨークファスナ６１３’を受け入れて摩擦嵌め接続を形成するようなサイズ、形状、及び位置である。いくつかのそのような実施形態では、ファスナ凹部６１５’は、ファスナ凹部６１５’の上面若しくは上縁部及び／又は下面若しくは下縁部に、１つ又は複数の干渉バンプ６１７’を含む。図示の実施形態では、干渉バンプ６１７’は細長く、ファスナ凹部６１５’の深さ全体に延びる。干渉バンプ６１７’は、ファスナ凹部６１５’及びヨークファスナ６１３’に干渉し、ファスナ凹部６１５’とヨークファスナ６１３’との間に摩擦嵌めを生じさせるのを助けて、ヨーク前部６０２及びヨーク後部６０４をともに固定するのを助ける。この構成は、より容易な製造を可能にすること、より整った仕上げを提供すること（ヨーク後部６０４内に開口なし）、及び／又はライントラック６３０、６３２内への汚損若しくは他の破片の侵入を抑制することができ（開口がないことにより、ヨーク６００をその長さに沿って完全に囲むことが可能になるため）、以て自動ヘッドギア調節機構の機能を維持するのを助けることができることが有利である。
【０２３１】
[0375]図１３５〜１３７の実施形態では、ヨーク後部６０４は、ヨーク後部６０４から前方に突出し、ヨーク後部６０４の上面に隣り合って若しくは近接してヨーク後部６０４の長さに沿って延びる上部位置合わせビード６１２ａ、及び／又はヨーク後部６０４から前方に突出し、ヨーク後部６０４の下面に隣り合って若しくは近接してヨーク後部６０４の長さに沿って延びる下部位置合わせビード６１２ｂを含む。ヨーク前部６０２は、ヨーク前部６０２の上面に隣り合って若しくは近接してヨーク前部６０２の長さに沿って延びるヨーク前部６０２の背面内の上部位置合わせ溝６１４ａ、及び／又はヨーク前部６０２の下面に隣り合って若しくは近接してヨーク前部６０２の長さに沿って延びるヨーク前部６０２の背面の下部位置合わせ溝６１４ｂを含む。上部位置合わせ溝６１４ａ及び／又は下部位置合わせ溝６１４ｂは、ヨーク前部６０２及びヨーク後部６０４がともに結合されるとき、それぞれ上部位置合わせビード６１２ａ及び／又は下部位置合わせビード６１２ｂを受け入れる。位置合わせビード６１２ａ、６１２ｂ及び位置合わせ溝６１４ａ、６１４ｂは、ヨーク前部６０２及びヨーク後部６０４を正確に位置合わせするのを助ける。位置合わせビード６１２ａ、６１２ｂ及び位置合わせ溝６１４ａ、６１４ｂは、追加又は別法として、たとえばヨーク前部６０２とヨーク後部６０４との間の捩れに耐え又は捩れに対して支持する。いくつかの実施形態では、位置合わせビード６１２ａ、６１２ｂ及び位置合わせ溝６１４ａ、６１４ｂは、たとえば摩擦嵌め又はスナップ嵌め接続の形態で、互いにポジティブで係合することができる。
【０２３２】
[0376]エンドキャップ６０６は、ヨーク前部６０２及びヨーク後部６０４の横方向端の上へクリップ留め又はスナップ嵌めすることによって、ヨーク前部６０２及びヨーク後部６０４をともに固定するのを助けることができる。エンドキャップ６０６はまた、ヨーク６００へのヘッドギアの前部ストラップの接続を可能にすることができる。いくつかの実施形態では、各エンドキャップ６０６が、前部ストラップの編組部分へオーバーモールド加工される。
【０２３３】
[0377]図１４１〜１４７に示すように、ヨーク前部６０２及びヨーク後部６０４の横方向端は、エンドキャップインサート６１８を含み、又はエンドキャップインサート６１８によって形成される。エンドキャップインサート６１８は、ヨーク前部６０２及びヨーク後部６０４の横方向端と一体形成することができ又は横方向端に取り付けることができる。エンドキャップインサート６１８は、ヨーク６００の横方向部分と比較すると低減された寸法又はプロファイルを有する。エンドキャップ６０６は、エンドキャップインサート６１８を受け入れる内部空洞６０９を有する。組立て中、エンドキャップ６０６は、図１４１に示すように、エンドキャップインサート６１８の上へヒンジ式に接続又はスナップ嵌めされる。
【０２３４】
[0378]図１４６に示すように、各エンドキャップ６０６は、一方の側（たとえば、図示の実施形態では背面側）の保持孔６０５と、反対側（たとえば、図示の実施形態では前面側）の保持ノッチ６０７とを含む。他の実施形態では、保持孔６０５及び保持ノッチ６０７の位置を逆にすることもできる。図示の実施形態では、エンドキャップ６０６の背部内に保持孔６０５を位置決めすることで、使用の際に保持孔６０５を隠し、改善された審美的な外観を提供することが有利である。保持ノッチ６０７は、エンドキャップ空洞６０９から前方にエンドキャップ６０６内へ延びる。エンドキャップインサート６１８は、前面及び後面の一方に位置する（たとえば、図示の実施形態では、エンドキャップインサート６１８のヨーク後部６０４の部分から後方に延びる）第１の保持特徴部６１６と、反対側の面に位置する（たとえば、図示の実施形態では、エンドキャップインサート６１８のヨーク前部６０２の部分から前方に延びる）第２の保持特徴部６１７とを含む。エンドキャップ６０６をヨーク６００に、たとえばエンドキャップインサート６１８に取り付けるために、保持孔６０５は、図１４１に示すように、第１の保持特徴部６１６に係合する。次いで、第１の保持特徴部６１６は、ヒンジ又は旋回点として作用し、エンドキャップ６０６は、第２の保持特徴部６１７及び保持ノッチ６０７がたとえばバンプ又はスナップ嵌め接続で係合するまで、図１４１に矢印によって示す方向に、エンドキャップインサート６１８の上へ旋回する。ヒンジ式接続は、エンドキャップインサート６１８の長さＬ（図１４４に示す）を低減させながら、ヨーク６００とエンドキャップ６０６との間に強い接続を提供することができる。したがって、エンドキャップ６０６は、より急勾配で先細りすることができる。エンドキャップインサート６１８、エンドキャップ６０６、及び／又は全体的なヨーク６００の長さが低減されることで、ヨーク６００が患者の顔に食い込むのを低減又は最小化することができることが有利である。
【０２３５】
[0379]図示の実施形態では、第１の保持特徴部６１６は、ヨーク後部６０４から後方に延びる楕円形又は馬蹄形のポストであり、又はそのようなポストを含む。第１の保持特徴部６１６の長さ又は深さは、第１の保持特徴部６１６の外面又は最後の面がヨーク後部６０４の背面と同一平面又は実質上同一平面になるように選択される。これにより、エンドキャップ６０６とエンドキャップインサート６１８との間の接触面積及び相互作用が増大され、保持力が増大される。したがって、エンドキャップ６０６とエンドキャップインサート６１８との間の接続は、ヨーク６００の長さに沿ったより大きい捩れ力及び／又は接合部の周りの回転力に耐えることができる。
【０２３６】
[0380]図示の実施形態では、第２の保持特徴部６１７は、ヨーク前部６０２から前方に延びる浮き出したタブであり、又はそのようなタブを含む。第２の保持特徴部６１７の長さ又は深さは、第１の保持特徴部６１６と比較すると低減されており、以て組立て中にエンドキャップ６０６が第２の保持特徴部６１７の上を進むことが可能になる。図示の実施形態では、第２の保持特徴部６１７は、一方の縁部、たとえば図示の実施形態では（ヨーク６００に対して）横方向縁部に、面取りされた引込み６１７ａを有し、以てエンドキャップ６０６を第２の保持特徴部６１７の上へより容易にヒンジ式に取り付けること又は旋回させることが可能になる。
【０２３７】
[0381]いくつかの実施形態では、エンドキャップ６０６は、自動ヘッドギア調節機構の編組要素、たとえば全体が参照により本明細書に組み込まれている、２０１６年５月３１日に出願された「Ｄｉｒｅｃｔｉｏｎａｌ  Ｌｏｃｋ  ｆｏｒ  Ｉｎｔｅｒｆａｃｅ  Ｈｅａｄｇｅａｒ  Ａｒｒａｎｇｅｍｅｎｔ」という名称の米国仮特許出願第６２／３４３，７１１号、及び国際出願第ＰＣＴ／ＮＺ２０１４／００００７４号に図示及び記載されている編組要素の端へ、オーバーモールド加工することができる。芯要素又は線状体６４２は、編組要素内に延びることができる。エンドキャップ６０６は、編組要素、したがってヘッドギアをヨーク６００に接続し、閉ループヘッドギアシステムを作り出すことができる。
【０２３８】
[0382]本明細書に記載するように、いくつかの実施形態では、ヨーク６００は、自動調節可能又は自己調節式のヘッドギアシステムで使用される線状体６４２などの芯要素のための収集器を形成することができる。図１３６Ｃに示すように、ヨーク前部６０２は、上部ライントラック６３０及び下部ライントラック６３２を含む。ライントラック分割具６３４が、ヨーク前部６０２の背面又は内面から後方に突出する。ライントラック分割具６３４は、ヨーク前部６０２の長さの一部分にわたってほぼ対角線に延びる。図示の実施形態では、分割具壁６３５が、ワッシャハウジング６４６のそれぞれと対向するライントラックとの間に延びる。分割具壁６３５は、ワッシャハウジング６４６から対向するライントラックを分離し、その結果、線状体６４２の自由端が、後退中に対向するワッシャハウジング６４６内に引っ掛かることが抑制される。図示の実施形態では、ライントラック６３０、６３２は、ヨーク６００の上縁部及び下縁部の非対称性のため、鏡面対称ではない。
【０２３９】
[0383]図１４０は、ヨーク６００の変形形態を示し、ライントラック６３０、６３２は、ヨーク６００内でエンドキャップ６０６内へ延びて終わる。したがって、ライントラック６３０、６３２の長さは、ヨーク前部６０２及びヨーク後部６０４の端を越えて延びる。これにより、ヨーク６００内に貯蔵することができる線状体６４２の長さが増大され、以てヘッドギアのサイズの調節範囲又は変動性が増大される。ヘッドギアアセンブリ２００は、使用の際に使用者の頭部の周りに延びるヘッドギアループを画定する。線状体６４２は、マスクシステムの着脱中にヘッドギアループの総長を延ばすことを可能にする自動ヘッドギア調節機構の一部を形成する。いくつかのそのような実施形態では、ライントラック６３０、６３２のそれぞれの長さを約５ｍｍ増大させ又は延ばすことができる。したがって、そのような実施形態では、ヘッドギアループの総長は、延ばした状態で、約１０ｍｍ増大することができる。
【０２４０】
[0384]図１３９は、たとえば、フレーム５００及びヨーク６００とともに使用することができるシール５０２の例示的な実施形態を示す。図示の実施形態では、シール５０２は、リップパッド５０３を含み、リップパッド５０３は、シールクリップ１２２から封止面の下縁部に沿って外方に突出し、シールクリップ１２２に対するパッド又はクッションになる凸面領域を形成する。リップパッド５０３は、追加のクッションを提供することによって、シール５０２の下縁部がシールクリップ１２２で最低になるのを最小化することができ、以て特に上部リップ領域で、患者の快適さを改善することができる。
【０２４１】
[0385]図９５Ａ及び図９５Ｂは、シール及びフレームアセンブリ７０２、ヘッドギアアセンブリ７０４、並びにガス導管７０６を備える鼻マスクアセンブリ７００のそれぞれ前面図及び背面図を示す。シール及びフレームアセンブリ７０２は、フレーム７１０によって支持されたシールクッション７０８を備える。シールクッション７０８は、単独で、又はフレーム７１０と組み合わせて、鼻マスクアセンブリ７００の呼吸チャンバを画定する。シールクッション７０８は、直接鼻クッション（たとえば、鼻ピロークッション）の形態とすることができる。ガス導管７０６は、ガス源からの呼吸ガスの流れを鼻マスクアセンブリ７００の呼吸チャンバへ送達する。ヘッドギアアセンブリ７０４は、シール及びフレームアセンブリ７０２を使用者の顔の所望の位置で支持する。
【０２４２】
[0386]図９６〜１０７は、図９５のインターフェース又はマスクアセンブリのシールクッション又はシール７０８の一実施形態を示す。シール７０８は、比較のため、従来技術の鼻シール又は基準シール７０８Ｒの一例の隣に示されている。図示のように、シール７０８は、従来技術のシール７０８Ｒより小さい。本開示の一態様は、従来技術のシール７０８Ｒより小さい全体的なサイズ／体積を有するが、マスクアセンブリ（たとえば、マスクアセンブリ７００）内に組み込まれたときに使用者の顔を十分に封止して安定するシール（たとえば、シール７０８）を伴う。いくつかの構成では、シール７０８は、上述したように、自動調節可能なヘッドギア又は方向性ロック能力を有するヘッドギアと組み合わせて使用される。そのようなヘッドギアにより、マスクに印加されうる吹出し力又はホース抗力を均衡させる力を低減させ又は最小にして、シールを定位置に保持することが可能になる。マスクアセンブリの加圧なしでヘッドギアによって使用者に印加される力は、吹出し力を均衡させるために必要とされる力より小さくすることができる。そのようなシステムによって使用者の頭部に印加される力を低減させ又は最小にすることで、シールの封止面を低減又は最小化することが可能になることが、本発明者らによって見出された。これは、圧力点を低減させるためにより大きい封止面にわたってより強いヘッドギア力を分散させる必要がなくなるためである。著しい圧力点が生じることなく、より小さい封止面にわたってより小さい力を分散させることができる。これにより、より小さい接触面を有するより小さいシールが、使用者の顔に対して有効且つ快適なシールを形成することが可能になる。可能な限り目立たなくなり、使用者にとって閉所恐怖症の感覚がないように、呼吸マスクを可能な限り又は実行可能な限り小さくすることが有利である。自動調節可能なヘッドギア又は図９５のヘッドギアなどの方向性ロック能力を有するヘッドギアのいくつかの構成では、システムは、ヘッドギアの背部部分とマスクフレームとの間で非常に大きい可撓性を有するため、従来技術のシール７０８Ｒ又は他のタイプのヘッドギアと組み合わせて使用される他のシールより、シールが顔で安定していることが有益である。従来技術のシール７０８Ｒの膨張性により、従来技術のシール７０８Ｒは、使用者の鼻の周りで回転又は転がることが可能である。
【０２４３】
[0387]いくつかの要因により、シールをどれだけ小さくすることができるかが制限される。たとえば、通常、シールの最小サイズは、入口開口及び封止面のサイズによって影響又は制限される。シールは、空気経路の一部を形成しており、したがってシール及び患者の気道へ加圧ガスを送達するガス導管に接続しなければならない。ＣＰＡＰ（ブロア又は流れ生成器）と患者インターフェース／マスクとの間の圧力降下を最小化しながら、ガス導管の直径をどれだけ小さくすることができるかに関して、制限が存在する。いくつかの構成では、開示するシールとともに使用されるガス導管の内径は、１５ｍｍ以上である。
【０２４４】
[0388]いくつかの従来技術のマスクは、ガス導管をマスクフレームへ接続するために、Ｌ字継手を使用する。Ｌ字継手は、余分の重量及び嵩をマスクに加え、マスクの不安定性に寄与する可能性がある。本開示のインターフェースの少なくともいくつかの構成では、ガス導管とマスクフレームとの間（たとえば、ガス導管７０６とフレーム７１０との間）の直接接続を優先して、Ｌ字継手が省略されている。Ｌ字継手を除去することで、使用の際に重力中心が使用者の顔の方へ移動し、したがって回転モーメントが低減され、シールの安定性が改善される。
【０２４５】
[0389]バイアス流又は排気換気孔は、典型的には、直接鼻（たとえば、ピロー）マスクに対するＬ字継手内に位置する。Ｌ字継手がない場合、バイアス換気孔を他の場所に配置する必要がある。バイアス換気孔は、マスクの空気経路内に配置するべきであり、したがってシールの入口開口は、排気を換気することができる経路を収容するのに十分に大きいことが好ましい。したがって、シールの入口開口は、ガス入口、バイアス換気孔、及びマスクフレームをシールに取り付けるためのクリップ止め又は他の接続構造を収容するのに十分に大きいことが好ましい。シールの封止面は、シールと様々な患者の鼻孔との間に気密シールを形成するのに十分に大きくするべきである。
【０２４６】
[0390]図９６を参照すると、比較のため、本開示のシール７０８の隣に、従来技術の鼻シール７０８Ｒが示されている。従来技術のシール７０８Ｒは、全体が参照により本明細書に組み込まれている、本出願人の国際出願第ＷＯ２０１５／００９１７２号に開示されているシールと同じ又は同様とすることができる。従来技術のシール７０８Ｒのクッション及びシール７０８のクッションは、ほぼ類似の形状であるが、図示の配置では、シール７０８のクッションの全体的なサイズが、従来技術のシール７０８Ｒのクッションより小さい。シールクッション７０８、７０８Ｒはどちらも、それぞれ１対の鼻プロング又はピロー７１２、７１２Ｒを備え、鼻プロング７１２、７１２Ｒは、使用者の鼻孔に対する実質的なシールに係合し、そのようなシールを形成するように構成され、その結果、加圧空気の供給を使用者の気道へ送達することができる。少なくともいくつかの構成では、鼻プロング７１２、７１２Ｒは、実質上気密のシールを提供するために、鼻孔とシールクッション７０８、７０８Ｒとの間に１次接触を提供する１次封止面を提供する。シール７０８の鼻プロング７１２は、従来技術のシール７０８Ｒの鼻プロング７１２Ｒと同じ又は実質上同様の形状とすることができる。
【０２４７】
[0391]図９７を参照すると、従来技術のシール７０８Ｒは、鼻プロング７１２Ｒを取り囲んでつなぎ合わせる２次封止面７１４Ｒを備える。２次封止面７１４Ｒは、使用者の鼻の下部鼻表面を有する予備又は２次シールを形成する。２次封止面７１４Ｒは、鼻プロング７１２Ｒと使用者の鼻孔との間に生じうる空気漏れを捕らえて、シールクッションの外側に逃げることを実質上抑制又は防止するように構成される。
【０２４８】
[0392]図示のシール７０８のクッションは、従来技術の２次封止面７１４Ｒより小さい２次封止面７１４を備える。シール７０８の２次封止面７１４は、鼻プロング７１２から径方向外方に延びることなく、主に２つの鼻プロング７１２間に延び、鼻プロング７１２間にリンクを形成する。いくつかの構成では、２次封止面７１４は、鼻プロング７１２の最上範囲又はその下の上部境界と、鼻プロング７１２の最下範囲又はその上の下部境界とを有する。いくつかの構成では、２次封止面７１４は、鼻プロング７１２間又は鼻プロング７１２周辺に、シール７０８の使用者向き表面の凹面部分によって画定される。シール７０８の２次封止面又は周辺領域７１４は、そのより小さいサイズのため、従来技術のシール７０８Ｒの場合と比較して、２次シールとしての役割より小さい役割を実行することができる。いくつかの構成では、シール７０８の２次封止面７１４は、使用者の鼻の下面で漏れを捕らえるためだけに構成することができ、少なくとも一部の使用者に対して使用者の鼻孔の外縁部に実質的な２次シールを提供しない可能性がある。しかし、いくつかの構成では、シール７０８の２次封止面７１４は、シールクッション７０８の周辺部全体に２次シールを提供するように構成することができる。
【０２４９】
[0393]いくつかの構成では、シールクッション７０８の２次封止面７１４は、図９８及び図９９に重なる幾何形状によって示すように、従来技術のシールクッション７０８Ｒの２次封止面の対応する部分と実質上類似又は同一の輪郭である。上記で論じたように、両方のシール７０８、７０８Ｒの鼻プロング７１２、７１２Ｒの１次封止面も同様に、実質上類似のものとすることができる。
【０２５０】
[0394]図９９を参照すると、両方のシールクッション７０８、７０８Ｒの鼻プロング７１２、７１２Ｒは、出口７１６、７１６Ｒを備え、加圧空気の供給は、出口７１６、７１６Ｒを通過する。出口７１６、７１６Ｒは、鼻プロング７１２、７１２Ｒの切頭頂点に形成された長円形の開口を構成する。長円形の開口７１６、７１６Ｒは、長軸線７１８及び短軸線７２０を有する。図示の配置では、シール７０８の出口７１６の長軸線７１８に沿った寸法は、従来技術の出口７１６Ｒの長軸線７１８に沿った対応する寸法より長い。少なくともいくつかの構成では、この差は、出口７１６、７１６Ｒの内周面にのみ存在する。出口７１６、７１６Ｒの長軸線７１８に沿ったこれらの寸法は、出口７１６、７１６Ｒの外周面では同じ長さである。この構成により、シール７０８の出口７１６で均一の壁の厚さが提供され、以て均一の柔軟性が提供されて、着用者にとっての快適さ及び適合性が改善される。両方のシール７０８及び従来技術のシール７０８Ｒの短軸線７２０に沿った出口７１６、７１６Ｒの寸法は、実質上同じである。
【０２５１】
[0395]図１００を参照すると、シール７０８の全体的な高さ７２２は、従来技術のシール７０８Ｒの高さ７２２Ｒより小さい。シール７０８の高さ７２２の方向に沿った寸法は、従来技術のシール７０８Ｒと比較して、頂部及び底部の両方で低減されている。図示の配置では、高さ７２２は、主にシール７０８の頂部で低減されている。これは、両方のシール７０８、７０８Ｒの鼻プロング７１２、７１２Ｒが位置合わせされた中心線７２４より上の高さ７２２、７２２Ｒの差によって示されている。高さ７２２が低減されることで、シール７０８が着用者にとってより目立たなくなる。また、高さ７２２が低減されることは、シール７０８が着用者の鼻のより低い場所に位置し、場合により、着用者の鼻の先端を覆うことができないことを意味する。いくつかの構成では、高さ７２２は、約３８ｍｍ、３５ｍｍ、又は３３ｍｍ以下とすることができる。いくつかの構成では、高さ７２２は、約３２ｍｍ（たとえば、３２．２ｍｍ）に等しい。比較のため、図示の従来技術のシール７０８Ｒは、４２．３ｍｍの高さ７２２Ｒを有する。
【０２５２】
[0396]図示のように、従来技術のシール７０８Ｒの入口７２６Ｒは、円形のプロファイルを備える。シール７０８の入口７２６は、丸くした台形又は不等辺四辺形のような形状である。言い換えると、シール７０８の入口７２６は、実質上「Ｄ字状」であり、シール７０８のクッションの外側シルエット（前から見たとき）をある程度追従する。入口７２６は、シールクッション７０８をマスクフレーム（たとえば、マスクフレーム７１０）にクリップ留めするように構成されたクリップ留め機構（図示しないが、図１１９〜１２２のクリップ留め機構と同じ又は類似のものとすることができる）によって取り囲まれるように構成される。シール７０８の「Ｄ字状」の入口７２６は、誤った組立てを防止し、したがって使いやすさを改善する位置合わせ特徴を、シールクッション７０８とマスクフレーム（たとえば、マスクフレーム７１０）との間に提供する。
【０２５３】
[0397]図１０１を参照すると、シール７０８の全体的な深さ７３０は、従来技術のシール７０８Ｒの深さ７３０Ｒより小さい。シール７０８の深さ７３０は、従来技術のシール７０８Ｒと比較して、前部及び後部の両方で低減されている。深さ７３０が低減されることは、シール７０８が着用者にとってより目立たなくなることに寄与し、着用者の顔に対するシール７０８の回転運動（横方向軸線の周りの垂直平面内）を低減させるのを助けることができる。深さ７３０がより小さくなることで、重力中心を顔のより近くに動かすことによって、顔でのシールクッション７０８のモーメントが低減される。上述したように、これは、シール７０８が自動調節可能なヘッドギア又は１つ若しくは複数の方向性ロックを組み込むヘッドギアと組み合わせて使用されるときに有益である。いくつかの構成では、従来技術のシール７０８Ｒに対して４４．４ｍｍの全体的な深さ７３０Ｒと比較して、シール７０８の全体的な深さ７３０は、４０ｍｍ以下、３８ｍｍ以下、又は約３５ｍｍ（たとえば、３５．７ｍｍ）である。いくつかの構成では、従来技術のシール７０８Ｒに対して６８．１ｍｍの全体的な幅７３２Ｒと比較して、シール７０８の全体的な幅７３２は、６０ｍｍ以下、又は約５７ｍｍ（たとえば、５７．４ｍｍ）である。
【０２５４】
[0398]図１０２を参照すると、従来技術のシールクッション７０８Ｒに対してシールクッション７０８の高さ７２２及び深さ７３０が低減される結果、少なくともいくつかの構成では、シール７０８の上部又は回転ブリッジ部分７３８が、従来技術のシール７０８Ｒの上部又は回転ブリッジ部分７３８Ｒより小さい（より小さい深さ又は前後寸法を有する）。従来技術のシール７０８Ｒの回転ブリッジ７３８Ｒは、シールクッション７０８Ｒがより広い範囲の鼻の幾何形状を収容することを可能にするように、回転又は変形するように構成された薄い領域又は壁の厚さが低減された領域を備える。シール７０８の回転ブリッジ７３８のサイズを低減させることで、シールクッション７０８の変形量を最小化することによって、シールクッション７０８と着用者の顔との間の不安定性を低減させることができる。
【０２５５】
[0399]従来技術のシール７０８Ｒの入口７２６Ｒ及びシール７０８の入口７２６はどちらも、シールクッション７０８、７０８Ｒの側から見ると比較的平面である。シール７０８の入口７２６は、鼻プロング７１２、７１２Ｒが同じ位置にあるとき、従来技術のシール７０８Ｒの入口７２６Ｒの角度７４０Ｒより、水平平面に対して大きい角度７４０で角度が付けられている（図１０２）。言い換えれば、シール７０８の入口７２６は、鼻プロング７１２、７１２Ｒが同じ位置にあるとき、従来技術のシール７０８Ｒの入口７２６Ｒより垂直方向に近い。追加として、シール７０８の入口７２６は、従来技術のシール７０８Ｒの入口７２６Ｒと比較して、着用者の顔の方へずれている（使用の際）。
【０２５６】
[0400]図１０３及び図１０４は、比較のため、従来技術のシール７０８Ｒ及びシール７０８の厚さマップを示す。異なる線影パターンによって、異なる厚さが示されている。従来技術のシール７０８Ｒは、最薄から最厚の順序で、３つの厚さ区間又は領域７４２Ｒ、７４４Ｒ、７４６Ｒを備える。シール７０８は、最薄から最厚の順序で、２つの厚さ区間又は領域７４４、７４６を備える。区間又は領域７４２Ｒは、約０．３又は０．４ｍｍ以下の厚さを有することができる。区間又は領域７４４、７４４Ｒは、約０．４又は０．５ｍｍ〜約０．８又は１ｍｍの厚さを有することができる。区間又は領域７４６、７４６Ｒは、１又は１．５ｍｍ以上の厚さを有することができる。シール７０８の回転ブリッジ７３８は、その少なくとも一部分において、従来技術のシール７０８Ｒの回転ブリッジ７３８Ｒ（図１０２に示す）に対して、より平滑な移行部及び増大された壁の厚さを有する。そのような配置は、突然の厚さ移行部で折畳み又は折り目が形成されるのを抑制又は防止し、印加された力を受けてより均一の歪みを提供し、安定性を改善する。図１０３に示すように、シール７０８の厚くした側部領域７４６は、シール７０８の側壁に制限される。すなわち、より薄い領域が、頂壁及び底壁から移行領域を通って、側壁の方へ又は側壁上へ延びる。いくつかの構成では、厚くした側部領域７４６は、１ｍｍ以上の壁の厚さを有し、頂壁及び底壁の比較的より薄い領域は、１ｍｍ以下の壁の厚さを有す。図示の配置では、１ｍｍより大きい壁の厚さは、側壁７４６に制限され、１ｍｍより小さい壁の厚さは、側壁と頂壁及び底壁との間の移行部へ延びる。
【０２５７】
[0401]図１０５を参照すると、外方に突出する角部７４８、７４８Ｒのサイズ及び壁の厚さは、従来技術のシール７０８Ｒに対してシール７０８内で低減されている。シールクッション７０８のサイズがより小さいということは、外方に突出する角部７４８が着用者の顔に接触する可能性がより低く、安定性が提供されることを意味する。従来技術のシール７０８Ｒで外方に突出する角部７４８Ｒによって提供される安定性の低減を阻止するために、シールクッション７０８は、内壁の厚さを増大させること及び回転ブリッジ７３８のサイズを低減させることによってより安定しており、したがって外方に突出する角部７４８は、安定性を提供することに関してそれほど重要でなくなる。これは、シールクッション７０８の外方に突出する角部７４８が、安定性を提供するための大きい力で上部リップ表面に接触する必要がなくなり、したがってより小さくすることができ、より薄い壁の厚さを有することができることを意味する。外方に突出する角部７４８の壁の厚さを低減させることで、より柔軟にし、着用者の顔の幾何形状に合うように屈曲することを可能にすることができる。
【０２５８】
[0402]図１０６を参照すると、鼻プロング７１２、７１２Ｒの１次封止面及び２次封止面７１４、７１４Ｒは、シールクッション７０８、７０８Ｒの両方の内面を形成し、これらの内面は、使用の際、着用者の顔に隣り合う。シールクッション７０８は、従来技術のシールクッション７０８Ｒより、内面で大きい壁の厚さを有する。いくつかの構成では、シールクッション７０８の内面は、０．２５ｍｍの従来技術の内面の壁の厚さと比較して、０．３ｍｍより大きい、０．４ｍｍより大きい、又は約０．４５ｍｍの壁の厚さを有する。シールクッション７０８の内面の増大された壁の厚さは、従来技術のシールクッション７０８Ｒの内面より変形の影響を受けにくく、着用者の顔で増大された安定性が提供される。場合により、これは、より厚い壁を有する部分を成形することがより容易になるため、製造性を改善することができる。
【０２５９】
[0403]図１０６はまた、比較のため、シール７０８の使用者接触面によって画定される谷の深さ７５０と、従来技術のシール７０８Ｒの谷の深さ７５０Ｒとを示す。谷の深さ７５０、７５０Ｒは、図示のシール７０８、７０８Ｒのそれぞれの垂直方向中心平面に沿って生じるシールの使用者接触面の上部及び下部部分の最背部の点によって画定される線に対する最大深さとして画定される。図示のように、シール７０８の谷の深さ７５０は、従来技術のシール７０８Ｒの谷の深さ７５０Ｒより大幅に小さい。いくつかの構成では、シール７０８の谷の深さ７５０は、約１．２ｍｍより小さい。たとえば、シール７０８の谷の深さ７５０は、約０．９ｍｍ〜１．２ｍｍとすることができ、又は約１．１２５ｍｍとすることができる。比較として、従来技術のシール７０８Ｒの谷の深さ７５０Ｒは、約４．５〜５ｍｍである。図示のシール７０８、７０８Ｒでは、この差の少なくとも大部分は、従来技術のシール７０８Ｒ内の回転ブリッジ部分７３８Ｒがより大きいことに起因する。
【０２６０】
[0404]図１０７は、比較のため、図１０３〜１０５と同じ線影を使用して、従来技術のシール７０８Ｒ及びシール７０８の底面厚さマップを示す。図１０７は、シール７０８が、前壁と底壁との間により平滑な厚さ移行部を有することを示す（図１０２及び図１０６に示す）。そのような配置は、突然の厚さ移行部で折畳み又は折り目が形成されるのを抑制又は防止し、印加された力を受けてより均一の歪みを提供し、安定性を改善する。
【０２６１】
[0405]図１０８は、シール７０８（左、本明細書では「第１のシール」と呼ぶことができる）、従来技術のシール７０８Ｒ（右）、及び本明細書では「第２のシール」と呼ばれる鼻シール７０８ａの別の実施形態の正面図を提供する。図示のシールクッション７０８、７０８ａ、７０８Ｒのすべての入口開口７２６、７２６ａ、７２６Ｒは、シールクッション７０８、７０８ａ、７０８Ｒをマスクフレームに接続するシールクリップを受け入れるように構成される。第１のシール７０８及び第２のシール７０８ａの入口開口７２６、７２６ａは、ガス入口及びバイアス換気孔がシールクリップ内に嵌合することを可能にするようなサイズである。第２のシール７０８ａの入口開口７２６ａの下縁部は、入口開口７２６の下縁部より湾曲しており、入口開口７２６ａの最大幅は、入口開口７２６の最大幅より大きい。追加として、入口開口７２６ａを取り囲む前面は、入口開口７２６を取り囲む比較的平面の前面より湾曲している。図１０８はまた、第１のシール７０８、第２のシール７０８ａ及び従来技術のシール７０８Ｒの全体的な相対高さ７２２、７２２ａ、７２２Ｒ及び幅７３２、７３２ａ、７３２Ｒを示す。第１のシール７０８及び第２のシール７０８ａは、４０ｍｍ以下の高さ７２２、７２２ａ及び６５ｍｍ以下の幅７３２、７３２ａを有することができる。図示の第１のシール７０８は、約３５ｍｍ（たとえば、３５．２ｍｍ）の高さ７２２及び約５８〜６０ｍｍ（たとえば、５８．５ｍｍ）の幅７３２を有する。図示の第２のシール７０８ａは、約３５〜３６ｍｍ（たとえば、３５．５ｍｍ）の高さ７２２ａ及び約６０〜６２ｍｍ（たとえば、６１ｍｍ）の幅７３２ａを有する。図示の従来技術のシール７０８Ｒは、４８．２ｍｍの高さ７２２Ｒ及び６８ｍｍの幅７３２Ｒを有する。
【０２６２】
[0406]図１０９は、シール７０８、第２のシール７０８ａ、及び従来技術のシール７０８Ｒの上面図を提供する。第２のシール７０８ａの湾曲した入口７２６ａは、シールクッション７０８と比較して、第２のシールクッション７０８ａの横方向縁部の方へ深さを低減させることを可能にする。これにより、シールクッション７０８ａがより小さく見え、使用の際にシールクッション７０８ａの重力中心を着用者の顔のより近くに移動させるのを助ける。図１０９は、それぞれ従来技術のシール７０８Ｒ（左）、シール７０８（右）、及び第２のシール７０８ａ（中央）の全体的な深さ７３０Ｒ、７３０、７３０ａを示す。シール７０８は、約３０ｍｍの深さ７３０を有し、第２のシール７０８ａは、約３２〜３３ｍｍ（たとえば、３２．５ｍｍ）の深さ７３０ａを有し、従来技術のシール７０８Ｒは、約３８〜４０ｍｍ（たとえば、３８．２ｍｍ）の深さ７３０Ｒを有する。
【０２６３】
[0407]図１１０を参照すると、シール７０８、７０８ａ、７０８Ｒは、それぞれシール７０８、７０８ａ、７０８Ｒの垂直方向中心平面に沿った頂面の深さとして画定されるブリッジ深さ７５２、７５２ａ、７５２Ｒを有する。ブリッジ深さ７５２、７５２ａは、従来技術のシール７０８Ｒと比較して、シール７０８及び第２のシール７０８ａ内で低減されており、使用者の鼻でのシール７０８、７０８ａの不安定性及び回転が低減又は最小化される。ブリッジ部分７３８、７３８ａは、シール７０８及び第２のシール７０８ａ内でより大きい壁の厚さを有し、安定性も改善される。図１０４の厚さマップは、シール７０８の増大される厚さ及びより平滑な厚さ移行部を示す。第２のシール７０８ａは、シール７０８と類似の厚さ及び／又は厚さ移行部を有することができる。
【０２６４】
[0408]第１のシール７０８及び第２のシール７０８ａのブリッジ深さ７５２、７５２ａは、１５ｍｍ以下とすることができる。図示の配置では、シール７０８のブリッジ深さ７５２は、１１ｍｍであり、第２のシール７０８ａのブリッジ深さ７５２ａは、１３．５ｍｍであり、従来技術のシール７０８Ｒのブリッジ深さ７５２Ｒは、２１．７ｍｍである。したがって、図１０９で識別される深さ７３０、７３０ａ、７３０Ｒを参照すると、シール７０８のブリッジ深さ７５２は、シール７０８の全体的な深さ７３０の２分の１より小さい。いくつかの構成では、ブリッジ深さ７５２は、全体的な深さ７３０の約３分の１である。第２のシール７０８ａのブリッジ深さ７５２ａは、第２のシール７０８ａの全体的な深さ７３０ａの２分の１より小さい。いくつかの構成では、ブリッジ深さ７５２ａは、全体的な深さ７３０ａの約５分の２である。対照的に、従来技術のシール７０８Ｒのブリッジ深さ７５２Ｒは、従来技術のシール７０８Ｒの全体的な深さ７３０Ｒの２分の１より大きい。特に、従来技術のシール７０８Ｒのブリッジ深さ７５２Ｒは、従来技術のシール７０８Ｒの全体的な深さ７３０Ｒの約５分の４である。
【０２６５】
[0409]シール７０８、７０８ａ、７０８Ｒはまた、それぞれ、前面からプロング７１２、７１２ａ、７１２Ｒの内側部分までの内側プロング深さ７５４、７５４ａ、７５４Ｒと、前面からプロング７１２、７１２ａ、７１２Ｒの外側部分までの外側プロング深さ７５６、７５６ａ、７５６Ｒとを画定する。シール７０８、７０８ａの内側プロング深さ７５４、７５４ａ及び外側プロング深さ７５６、７５６ａはどちらも、シール７０８Ｒのそれぞれの内側プロング深さ７５４Ｒ及び外側プロング深さ７５６Ｒより小さく、これは部分的又は主に、より小さいブリッジ深さ７５２、７５２ａの結果の可能性がある。図示のシール７０８、７０８ａ、７０８Ｒでは、内側プロング深さ７５４、７５４ａ、７５４Ｒは、それぞれ２４．５ｍｍ、２５．８ｍｍ、及び２９．８ｍｍであり、外側プロング深さは、それぞれ２７ｍｍ、２８．９ｍｍ、及び３２．２ｍｍである。
【０２６６】
[0410]図１１１を参照すると、第２のシール７０８ａのプロング７１２ａの幾何形状は、シール７０８のプロング７１２の幾何形状及び従来技術のシール７０８Ｒのプロング７１２Ｒの幾何形状より円錐形であり、それほど曲線的ではない。より円錐形であり且つそれほど曲線的でない形状は、プロング７１２ａがより大きい鼻孔内へ遠くに延びすぎることなく、より広い範囲の鼻の幾何形状を封止するのを助ける。
【０２６７】
[0411]図１１１はまた、比較のため、シール７０８、第２のシール７０８ａ、及び従来技術のシール７０８Ｒのそれぞれの封止面７６０、７６０ａ、７６０Ｒの面積（プロング７１２、７１２ａ、７１２Ｒ及び２次封止面７１４、７１４ａ、７１４Ｒを含む）をそれぞれ示す。図示のように、従来技術のシール７０８Ｒの封止面積７６０Ｒは、１０００ｍｍ２より大きく、特に約１１００ｍｍ２（１１０２ｍｍ２）である。対照的に、シール７０８及び第２のシール７０８ａのそれぞれの封止面積７６０、７６０ａは、１０００ｍｍ２より小さい。特に、シール７０８の封止面積７６０は、約９００ｍｍ２（たとえば、９０７ｍｍ２）であり、第２のシール７０８ａの封止面積７６０ａは、約８８０ｍｍ２（たとえば、８８３ｍｍ２）である。
【０２６８】
[0412]図１１２は、比較のため、シール７０８、第２のシール７０８ａ、及び従来技術のシール７０８Ｒの底面図を提供する。図１０９に関連して説明したように、第２のシール７０８ａは、横方向に湾曲した入口７２６ａを含む。シール７０８は、平面の入口７２６を含む。
【０２６９】
[0413]図１１３は、互いに重ね合わせたシール７０８、第２のシール７０８ａ、及び従来技術のシール７０８Ｒの側面図を示す。図１１４は、従来技術のシール７０８Ｒに重ね合わせた第２のシール７０８ａを示す。上述したように、シール７０８及び第２のシール７０８ａは、従来技術のシール７０８Ｒと比較すると、大幅に小さい高さ及び深さを有する。
【０２７０】
[0414]図１１５は、互いに重ね合わせたシール７０８、第２のシール７０８ａ、及び従来技術のシール７０８Ｒの中心垂直平面に沿った断面図である。図１１５は、第１のシール７０８及び第２のシール７０８ａの内部（使用者向き）の壁の厚さが、従来技術のシール７０８Ｒの内部の壁の厚さより大きいことを示す。図１１６は、互いに重ね合わせたシール７０８及び第２のシール７０８ａの断面図である。図１１６は、シール７０８の平面の入口７２６と比較すると、第２のシール７０８ａの横方向に湾曲した入口開口７２６ａを示す。
【０２７１】
[0415]図１１７は、互いに重ね合わせたシール７０８、第２のシール７０８ａ、及び従来技術のシール７０８Ｒの中心水平平面に沿った断面図を示す。図１１７は、第１のシールクッション７０８及び第２のシールクッション７０８ａの両方の壁の厚さが、従来技術のシールクッション７０８Ｒと比較して、外面で低減されていることを示す。
【０２７２】
[0416]図１１８は、図１１７と同じ断面図であるが、従来技術のシール７０８Ｒを省略している。図１１８は、プロング先端の角度が、シール７０８と第２のシール７０８ａとの間で変わっていることを示す。図示の配置では、シール７０８のプロング角度７６２は、約１２０度であり、第２のシールのプロング角度７６２ａは、約１４０度である。第２のシールクッション７０８ａのプロング先端間の増大された角度７６２ａは、使用者の隔膜にかかる圧力を低減させることが予期されており、プロング７１２ａがそれほど邪魔にならないようにすることができる。
【０２７３】
[0417]図１１９及び図１２０を参照すると、第２のシール７０８ａは、シールクリップ７６４ａを含む。シールクリップ７６４ａは、シールの入口開口７２６ａの縁部を挟むようにともにクリップ留めするように構成された内側クリップ部分又は内側クリップ７６６ａ及び外側クリップ部分又は外側クリップ７６８ａを備える。いくつかの構成では、内側クリップ７６６ａ及び外側クリップ７６８ａは、スナップ嵌めの幾何形状又は任意の他の適した手段（溶接、接着など）によって、互いに恒久的に連結される。内側クリップ７６６ａは、ガス入口開口部７７０ａ及び換気孔領域７７２ａを画定する。ガス入口開口部７７０ａは、換気孔領域７７２ａより大きい面積を有し、換気孔領域７７２ａの下に配置される。
【０２７４】
[0418]ガス入口開口部７７０ａは、マスクフレーム（たとえば、フレーム７１０）のフランジを受け入れてそれに接続されるように構成される。図示の配置では、フランジと内側クリップ７６６ａとの間の接続は、スナップ嵌めバンプ７７４ａによって提供されており、シール７０８ａをフレームに繰り返し接続及び切断することができるように構成される。フランジは、フレームとガス導管との間の接続を取り囲むように構成される。したがって、ガス入口開口部７７０ａは、ガス導管のサイズ及びフレームへの接続に応じたサイズである。図示の配置では、ガス入口開口部７７０ａは、約２７ｍｍの最大幅７７６ａ及び約１４ｍｍの最大の高さ７７８ａを有する。
【０２７５】
[0419]換気孔領域７７２ａは、換気孔領域７７２ａを通過するすべての空気／ガスが拡散器７８２ａを通過するように、換気孔領域７７２ａ内で拡散器７８２ａを保持する拡散器クリップ７８０ａを受け入れて保持するように構成される。拡散器クリップ７８０ａは、スナップ嵌め接続又は他の適した配置（たとえば、溶接）によって、内側クリップ７６６ａに恒久的又は一時的に接続することができる。
【０２７６】
[0420]拡散器７８２ａは、空気が通過することができる繊維布を備える。拡散器７８２ａの面積は、拡散器７８２ａの密度と組み合わせて、シール７０８ａがその一部であるマスク（たとえば、マスク７０２）内から吐き出されたＣＯ２を流すのに十分な空気が換気孔領域７７２ａを通って流れることを可能にするように構成される。いくつかの実施形態では、約３１Ｌ／分の流量が所望されることがある。
【０２７７】
[0421]図示の配置では、拡散器７８２ａは、オーバーモールド加工又は溶接などの手段によって、拡散器クリップ７８０ａに恒久的に接合される。拡散器クリップ７８０ａは、拡散器７８２ａによって充填される開口を備える。
【０２７８】
[0422]換気孔領域７７２ａは、内側クリップ７６６ａの内周部から内方に延びる１対の分離器７８４ａによって、その下限で境界設定される。分離器７８４ａは、中央で交わらないように、幅にわたって部分的に延びる。分離器７８４ａは、内側クリップ７６６ａ内で拡散器クリップ７８０ａを支持するように構成される。
【０２７９】
[0423]図１２１及び図１２２を参照すると、内側クリップ７６６ａの修正された実施形態が、内側クリップ７６６ａの幅全体にわたって延びて換気孔開口７８６ａを画定する単一の分離器７８４ａを備える。拡散器クリップ７８０ａは、換気孔開口７８６ａ内で内側クリップ７６６ａに恒久的に接合される。拡散器クリップ７８０ａは、オーバーモールド加工、溶接、又は接着などによって、内側クリップ７６６ａに接合することができる。
【０２８０】
[0424]図１２３は、比較のため、第２のシール７０８ａのプロング７１２ａの出口端を、従来技術のシール７０８Ｒのプロング７１２Ｒの端とともに示す。図示のように、プロング７１２ａ、７１２Ｒの各出口端は、長軸線７１８ａ、７１８Ｒ及び短軸線７２０ａ、７２０Ｒを画定する。プロング７１２Ｒの出口端は、長軸線７１８Ｒ及び短軸線７２０Ｒに関して対称である。出口端は、内側部分の幅７９２Ｒ及び外側部分の幅７９４Ｒによって画定される幅７９０Ｒを有する。幅７９２Ｒ、７９４Ｒは、互いに等しい。各幅７９２Ｒ、７９４Ｒは、２．９０ｍｍの寸法を有し、したがって全体的な幅７９０Ｒは、５．８ｍｍの寸法を有する。出口端は、上部部分の高さ７９８Ｒ及び下部部分の高さ８００Ｒによって画定される高さ７９６Ｒを有する。高さ７９８Ｒ、８００Ｒは、互いに等しい。各高さ７９８Ｒ、８００Ｒは、４．６ｍｍの寸法を有し、したがって全体的な高さ７９６Ｒは、９．２ｍｍの寸法を有する。対照的に、プロング７１２ａの出口端は、長軸線７１８ａ及び短軸線７２０ａの少なくとも１つに関して非対称である。図示の配置では、幅７９０ａは、内側部分の幅７９２ａ及び外側部分の幅７９４ａから構成され、幅７９４ａは、幅７９２ａより大きい。図示の配置では、幅７９２ａは、２．６ｍｍであり、幅７９４ａは、３．０ｍｍであり、全体的な幅７９０ａは５．６ｍｍである。高さ７９６ａは、上部部分の高さ７９８ａ及び下部部分の高さ８００ａから構成され、高さ７９８ａ及び高さ８００ａは互いに等しい。図示の配置では、高さ７９８ａ及び高さ８００ａはそれぞれ、４．２５ｍｍの寸法を有し、したがって全体的な高さ７９６ａは、８．５ｍｍの寸法を有する。
【０２８１】
[0425]図１２４は、第２のシール７０８ａ、シールクリップ７６４ａ、及び拡散器クリップ７８０ａの分解図である。図１２４で、シールクリップ７６４ａは、シール７０８ａとは別にともにクリップ留めされた内側クリップ７６６ａ及び外側クリップ７６８ａを示す。拡散器クリップ７８０ａもまた、シール７０８ａ及びシールクリップ７６４ａとは別に示されている。
【０２８２】
[0426]図１２５及び図１２６は、比較のため、それぞれ第１のシールクッション７０８の隣に従来技術のシールクッション７０８Ｒの上面図及び側面図を示す。上述したように、シール７０８のうち鼻プロング７１２を取り囲む部分は、所与のシール又は鼻プロングサイズに対して、シール７０８Ｒのうち鼻プロング７１２Ｒを取り囲む部分より実質上小さい。
【０２８３】
[0427]図１２７〜１２９は、第１のシールクッション７０８の上にある従来技術のシールクッション７０８Ｒのいくつかの図を示し、鼻プロング７１２Ｒ、７１２は、互いに実質上位置合わせされている。図１２７〜１２９は、他の差の中でも、シール７０８、７０８Ｒの様々な部分の壁の厚さの差、入口開口部７２６、７２６Ｒの姿勢又は角度の差、並びに全体的なサイズ及び形状の差を示す。
【０２８４】
[0428]図１３０は、従来技術のシールクッション７０８Ｒ及び第１のシールクッション７０８の厚さマップを示し、シール７０８、７０８Ｒを正面及び背面斜視図で示す。図１３０は、図１０３〜１０５及び図１０７に関連して説明した壁の厚さ範囲を示すために、同じ線影パターンを利用する。
【０２８５】
[0429]図１３１は、比較のため、互いに重なるシール７０８、７０８ａ、及び７０８Ｒの異なる組合せの上面図を示す。
【０２８６】
[0430]図１３２は、比較のため、互いに重なるシール７０８、７０８ａ、及び７０８Ｒ、並びに互いに重なるシール７０８、７０８ａの垂直方向横方向平面に沿って切り取られている断面図を示す。
【０２８７】
[0431]文脈上別途明らかに必要としない限り、説明及び特許請求の範囲全体にわたって、「備える（ｃｏｍｐｒｉｓｅ）」、「備える（ｃｏｍｐｒｉｓｉｎｇ）」などの単語は、排他的又は網羅的な意味ではなく、包括的な意味で、すなわち「〜を含むが、それだけに限定されない（ｉｎｃｌｕｄｉｎｇ，  ｂｕｔ  ｎｏｔ  ｌｉｍｉｔｅｄ  ｔｏ）」という意味で解釈されたい。とりわけ「できる（ｃａｎ）」、「できる（ｃｏｕｌｄ）」、「できる（ｍｉｇｈｔ）」、「できる（ｍａｙ）」、「たとえば（ｅ．ｇ．）」などの本明細書で使用される条件言語は、概して、別途具体的な指示がない限り、又は使用される文脈で他の形で理解されない限り、特定の実施形態が特定の特徴、要素、及び／又は状態を含むが、他の実施形態は含まないことを伝えることが意図される。したがって、そのような条件言語は、概して、特徴、要素、及び／又は状態が１つ若しくは複数の実施形態に何らかの形で必要とされることを示唆することが意図されるものではなく、又は１つ若しくは複数の実施形態が、著者入力若しくは指示の有無にかかわらず、何らかの特定の実施形態でこれらの特徴、要素、及び／又は状態が含まれるかどうか若しくは実行すべきかどうかを決定する論理を必ず含むことを示唆することが意図されるものでもない。
【０２８８】
[0432]「複数（ｐｌｕｒａｌｉｔｙ）」という用語は、項目の２つ以上を指す。数量、寸法、サイズ、式、パラメータ、形状、及び他の特徴の列挙は、「約（ａｂｏｕｔ）」又は「約（ａｐｐｒｏｘｉｍａｔｅｌｙ）」という用語が数量、寸法、サイズ、式、パラメータ、形状、又は他の特徴に先行する場合と同様に解釈されたい。「約（ａｂｏｕｔ）」又は「約（ａｐｐｒｏｘｉｍａｔｅｌｙ）」という用語は、数量、寸法、サイズ、式、パラメータ、形状、及び他の特徴が正確である必要はなく、所望され場合、許容公差、変換係数、端数計算、測定誤差など、及び当業者には知られている他の要因を反映して、近似すること、及び／又はより大きく若しくは小さくすることができることを意味する。数量、寸法、サイズ、式、パラメータ、形状、及び他の特徴の列挙はまた、「実質上（ｓｕｂｓｔａｎｔｉａｌｌｙ）」という用語が数量、寸法、サイズ、式、パラメータ、形状、又は他の特徴に先行する場合と同様に解釈されたい。「実質上（ｓｕｂｓｔａｎｔｉａｌｌｙ）」という用語は、列挙する特徴、パラメータ、又は値が正確に実現される必要はなく、その特徴が提供することが意図された影響を除外しないことを考慮して、たとえば公差、測定誤差、測定精度の制限、及び当業者には知られている他の要因を含む逸脱又は変動が生じうることを意味する。
【０２８９】
[0433]数値データは、本明細書では、範囲形式で表現又は提示することができる。そのような範囲形式は、利便性及び簡潔性のためだけに使用され、したがってその範囲の限界として明示的に列挙されている数値だけでなく、各数値及び下位範囲が明示的に列挙された場合と同様に、その範囲内に包含される個々の数値又は下位範囲のすべてを含むと柔軟に解釈されるべきであることを理解されたい。例として、「１〜５」の数値範囲は、明示的に列挙されている約１〜約５の値だけでなく、記載されている範囲内の個々の値及び下位範囲も含むと解釈されたい。したがって、この数値範囲内には、２、３、及び４などの個々の値、並びに「１〜３」、「２〜４」、及び「３〜５」などの下位範囲が含まれる。この同じ原理が、１つの数値のみを列挙する範囲（たとえば、「１より大きい」）にも当てはまり、記載されている範囲又は特徴の広さにかかわらず当てはまるべきである。
【０２９０】
[0434]利便性のため、共通の一覧内に複数の項目を提示することができる。しかし、これらの一覧は、一覧の各部材が別個の固有の部材として個々に識別される場合と同様に解釈されたい。したがって、そのような一覧の個々の部材は、逆の内容が指示されない限り、共通のグループ内に存在することだけに基づいて、同じ一覧の何らかの他の部材と事実上の同等であると解釈されるべきではない。さらに、「及び（ａｎｄ）」及び「又は（ｏｒ）」という用語は、項目の一覧とともに使用される場合、列挙された項目のうちのいずれか１つ又は複数を単独で、又は他の列挙された項目と組み合わせて使用することができるという点で、広義に解釈されたい。「別法として（ａｌｔｅｒｎａｔｉｖｅｌｙ）」という用語は、２つ以上の代替手段のうちの１つの選択を指し、文脈上別途明らかに指示されない限り、それらの列挙された代替手段のみに、又は一度に列挙された代替手段のうちの１つのみに、この選択を限定することを意図するものではない。
【０２９１】
[0435]本明細書では、何らかの従来技術の参照は、その従来技術が世界のいずれかの国の努力分野で共通の一般知識の一部を形成しているという肯定又は何らかの形の提案ではなく、そのように解釈されるべきでもない。
【０２９２】
[0436]上記の説明で、その周知の均等物を有する整数又は構成要素を参照したとき、それらの整数は、個々に記載した場合と同様に本明細書に組み込まれる。
【０２９３】
[0437]本発明はまた、本出願の本明細書に参照又は例示した部分、要素、及び特徴から、個別又は集合的に、前記部分、要素、又は特徴の２つ以上のあらゆる組合せで構成されると広義に考えることができる。
【０２９４】
[0438]本明細書に記載する好ましい実施形態に対する様々な変更及び修正が、当業者には明らかになることに留意されたい。そのような変更及び修正は、本発明の精神及び範囲から逸脱することなく、本発明に付随する利点を減少させることなく加えることができる。たとえば、所望される場合、様々な構成要素の位置を変えることができる。したがって、そのような変更及び修正は、本発明の範囲内に含まれることが意図される。さらに、特徴、態様、及び利点のすべてが、本発明を実行するのに必ずしも必要とされるとは限らない。したがって、本発明の範囲は、以下の特許請求の範囲のみによって定義されることが意図される。
【図１】
2019509161.tif 000003
【図２】
2019509161.tif 000004
【図３】
2019509161.tif 000005
【図４】
2019509161.tif 000006
【図５】
2019509161.tif 000007
【図６】
2019509161.tif 000008
【図７】
2019509161.tif 000009
【図８】
2019509161.tif 000010
【図９】
2019509161.tif 000011
【図１０】
2019509161.tif 000012
【図１１】
2019509161.tif 000013
【図１２】
2019509161.tif 000014
【図１３】
2019509161.tif 000015
【図１４】
2019509161.tif 000016
【図１５】
2019509161.tif 000017
【図１６】
2019509161.tif 000018
【図１７】
2019509161.tif 000019
【図１８】
2019509161.tif 000020
【図１９】
2019509161.tif 000021
【図２０】
2019509161.tif 000022
【図２１】
2019509161.tif 000023
【図２２】
2019509161.tif 000024
【図２３】
2019509161.tif 000025
【図２４】
2019509161.tif 000026
【図２５】
2019509161.tif 000027
【図２６】
2019509161.tif 000028
【図２７】
2019509161.tif 000029
【図２８】
2019509161.tif 000030
【図２９】
2019509161.tif 000031
【図３０】
2019509161.tif 000032
【図３１】
2019509161.tif 000033
【図３２】
2019509161.tif 000034
【図３３】
2019509161.tif 000035
【図３４】
2019509161.tif 000036
【図３５】
2019509161.tif 000037
【図３６】
2019509161.tif 000038
【図３７】
2019509161.tif 000039
【図３８】
2019509161.tif 000040
【図３９】
2019509161.tif 000041
【図４０Ａ】
2019509161.tif 000042
【図４０Ｂ】
2019509161.tif 000043
【図４０Ｃ】
2019509161.tif 000044
【図４０Ｄ】
2019509161.tif 000045
【図４１Ａ】
2019509161.tif 000046
【図４１Ｂ】
2019509161.tif 000047
【図４１Ｃ】
2019509161.tif 000048
【図４２Ａ】
2019509161.tif 000049
【図４２Ｂ】
2019509161.tif 000050
【図４３Ａ】
2019509161.tif 000051
【図４３Ｂ】
2019509161.tif 000052
【図４３Ｃ】
2019509161.tif 000053
【図４４】
2019509161.tif 000054
【図４５】
2019509161.tif 000055
【図４６Ａ】
2019509161.tif 000056
【図４６Ｂ】
2019509161.tif 000057
【図４７Ａ】
2019509161.tif 000058
【図４７Ｂ】
2019509161.tif 000059
【図４７Ｃ】
2019509161.tif 000060
【図４８Ａ】
2019509161.tif 000061
【図４８Ｂ】
2019509161.tif 000062
【図４８Ｃ】
2019509161.tif 000063
【図４９Ａ】
2019509161.tif 000064
【図４９Ｂ】
2019509161.tif 000065
【図４９Ｃ】
2019509161.tif 000066
【図５０Ａ】
2019509161.tif 000067
【図５０Ｂ】
2019509161.tif 000068
【図５０Ｃ】
2019509161.tif 000069
【図５１Ａ】
2019509161.tif 000070
【図５１Ｂ】
2019509161.tif 000071
【図５１Ｃ】
2019509161.tif 000072
【図５２Ａ】
2019509161.tif 000073
【図５２Ｂ】
2019509161.tif 000074
【図５３Ａ】
2019509161.tif 000075
【図５３Ｂ】
2019509161.tif 000076
【図５４Ａ】
2019509161.tif 000077
【図５４Ｂ】
2019509161.tif 000078
【図５５Ａ】
2019509161.tif 000079
【図５５Ｂ】
2019509161.tif 000080
【図５６】
2019509161.tif 000081
【図５７Ａ】
2019509161.tif 000082
【図５７Ｂ】
2019509161.tif 000083
【図５７Ｃ】
2019509161.tif 000084
【図５８】
2019509161.tif 000085
【図５９Ａ】
2019509161.tif 000086
【図５９Ｂ】
2019509161.tif 000087
【図６０】
2019509161.tif 000088
【図６１Ａ】
2019509161.tif 000089
【図６１Ｂ】
2019509161.tif 000090
【図６２】
2019509161.tif 000091
【図６３】
2019509161.tif 000092
【図６４】
2019509161.tif 000093
【図６５】
2019509161.tif 000094
【図６６】
2019509161.tif 000095
【図６７】
2019509161.tif 000096
【図６８】
2019509161.tif 000097
【図６９】
2019509161.tif 000098
【図７０】
2019509161.tif 000099
【図７１】
2019509161.tif 000100
【図７２】
2019509161.tif 000101
【図７３Ａ−７３Ｂ】
2019509161.tif 000102
【図７４】
2019509161.tif 000103
【図７５】
2019509161.tif 000104
【図７６】
2019509161.tif 000105
【図７７】
2019509161.tif 000106
【図７８】
2019509161.tif 000107
【図７９】
2019509161.tif 000108
【図８０】
2019509161.tif 000109
【図８１】
2019509161.tif 000110
【図８２】
2019509161.tif 000111
【図８３】
2019509161.tif 000112
【図８４】
2019509161.tif 000113
【図８５】
2019509161.tif 000114
【図８６】
2019509161.tif 000115
【図８７】
2019509161.tif 000116
【図８８】
2019509161.tif 000117
【図８９】
2019509161.tif 000118
【図９０】
2019509161.tif 000119
【図９１】
2019509161.tif 000120
【図９２】
2019509161.tif 000121
【図９３】
2019509161.tif 000122
【図９４】
2019509161.tif 000123
【図９５Ａ】
2019509161.tif 000124
【図９５Ｂ】
2019509161.tif 000125
【図９６】
2019509161.tif 000126
【図９７】
2019509161.tif 000127
【図９８】
2019509161.tif 000128
【図９９】
2019509161.tif 000129
【図１００】
2019509161.tif 000130
【図１０１】
2019509161.tif 000131
【図１０２】
2019509161.tif 000132
【図１０３】
2019509161.tif 000133
【図１０４】
2019509161.tif 000134
【図１０５】
2019509161.tif 000135
【図１０６】
2019509161.tif 000136
【図１０７】
2019509161.tif 000137
【図１０８】
2019509161.tif 000138
【図１０９】
2019509161.tif 000139
【図１１０】
2019509161.tif 000140
【図１１１】
2019509161.tif 000141
【図１１２】
2019509161.tif 000142
【図１１３】
2019509161.tif 000143
【図１１４】
2019509161.tif 000144
【図１１５】
2019509161.tif 000145
【図１１６】
2019509161.tif 000146
【図１１７】
2019509161.tif 000147
【図１１８】
2019509161.tif 000148
【図１１９】
2019509161.tif 000149
【図１２０】
2019509161.tif 000150
【図１２１】
2019509161.tif 000151
【図１２２】
2019509161.tif 000152
【図１２３】
2019509161.tif 000153
【図１２４】
2019509161.tif 000154
【図１２５】
2019509161.tif 000155
【図１２６】
2019509161.tif 000156
【図１２７】
2019509161.tif 000157
【図１２８】
2019509161.tif 000158
【図１２９】
2019509161.tif 000159
【図１３０】
2019509161.tif 000160
【図１３１】
2019509161.tif 000161
【図１３２】
2019509161.tif 000162
【図１３３】
2019509161.tif 000163
【図１３４】
2019509161.tif 000164
【図１３５】
2019509161.tif 000165
【図１３６Ａ】
2019509161.tif 000166
【図１３６Ｂ】
2019509161.tif 000167
【図１３６Ｃ】
2019509161.tif 000168
【図１３７】
2019509161.tif 000169
【図１３８】
2019509161.tif 000170
【図１３９】
2019509161.tif 000171
【図１４０】
2019509161.tif 000172
【図１４１】
2019509161.tif 000173
【図１４２】
2019509161.tif 000174
【図１４３】
2019509161.tif 000175
【図１４４】
2019509161.tif 000176
【図１４５】
2019509161.tif 000177
【図１４６】
2019509161.tif 000178
【図１４７】
2019509161.tif 000179
【図１４８】
2019509161.tif 000180
【図１４９】
2019509161.tif 000181
【図１５０】
2019509161.tif 000182
【国際調査報告】
2019509161.tif 000183
2019509161.tif 000184
2019509161.tif 000185
2019509161.tif 000186
2019509161.tif 000187
2019509161.tif 000188
2019509161.tif 000189
2019509161.tif 000190
2019509161.tif 000191
2019509161.tif 000192
2019509161.tif 000193
2019509161.tif 000194